(57)【要約】  本発明は、１つの発光部で赤、緑、青、合成色の全てを表示することで、表示画面を明るくすることができる表示素子、特に、画像表示装置用素子、フィルター素子及び反射素子を提供する。本発明に係る画像表示装置（１０）は、光吸収と光透過との境界波長または斜め方向への反射と光透過との境界波長が可変であるまたは当該境界波長が固定である素子（１）と、反射する波長域が可変であるまたは当該波長域が固定である素子（２）とを、素子（１）の前記境界波長と素子（２）の前記波長域との少なくとも一方が可変である組合せで、且つ、素子（１）を透過した光が素子（２）に入射される位置関係に配置した構成を備え、素子（１）の前記境界波長及び素子（２）の前記波長域のうちの少なくとも一つを変化させて、素子（１）の光透過帯域と素子（２）の光反射帯域との重なりを制御することにより、素子（２）を反射してくる光の帯域とその光量とを変化させる。
2018056451.tif 000002
【特許請求の範囲】
【請求項１】
光吸収と光透過との境界波長または斜め方向への反射と光透過との境界波長が可変であるまたは当該境界波長が固定である第１の光学素子と、
反射する波長域が可変であるまたは当該波長域が固定である第２の光学素子とを、
前記第１の光学素子の前記境界波長と前記第２の光学素子の前記波長域との少なくとも一方が可変である組合せで、且つ、前記第１の光学素子を透過した光が前記第２の光学素子に入射される位置関係に配置した構成を備え、
前記第１の光学素子の前記境界波長及び前記第２の光学素子の前記波長域のうちの少なくとも一つを変化させて、前記第１の光学素子の光透過帯域と前記第２の光学素子の光反射帯域との重なりを制御することにより、前記第２の光学素子を反射してくる光の帯域とその光量とを変化させる画像表示装置用素子。
【請求項２】
前記第２の光学素子は、前記第１の光学素子を透過した前記光を透過する帯域を有し、
前記第１の光学素子と前記第２の光学素子とを透過した前記光を第３の光学素子に送る構成を備え、
前記第３の光学素子は、光吸収と光透過との境界波長または斜め方向への反射と光透過との境界波長が可変であるまたは当該境界波長が固定であることを特徴とする請求項１に記載の画像表示装置用素子。
【請求項３】
前記第１の光学素子と前記第２の光学素子とを１つの光学モジュールとし、
前記光学モジュールを複数備え、一の前記第１の光学モジュールを透過した光が他の前記光学モジュールに入射されるように、前記複数の前記光学モジュールを光の経路に沿って重ねて配置したことを特徴とする請求項１または請求項２に記載の画像表示装置用素子。
【請求項４】
前記第１の光学素子は、入射された前記光をブラッグ反射により反射させることを特徴とする請求項１から請求項３のいずれか１項に記載の画像表示装置用素子。
【請求項５】
前記第２の光学素子は、前記第１の光学素子を透過して入射された前記光をブラッグ反射により反射させることを特徴とする請求項１から請求項４のいずれか１項に記載の画像表示装置用素子。
【請求項６】
光吸収と光透過との境界波長または斜め方向への反射と光透過との境界波長が可変であるまたは固定である第３の光学素子と、
反射する波長域が可変であるまたは固定である第４の光学素子とを、
前記第３の光学素子の前記境界波長と前記第４の光学素子の前記波長域との少なくとも一方が可変である組合せで、且つ、前記第３の光学素子を透過した光が前記第４の光学素子に入射される位置関係に配置した構成をさらに備え、
前記第３の光学素子の前記境界波長は、前記第１の光学素子の前記境界波長と異なり、
前記第４の光学素子の前記波長域は、前記第２の光学素子の前記波長域と異なり、
前記第３の光学素子の前記境界波長及び前記第４の光学素子の前記波長域のうちの少なくとも一つを変化させて、前記第３の光学素子の光透過帯域と前記第４の光学素子の光反射帯域との重なりを制御することにより、前記第４の光学素子を反射してくる光の帯域とその光量とを変化させる請求項１から請求項５のいずれか１項に記載の画像表示装置用素子。
【請求項７】
光吸収と光透過との境界波長または斜め方向への反射と光透過との境界波長が可変であるまたは固定である第５の光学素子と、
反射する波長域が可変であるまたは固定である第６の光学素子とを、
前記第５の光学素子の前記境界波長と前記第６の光学素子の前記波長域との少なくとも一方が可変である組合せで、且つ、前記第５の光学素子を透過した光が前記第６の光学素子に入射される位置関係に配置した構成をさらに備え、
前記第５の光学素子の前記境界波長は、前記第１の光学素子の前記境界波長及び前記第３の光学素子の前記境界波長とそれぞれ異なり、
前記第６の光学素子の前記波長域は、前記第２の光学素子の前記波長域及び前記第４の光学素子の前記波長域とそれぞれ異なり、
前記第５の光学素子の前記境界波長及び前記第６の光学素子の前記波長域のうちの少なくとも一つを変化させて、前記第５の光学素子の光透過帯域と前記第６の光学素子の光反射帯域との重なりを制御することにより、前記第６の光学素子を反射してくる光の帯域とその光量とを変化させる請求項６に記載の画像表示装置用素子。
【請求項８】
短波長側には光吸収特性または斜め方向への光反射特性を、長波長側には光透過特性を持ち、これら特性の境界波長が可変である第１の光学素子と、
短波長側には光反射特性を、長波長側には光透過特性を持ち、これら特性の境界波長が固定である第２の光学素子と、を備え、
光源から発した光は前記第１の光学素子へ向かい、前記第１の光学素子は前記短波長側の光を吸収または斜め方向へ反射し、前記第１の光学素子を透過した光は前記第２の光学素子へ届き、前記第２の光学素子は前記第２の光学素子に届いた光のうち特定の波長領域の光を反射し、その光は前記第１の光学素子へ向かい、前記第１の光学素子を透過して、観察者方向に進むことを特徴とする画像表示装置用素子。
【請求項９】
電磁波吸収と電磁波透過との境界波長または斜め方向への電磁波反射と電磁波透過との境界波長が可変であるまたは当該境界波長が固定である第１の素子と、
反射する波長域が可変であるまたは当該波長域が固定である第２の素子とを、
前記第１の素子の前記境界波長と前記第２の素子の前記波長域との少なくとも一方が可変である組合せで、且つ、前記第１の素子を透過した電磁波が前記第２の素子に入射される位置関係に配置した構成を備え、
前記第１の素子の前記境界波長及び前記第２の素子の前記波長域のうちの少なくとも一つを変化させて、前記第１の素子の電磁波透過帯域と前記第２の素子の電磁波反射帯域との重なりを制御することにより、前記第２の素子を反射してくる電磁波の帯域とその量とを変化させる反射素子。
【請求項１０】
ガンマ線吸収とガンマ線透過との境界波長または斜め方向へのガンマ線反射とガンマ線透過との境界波長が可変であるまたは当該境界波長が固定である第１の素子と、
反射する波長域が可変であるまたは当該波長域が固定である第２の素子とを、
前記第１の素子の前記境界波長と前記第２の素子の前記波長域との少なくとも一方が可変である組合せで、且つ、前記第１の素子を透過したガンマ線が前記第２の素子に入射される位置関係に配置した構成を備え、
前記第１の素子の前記境界波長及び前記第２の素子の前記波長域のうちの少なくとも一つを変化させて、前記第１の素子のガンマ線透過帯域と前記第２の素子のガンマ線反射帯域との重なりを制御することにより、前記第２の素子を反射してくるガンマ線の帯域とその量とを変化させる反射素子。
【請求項１１】
エックス線吸収とエックス線透過との境界波長または斜め方向へのエックス線反射とエックス線透過との境界波長が可変であるまたは当該境界波長が固定である第１の素子と、
反射する波長域が可変であるまたは当該波長域が固定である第２の素子とを、
前記第１の素子の前記境界波長と前記第２の素子の前記波長域との少なくとも一方が可変である組合せで、且つ、前記第１の素子を透過したエックス線が前記第２の素子に入射される位置関係に配置した構成を備え、
前記第１の素子の前記境界波長及び前記第２の素子の前記波長域のうちの少なくとも一つを変化させて、前記第１の素子のエックス線透過帯域と前記第２の素子のエックス線反射帯域との重なりを制御することにより、前記第２の素子を反射してくるエックス線の帯域とその量とを変化させる反射素子。
【請求項１２】
電波吸収と電波透過との境界波長または斜め方向への電波反射と電波透過との境界波長が可変であるまたは当該境界波長が固定である第１の素子と、
反射する波長域が可変であるまたは当該波長域が固定である第２の素子とを、
前記第１の素子の前記境界波長と前記第２の素子の前記波長域との少なくとも一方が可変である組合せで、且つ、前記第１の素子を透過した電波が前記第２の素子に入射される位置関係に配置した構成を備え、
前記第１の素子の前記境界波長及び前記第２の素子の前記波長域のうちの少なくとも一つを変化させて、前記第１の素子の電波透過帯域と前記第２の素子の電波反射帯域との重なりを制御することにより、前記第２の素子を反射してくる電波の帯域とその量とを変化させる反射素子。
【請求項１３】
電磁波吸収と電磁波透過との境界波長または斜め方向への電磁波反射と電磁波透過との境界波長が可変であるまたは当該境界波長が固定である第１の素子と、
透過する波長域が可変であるまたは当該波長域が固定である第２の素子とを、
前記第１の素子の前記境界波長と前記第２の素子の前記波長域との少なくとも一方が可変である組合せで、且つ、前記第１の素子を透過した電磁波が前記第２の素子に入射される位置関係に配置した構成を備え、
前記第１の素子の前記境界波長及び前記第２の素子の前記波長域のうちの少なくとも一つを変化させて、前記第１の素子の電磁波透過帯域と前記第２の素子の電磁波透過帯域との重なりを制御することにより、前記第２の素子を通過してくる電磁波の帯域とその量とを変化させるフィルター素子。
【請求項１４】
前記第２の素子は、前記第１の素子を透過した前記電磁波を透過する帯域を有し、
前記第１の素子と前記第２の素子とを透過した前記電磁波を第３の素子に送る構成を備え、
前記第３の素子は、電磁波吸収と電磁波透過との境界波長または斜め方向への電磁波反射と電磁波透過との境界波長が可変であるまたは当該境界波長が固定であることを特徴とする請求項１３に記載のフィルター素子。
【請求項１５】
前記第１の素子と前記第２の素子とを１つのモジュールとし、
前記モジュールを複数備え、一の前記第１のモジュールを透過した電磁波が他の前記モジュールに入射されるように、前記複数の前記モジュールを電磁波の経路に沿って重ねて配置したことを特徴とする請求項１３または請求項１４に記載のフィルター素子。
【請求項１６】
前記第１の素子は、入射された前記電磁波をブラッグ反射により反射させることを特徴とする請求項１３から請求項１５のいずれか１項に記載のフィルター素子。
【請求項１７】
前記第２の素子は、前記第１の素子を透過して入射された前記電磁波をブラッグ反射により反射させることを特徴とする請求項１３から請求項１６のいずれか１項に記載のフィルター素子。
【請求項１８】
電磁波吸収と電磁波透過との境界波長または斜め方向への電磁波反射と電磁波透過との境界波長が可変であるまたは固定である第３の素子と、
反射する波長域が可変であるまたは固定である第４の素子とを、
前記第３の素子の前記境界波長と前記第４の素子の前記波長域との少なくとも一方が可変である組合せで、且つ、前記第３の素子を透過した電磁波が前記第４の素子に入射される位置関係に配置した構成をさらに備え、
前記第３の素子の前記境界波長は、前記第１の素子の前記境界波長と異なり、
前記第４の素子の前記波長域は、前記第２の素子の前記波長域と異なり、
前記第３の素子の前記境界波長及び前記第４の素子の前記波長域のうちの少なくとも一つを変化させて、前記第３の素子の電磁波透過帯域と前記第４の素子の電磁波反射帯域との重なりを制御することにより、前記第４の素子を反射してくる電磁波の帯域とその電磁波量とを変化させる請求項１３から請求項１７のいずれか１項に記載のフィルター素子。
【請求項１９】
ガンマ線吸収とガンマ線透過との境界波長または斜め方向へのガンマ線反射とガンマ線透過との境界波長が可変であるまたは当該境界波長が固定である第１の素子と、
透過する波長域が可変であるまたは当該波長域が固定である第２の素子とを、
前記第１の素子の前記境界波長と前記第２の素子の前記波長域との少なくとも一方が可変である組合せで、且つ、前記第１の素子を透過したガンマ線が前記第２の素子に入射される位置関係に配置した構成を備え、
前記第１の素子の前記境界波長及び前記第２の素子の前記波長域のうちの少なくとも一つを変化させて、前記第１の素子のガンマ線透過帯域と前記第２の素子のガンマ線透過帯域との重なりを制御することにより、前記第２の素子を透過してくるガンマ線の帯域とその量とを変化させるフィルター素子。
【請求項２０】
前記第２の素子は、前記第１の素子を透過した前記ガンマ線を透過する帯域を有し、
前記第１の素子と前記第２の素子とを透過した前記ガンマ線を第３の素子に送る構成を備え、
前記第３の素子は、ガンマ線吸収とガンマ線透過との境界波長または斜め方向へのガンマ線反射とガンマ線透過との境界波長が可変であるまたは当該境界波長が固定であることを特徴とする請求項１９に記載のフィルター素子。
【請求項２１】
前記第１の素子と前記第２の素子とを１つのモジュールとし、
前記モジュールを複数備え、一の前記第１のモジュールを透過したガンマ線が他の前記モジュールに入射されるように、前記複数の前記モジュールをガンマ線の経路に沿って重ねて配置したことを特徴とする請求項１９または請求項２０に記載のフィルター素子。
【請求項２２】
前記第１の素子は、入射された前記ガンマ線をブラッグ反射により反射させることを特徴とする請求項１９から請求項２１のいずれか１項に記載のフィルター素子。
【請求項２３】
前記第２の素子は、前記第１の素子を透過して入射された前記ガンマ線をブラッグ反射により反射させることを特徴とする請求項１９から請求項２２のいずれか１項に記載のフィルター素子。
【請求項２４】
ガンマ線吸収とガンマ線透過との境界波長または斜め方向へのガンマ線反射とガンマ線透過との境界波長が可変であるまたは固定である第３の素子と、
反射する波長域が可変であるまたは固定である第４の素子とを、
前記第３の素子の前記境界波長と前記第４の素子の前記波長域との少なくとも一方が可変である組合せで、且つ、前記第３の素子を透過したガンマ線が前記第４の素子に入射される位置関係に配置した構成をさらに備え、
前記第３の素子の前記境界波長は、前記第１の素子の前記境界波長と異なり、
前記第４の素子の前記波長域は、前記第２の素子の前記波長域と異なり、
前記第３の素子の前記境界波長及び前記第４の素子の前記波長域のうちの少なくとも一つを変化させて、前記第３の素子のガンマ線透過帯域と前記第４の素子のガンマ線反射帯域との重なりを制御することにより、前記第４の素子を反射してくるガンマ線の帯域とそのガンマ線量とを変化させる請求項１９から請求項２３のいずれか１項に記載のフィルター素子。
【請求項２５】
エックス線吸収とエックス線透過との境界波長または斜め方向へのエックス線反射とエックス線透過との境界波長が可変であるまたは当該境界波長が固定である第１の素子と、
透過する波長域が可変であるまたは当該波長域が固定である第２の素子とを、
前記第１の素子の前記境界波長と前記第２の素子の前記波長域との少なくとも一方が可変である組合せで、且つ、前記第１の素子を透過したエックス線が前記第２の素子に入射される位置関係に配置した構成を備え、
前記第１の素子の前記境界波長及び前記第２の素子の前記波長域のうちの少なくとも一つを変化させて、前記第１の素子のエックス線透過帯域と前記第２の素子のエックス線透過帯域との重なりを制御することにより、前記第２の素子を透過してくるエックス線の帯域とその量とを変化させるフィルター素子。
【請求項２６】
前記第２の素子は、前記第１の素子を透過した前記エックス線を透過する帯域を有し、
前記第１の素子と前記第２の素子とを透過した前記エックス線を第３の素子に送る構成を備え、
前記第３の素子は、エックス線吸収とエックス線透過との境界波長または斜め方向へのエックス線反射とエックス線透過との境界波長が可変であるまたは当該境界波長が固定であることを特徴とする請求項２５に記載のフィルター素子。
【請求項２７】
前記第１の素子と前記第２の素子とを１つのモジュールとし、
前記モジュールを複数備え、一の前記第１のモジュールを透過したエックス線が他の前記モジュールに入射されるように、前記複数の前記モジュールをエックス線の経路に沿って重ねて配置したことを特徴とする請求項２５または請求項２６に記載のフィルター素子。
【請求項２８】
前記第１の素子は、入射された前記エックス線をブラッグ反射により反射させることを特徴とする請求項２５から請求項２７のいずれか１項に記載のフィルター素子。
【請求項２９】
前記第２の素子は、前記第１の素子を透過して入射された前記エックス線をブラッグ反射により反射させることを特徴とする請求項２５から請求項２８のいずれか１項に記載のフィルター素子。
【請求項３０】
エックス線吸収とエックス線透過との境界波長または斜め方向へのエックス線反射とエックス線透過との境界波長が可変であるまたは固定である第３の素子と、
反射する波長域が可変であるまたは固定である第４の素子とを、
前記第３の素子の前記境界波長と前記第４の素子の前記波長域との少なくとも一方が可変である組合せで、且つ、前記第３の素子を透過したエックス線が前記第４の素子に入射される位置関係に配置した構成をさらに備え、
前記第３の素子の前記境界波長は、前記第１の素子の前記境界波長と異なり、
前記第４の素子の前記波長域は、前記第２の素子の前記波長域と異なり、
前記第３の素子の前記境界波長及び前記第４の素子の前記波長域のうちの少なくとも一つを変化させて、前記第３の素子のエックス線透過帯域と前記第４の素子のエックス線反射帯域との重なりを制御することにより、前記第４の素子を反射してくるエックス線の帯域とそのエックス線量とを変化させる請求項２５から請求項２９のいずれか１項に記載のフィルター素子。
【請求項３１】
電波吸収と電波透過との境界波長または斜め方向への電波反射と電波透過との境界波長が可変であるまたは当該境界波長が固定である第１の素子と、
透過する波長域が可変であるまたは当該波長域が固定である第２の素子とを、
前記第１の素子の前記境界波長と前記第２の素子の前記波長域との少なくとも一方が可変である組合せで、且つ、前記第１の素子を透過した電波が前記第２の素子に入射される位置関係に配置した構成を備え、
前記第１の素子の前記境界波長及び前記第２の素子の前記波長域のうちの少なくとも一つを変化させて、前記第１の素子の電波透過帯域と前記第２の素子の電波透過帯域との重なりを制御することにより、前記第２の素子を透過してくる電波の帯域とその量とを変化させるフィルター素子。
【請求項３２】
前記第２の素子は、前記第１の素子を透過した前記電波を透過する帯域を有し、
前記第１の素子と前記第２の素子とを透過した前記電波を第３の素子に送る構成を備え、
前記第３の素子は、電波吸収と電波透過との境界波長または斜め方向への電波反射と電波透過との境界波長が可変であるまたは当該境界波長が固定であることを特徴とする請求項３１に記載のフィルター素子。
【請求項３３】
前記第１の素子と前記第２の素子とを１つのモジュールとし、
前記モジュールを複数備え、一の前記第１のモジュールを透過した電波が他の前記モジュールに入射されるように、前記複数の前記モジュールを電波の経路に沿って重ねて配置したことを特徴とする請求項３１または請求項３２に記載のフィルター素子。
【請求項３４】
前記第１の素子は、入射された前記電波をブラッグ反射により反射させることを特徴とする請求項３１から請求項３３のいずれか１項に記載のフィルター素子。
【請求項３５】
前記第２の素子は、前記第１の素子を透過して入射された前記電波をブラッグ反射により反射させることを特徴とする請求項３１から請求項３４のいずれか１項に記載のフィルター素子。
【請求項３６】
電波吸収と電波透過との境界波長または斜め方向への電波反射と電波透過との境界波長が可変であるまたは固定である第３の素子と、
反射する波長域が可変であるまたは固定である第４の素子とを、
前記第３の素子の前記境界波長と前記第４の素子の前記波長域との少なくとも一方が可変である組合せで、且つ、前記第３の素子を透過した電波が前記第４の素子に入射される位置関係に配置した構成をさらに備え、
前記第３の素子の前記境界波長は、前記第１の素子の前記境界波長と異なり、
前記第４の素子の前記波長域は、前記第２の素子の前記波長域と異なり、
前記第３の素子の前記境界波長及び前記第４の素子の前記波長域のうちの少なくとも一つを変化させて、前記第３の素子の電波透過帯域と前記第４の素子の電波反射帯域との重なりを制御することにより、前記第４の素子を反射してくる電波の帯域とその電波量とを変化させる請求項３１から請求項３５のいずれか１項に記載のフィルター素子。
【請求項３７】
光軸は、一つである請求項１から請求項８のいずれか１項に記載の画像表示装置用素子。
【請求項３８】
電磁波軸、ガンマ線軸、エックス線軸、又は電波軸は、一つである請求項９から請求項１２のいずれか１項に記載の反射素子。
【請求項３９】
電磁波軸、ガンマ線軸、エックス線軸、又は電波軸は、一つである請求項１３から請求項３６のいずれか１項に記載のフィルター素子。
【請求項４０】
各帯域は、それぞれ独立に変えられる請求項１から請求項８のいずれか１項に記載の画像表示装置用素子。
【請求項４１】
各帯域は、それぞれ独立に変えられる請求項９から請求項１２のいずれか１項に記載の反射素子。
【請求項４２】
各帯域は、それぞれ独立に変えられる請求項１３から請求項３６のいずれか１項に記載のフィルター素子。
【請求項４３】
立ち上がり開始波長および立下り終了波長を短波長側および長波長側に任意かつ独立してシフトすることができる透過帯域をひとつ以上持つ請求項１から請求項８のいずれか１項に記載の画像表示装置用素子。
【請求項４４】
立ち上がり開始波長および立下り終了波長を短波長側および長波長側に任意かつ独立してシフトすることができる反射帯域をひとつ以上持つ請求項１から請求項８のいずれか１項に記載の画像表示装置用素子。
【請求項４５】
立ち上がり開始波長および立下り終了波長を短波長側および長波長側に任意かつ独立してシフトすることができる透過帯域をひとつ以上持つ請求項９から請求項１２のいずれか１項に記載の反射素子。
【請求項４６】
立ち上がり開始波長および立下り終了波長を短波長側および長波長側に任意かつ独立してシフトすることができる反射帯域をひとつ以上持つ請求項９から請求項１２のいずれか１項に記載の反射素子。
【請求項４７】
立ち上がり開始波長および立下り終了波長を短波長側および長波長側に任意かつ独立してシフトすることができる透過帯域をひとつ以上持つ請求項１３から請求項３６のいずれか１項に記載のフィルター素子。
【請求項４８】
立ち上がり開始波長および立下り終了波長を短波長側および長波長側に任意かつ独立してシフトすることができる反射帯域をひとつ以上持つ請求項１３から請求項３６のいずれか１項に記載のフィルター素子。
【請求項４９】
立下り開始波長および立ち上がり終了波長を短波長側および長波長側に任意かつ独立してシフトすることができる透過帯域をひとつ以上持つ請求項１から請求項８のいずれか１項に記載の画像表示装置用素子。
【請求項５０】
立下り開始波長および立ち上がり終了波長を短波長側および長波長側に任意かつ独立してシフトすることができる反射帯域をひとつ以上持つ請求項１から請求項８のいずれか１項に記載の画像表示装置用素子。
【請求項５１】
立下り開始波長および立ち上がり終了波長を短波長側および長波長側に任意かつ独立してシフトすることができる透過帯域をひとつ以上持つ請求項９から請求項１２のいずれか１項に記載の反射素子。
【請求項５２】
立下り開始波長および立ち上がり終了波長を短波長側および長波長側に任意かつ独立してシフトすることができる反射帯域をひとつ以上持つ請求項９から請求項１２のいずれか１項に記載の反射素子。
【請求項５３】
立下り開始波長および立ち上がり終了波長を短波長側および長波長側に任意かつ独立してシフトすることができる透過帯域をひとつ以上持つ請求項１３から請求項３６のいずれか１項に記載のフィルター素子。
【請求項５４】
立下り開始波長および立ち上がり終了波長を短波長側および長波長側に任意かつ独立してシフトすることができる反射帯域をひとつ以上持つ請求項１３から請求項３６のいずれか１項に記載のフィルター素子。
【発明の詳細な説明】
【技術分野】
【０００１】
本発明は、表示素子、特に、画像表示装置用素子、反射素子及びフィルター素子に関する。
【背景技術】
【０００２】
画像表示装置の技術分野では、構造色を利用して画像を表示するものが既に知られている。この種の画像表示装置としては、例えば、特許文献１に記載されたものがある。なお、電磁波は、波長によって様々な分類がされており、波長の長い方から電波・光・Ｘ線・ガンマ線と呼ばれる。
【先行技術文献】
【特許文献】
【０００３】
【特許文献１】特開２００６−０９９０７０号公報
【発明の概要】
【発明が解決しようとする課題】
【０００４】
特許文献１には、構造色が発現する複数の画像表示装置用素子を平面的に配置した画像表示装置が記載されている。
複数の画像表示装置用素子を平面的に配置した画像表示装置で、赤、緑、青のいずれかしか発光できない素子を使用すると、原理的に発光量が１／３になってしまう。このため、上記画像表示装置には、表示画面を明るくできないという課題がある。【０００５】
本発明は、このような事情に鑑みてなされたものであって、１つの発光部で赤、緑、青及びそれらの合成色の全てを表示することで、表示画面を明るくすることができる表示素子、特に、画像表示装置用素子、反射素子及びフィルター素子を提供することを目的とする。なお、反射素子及びフィルター素子は、使用目的によって名称が異なるだけで、同じものである。また、ノッチフィルター及びバンドパスフィルターも同様である。
【課題を解決するための手段】
【０００６】
上記課題を解決するため、本発明の一態様は、光吸収と光透過との境界波長または斜め方向への反射と光透過との境界波長が可変であるまたは当該境界波長が固定である第１の光学素子と、反射する波長域が可変であるまたは当該波長域が固定である第２の光学素子とを、前記第１の光学素子の前記境界波長と前記第２の光学素子の前記波長域との少なくとも一方が可変である組合せで、且つ、前記第１の光学素子を透過した光が前記第２の光学素子に入射される位置関係に配置した構成を備え、前記第１の光学素子の前記境界波長及び前記第２の光学素子の前記波長域のうちの少なくとも一つを変化させて、前記第１の光学素子の光透過帯域と前記第２の光学素子の光反射帯域との重なりを制御することにより、前記第２の光学素子を反射してくる光の帯域とその光量とを変化させる画像表示装置用素子である。
【発明の効果】
【０００７】
本発明の一態様に係る画像表示装置用素子によれば、表示画面を明るくすることが可能となる。
【図面の簡単な説明】
【０００８】
【図１】本発明の第１実施形態に係る画像表示装置用素子の構成を示す概念図である。
【図２】本発明の第２実施形態に係る画像表示装置用素子の構成を示す概念図である。
【図３】本発明の第３実施形態に係る画像表示装置用素子の構成を示す概念図である。
【図４】第１〜第３の各実施形態で用いた各素子の反射−透過特性を示す図である。
【図５】第１〜第３の各実施形態で用いた各素子の反射−透過特性を示す図である。
【図６】第１〜第３の各実施形態で用いた各素子の反射−吸収−透過特性を示す図である。
【図７】第１〜第３の各実施形態で用いた各素子の反射−吸収−透過特性を示す図である。
【図８】第１〜第３の各実施形態で用いた各素子の反射−透過特性を示す図である。
【図９】第１〜第３の各実施形態で用いた各素子の反射−透過特性を示す図である。
【図１０】本発明の第４実施形態に係る画像表示装置用素子の構成を示す概念図である。
【図１１】本発明の第５実施形態に係る画像表示装置用素子の構成を示す概念図である。
【図１２】本発明の第６実施形態に係る画像表示装置用素子の構成を示す概念図である。
【図１３】第４〜第６の各実施形態で用いた各素子の反射−透過特性を示す図である。
【図１４】第４〜第６の各実施形態で用いた各素子の反射−透過特性を示す図である。
【図１５】本発明の第７実施形態に係る画像表示装置用素子の構成を示す概念図である。
【図１６】本発明の第８実施形態に係る画像表示装置用素子の構成を示す概念図である。
【図１７】本発明の第９実施形態に係る画像表示装置用素子の構成を示す概念図である。
【図１８Ａ】本発明の実施例１で用いた単色輝度の制御実験装置の構成を示す概略図である。
【図１８Ｂ】本発明の実施例１で用いた単色輝度の制御実験装置の構成を示す概略図である。
【図１９】本発明の実施例１で用いた素子５２Ｘへの入射角度θの変化に伴う反射−透過特性の変化を示すグラフである。
【図２０】本発明の実施例１で用いた素子５２Ｙの反射−透過特性を示すグラフである。
【図２１】本発明の実施例１で用いた２枚の素子と光路との関係を示す図である。
【図２２】本発明の実施例１で用いた２枚の素子と波長域との関係を示す図である。
【図２３】本発明の実施例１で用いた素子５２Ｘへの入射角度θの変化に伴う輝度変化を示すグラフである。
【図２４】本発明の実施例１で用いた素子５２Ｘへの入射角度θの変化に伴う色度変化を示す色度図である。
【図２５】本発明の実験例２で用いた実験装置の構成を示す概略図である。
【図２６Ａ】光学ユニット７３Ｂの素子７２Ｘへの入射角度θの変化に伴う透過率−反射率波長特性の変化を示すグラフである。
【図２６Ｂ】光学ユニット７３Ｇの素子７２Ｘへの入射角度θの変化に伴う反射−透過特性の変化を示すグラフである。
【図２６Ｃ】光学ユニット７３Ｒの素子７２Ｘへの入射角度θの変化に伴う反射−透過特性の変化を示すグラフである。
【図２７Ａ】光学ユニット７３Ｂの素子７２Ｙについて、反射−透過特性を示すグラフである。
【図２７Ｂ】光学ユニット７３Ｇの素子７２Ｙについて、反射−透過特性を示すグラフである。
【図２７Ｃ】光学ユニット７３Ｒの素子７２Ｙについて、反射−透過特性を示すグラフである。
【図２８】本発明の実施例２で用いた６枚の素子と光路との関係を示す図である。
【図２９】本発明の実施例２で用いた６枚の素子と波長域との関係を示す図である。
【図３０】本発明の実施例２で発色した７色の色度を示す色度図である。
【図３１】本発明の実験例３で用いた透過式発色実験装置の構成を示す概略図である。
【図３２】本発明の実施例３で用いた発色ユニットと円筒管のスケッチである。
【図３３Ａ】本発明の実施例３で用いた素子４ＦＢ単体の特徴を示す図である。
【図３３Ｂ】本発明の実施例３で用いた素子４ＦＢ単体の特徴を示す図である。
【図３４Ａ】本発明の実施例３で用いた素子４ＦＧ単体の特徴を示す図である。
【図３４Ｂ】本発明の実施例３で用いた素子４ＦＧ単体の特徴を示す図である。
【図３５Ａ】本発明の実施例３で用いた素子４ＦＲ単体の特徴を示す図である。
【図３５Ｂ】本発明の実施例３で用いた素子４ＦＲ単体の特徴を示す図である。
【図３６Ａ】本発明の実施例３で用いた素子４ＦＴ単体の特徴を示す図である。
【図３６Ｂ】本発明の実施例３で用いた素子４ＦＴ単体の特徴を示す図である。
【図３７】本発明の実施例３で用いた素子４ＦＴと素子４ＦＢとの組み合わせによる特徴を示す図である。
【図３８】本発明の実施例３で用いた素子４ＦＴと素子４ＦＧとの組み合わせによる特徴を示す図である。
【図３９】本発明の実施例３で用いた素子４ＦＴと素子４ＦＲとの組み合わせによる特徴を示す図である。
【図４０】本発明の実施例３で用いた４つの素子（４ＦＴ、４ＦＢ、４ＦＧ、４ＦＲ）による作用と光路を示す図である。
【図４１】本発明の実施例３で発色した７色の色度を示す色度図である。
【図４２】本発明の実施例３で実施した単色輝度の制御実験での光路を示す図である。
【図４３】本発明の実施例３で用いた素子４ＦＲへの入射角度の変化に伴う輝度の変化を示すグラフである。
【図４４】本発明の実施例３で用いた素子４ＦＲへの入射角度の変化に伴う色度の変化を示す色度図である。
【図４５】従来技術（ａ）と本願発明（ｂ）との差を説明する図である。
【発明を実施するための形態】
【０００９】
以下、本発明に係る各実施形態について、図面を参照して説明する。ここで、図面は模式的なものであり、厚みと平面寸法との関係、各層の厚みの比率等は現実のものとは異なる。他にも、図面を簡潔にするために、周知の構造が略図で示されている。また、各図において、同様または類似した機能を発揮する構成要素には同一の参照符号を付し、重複する説明は省略する。また、以下に示す各実施形態は、本発明の技術的思想を具体化するための構成を例示するものであって、本発明の技術的思想は、構成部品の材質、形状、および構造等が下記のものに特定するものでない。また、本発明の技術的思想は、特許請求の範囲に記載された請求項が規定する技術的範囲内において、種々の変更を加えることができる。
また、従来、複数の帯域を可変できるマルチノッチフィルター及びマルチバンドパスフィルターは存在しなかった。本願発明によれば、複数の帯域を可変できるマルチノッチフィルター及びマルチバンドパスフィルターにも応用可能である。
また、光の干渉を利用する構造色では、赤→緑→青と順次色を変化させようとすると、発色部の物理的サイズを２倍程度変化させなければならない。例えば、ゴム状のものなら、２倍程度延ばすことにより、青、緑、赤と順次色を変化させることができる。また、誘電体多層膜であれば、傾けることにより、中心波長から数十ｎｍ程度、色を変化させることができる。本発明によれば、数％の物理的サイズの変化又は数ｎｍ〜１００ｎｍ程度の波長シフトでよい。
なお、本願発明は、後述する誘電多層膜であっても、ゴムの中に微粒子を光の干渉を起こすように均等に分散させたゴム状のものであってもよい。例えば、ブラッグ反射をするものであれば、適用可能である。他にも、反射（透過）帯域を可変できる物質であれば、適用可能である。
【００１０】
［第１実施形態］
以下、第１実施形態に係る画像表示装置用素子１０の構成について説明する。図１は、本発明の第１実施形態に係る画像表示装置用素子１０の構成を示す概念図である。図１に示すように、画像表示装置用素子１０は、構造色を発現する画像表示装置用素子であって、光源ＬＳが発した光Ｌのうち特定の波長域の光を斜め方向へ反射または吸収し、その他の波長域の光を透過する素子１と、素子１を透過した光（以下、「第１透過光」ともいう）Ｔ１のうち特定の波長域の光を反射し、その他の波長域の光を透過する素子２と、素子２を透過した光（以下、「第２透過光」ともいう）Ｔ２を吸収する透過光吸収部材ＡＢ１と、素子１が斜め方向へ反射した光（以下、「第１反射光」ともいう）Ｒ１を吸収する反射光吸収部材ＡＢ２と、を備えたものである。以下、上記各構成について説明する。
【００１１】
（素子１）
素子１は、光源ＬＳから出射され画像表示装置用素子１０に入射する光（以下、単に「入射光」ともいう）Ｌのうち特定の波長域の光を吸収または反射光吸収部材ＡＢ２に向けて反射し、その他の波長域の光を透過する素子であって、例えば、誘電体多層膜を備えた光学フィルターである。
素子１は、画像表示装置用素子１０において、光源ＬＳ側（以下、「表示側」ともいう）に配置されている。また、素子１の表示側の面は、入射光Ｌの光軸に対して傾斜している。このため、素子１で反射した光である第１反射光Ｒ１は、観察者ＯＢ方向とは異なる方向に進行する。よって、観察者ＯＢは、第１反射光Ｒ１を視認することはない。
素子１に、傾斜角を変化させたとき、所望の波長軸上の反射−減衰特性（反射−透過特性）を得られるように、誘電体多層膜を備えた光学フィルターを選んでいる。
なお、素子１が入射光Ｌのうち特定の波長域の光を吸収する場合には、素子１の表示側の面を入射光Ｌの光軸に対して傾斜させる必要はない。
【００１２】
（素子２）
素子２は、第１透過光Ｔ１のうち特定の波長域の光を素子１方向に向けて反射し、その他の波長域の光を透過する素子であって、例えば、誘電体多層膜を備えた光学フィルターや構造色を発現する高分子膜である。なお、図１では、素子２によって反射された光を「第２反射光Ｒ２」と表記する。
素子２は、素子１の表示側とは反対の側に配置されている。また、素子２の素子１側の面は、入射光Ｌの光軸に対してほぼ直交するように配置されている。つまり、素子１と素子２とは、入射光Ｌの光軸上に配置されている。換言すると、素子２は、観察者ＯＢ側から見て、素子１と重なっている。
以降、素子１と素子２とを備えた光学ユニットを、第１光学ユニットＵ１ともいう。換言すると、第１光学ユニットＵ１（画像表示装置用素子）は、光吸収と光透過との境界波長または斜め方向への反射と光透過との境界波長が可変であるまたは当該境界波長が固定である素子１と、反射する波長域が可変であるまたは当該波長域が固定である素子２とを、素子１の前記境界波長と素子２の前記波長域との少なくとも一方が可変である組合せで、且つ、素子１を透過した光が素子２に入射される位置関係に配置した構成を備え、素子１の前記境界波長及び素子２の前記波長域のうちの少なくとも一つを変化させて、素子１の光透過帯域と素子２の光反射帯域との重なりを制御することにより、素子２を反射してくる光の帯域とその光量とを変化させる。
【００１３】
（透過光吸収部材ＡＢ１）
透過光吸収部材ＡＢ１は、第２透過光Ｔ２を吸収する部材であって、例えば、黒色紙や黒色に表面処理された装置底面である。
透過光吸収部材ＡＢ１は、素子２の素子１側とは反対の側であって、入射光Ｌの光軸上に配置されている。つまり、透過光吸収部材ＡＢ１は、観察者ＯＢ側から見て、素子１及び素子２と重なっている。
透過光吸収部材ＡＢ１は、第２透過光Ｔ２を吸収するため、観察者ＯＢは、第２透過光Ｔ２の反射光を視認することはない。
【００１４】
（反射光吸収部材ＡＢ２）
反射光吸収部材ＡＢ２は、第１反射光Ｒ１を吸収する部材であって、例えば、黒色紙や黒色に表面処理された装置側面である。
反射光吸収部材ＡＢ２は、入射光Ｌの光軸からずれた場所に配置されている。
反射光吸収部材ＡＢ２は、第１反射光Ｒ１を吸収するため、観察者ＯＢは、第１反射光Ｒ１を視認することはない。
【００１５】
［第２実施形態］
以下、第２実施形態に係る画像表示装置用素子２０の構成について説明する。図２は、本発明の第２実施形態に係る画像表示装置用素子２０の構成を示す概念図である。図２に示すように、画像表示装置用素子２０は、構造色を発現する画像表示装置用素子であって、光源ＬＳが発した光Ｌのうち特定の波長域の光を反射または吸収し、その他の波長域の光を透過する素子１と、素子１を透過した光である第１透過光Ｔ１のうち特定の波長域の光を反射し、その他の波長域の光を透過する素子２と、素子２を透過した光である第２透過光Ｔ２のうち特定の波長域の光を反射または吸収し、その他の波長域の光を透過する素子３と、素子３を透過した光（以下、「第３透過光」ともいう）Ｔ３のうち特定の波長域の光を反射または吸収し、その他の波長域の光を透過する素子４と、素子４を透過した光（以下、「第４透過光」ともいう）Ｔ４を吸収する透過光吸収部材ＡＢ１と、素子１が反射した光である第１反射光Ｒ１と、素子３が反射した光（以下、「第３反射光」ともいう）Ｒ３を吸収する反射光吸収部材ＡＢ２と、を備えたものである。つまり、本実施形態に係る画像表示装置用素子２０は、上述の第１実施形態に係る画像表示装置用素子１０に素子３と素子４を追加した画像表示装置用素である。よって、ここでは、第１実施形態と異なる部分である素子３と素子４とについて説明する。
【００１６】
（素子３）
素子３は、第２透過光Ｔ２のうち特定の波長域の光を吸収または反射光吸収部材ＡＢ２に向けて反射し、その他の波長域の光を透過する素子であって、例えば、誘電体多層膜を備えた光学フィルターである。
素子３は、第１光学ユニットＵ１の光源ＬＳ側とは反対の側であって、入射光Ｌの光軸上に配置されている。つまり、素子３は、観察者ＯＢ側から見て、第１光学ユニットＵ１と重なっている。また、素子３の第１光学ユニットＵ１側の面は、入射光Ｌの光軸に対して傾斜している。このため、素子３で反射した光である第３反射光Ｒ３は、観察者ＯＢ方向とは異なる方向に進行する。よって、観察者ＯＢは、第３反射光Ｒ３を視認することはない。
素子３に、傾斜角を変化させたとき、所望の波長軸上の反射−減衰特性（反射−透過特性）を得られるように、誘電体多層膜を備えた光学フィルターを選んでいる。
なお、素子３が第２透過光Ｔ２のうち特定の波長域の光を吸収する場合には、素子３の第１光学ユニットＵ１側の面を入射光Ｌの光軸に対して傾斜させる必要はない。
【００１７】
（素子４）
素子４は、第３透過光Ｔ３のうち特定の波長域の光を素子３方向に向けて反射し、その他の波長域の光を透過する素子であって、例えば、誘電体多層膜を備えた光学フィルターや構造色を発現する高分子膜である。なお、図２では、素子４によって反射された光を「第４反射光Ｒ４」と表記する。
素子４は、素子３の第１光学ユニットＵ１側とは反対の側に配置されている。また、素子４の素子３側の面は、入射光Ｌの光軸に対してほぼ直交するように配置されている。つまり、素子３と素子４とは、入射光Ｌの光軸上に配置されており、素子４は、観察者ＯＢ側から見て、第１光学ユニットＵ１と素子３と重なっている。
以降、素子３と素子４とを備えた光学ユニットを、第２光学ユニットＵ２という。換言すると、第２光学ユニットＵ２（画像表示装置用素子）は、光吸収と光透過との境界波長または斜め方向への反射と光透過との境界波長が可変であるまたは固定である素子３と、反射する波長域が可変であるまたは固定である素子４とを、素子３の前記境界波長と素子４の前記波長域との少なくとも一方が可変である組合せで、且つ、素子３を透過した光が素子４に入射される位置関係に配置した構成をさらに備え、素子３の前記境界波長は、素子１の前記境界波長と異なり、素子４の前記波長域は、素子２の前記波長域と異なり、素子３の前記境界波長及び素子４の前記波長域のうちの少なくとも一つを変化させて、素子３の光透過帯域と素子４の光反射帯域との重なりを制御することにより、素子４を反射してくる光の帯域とその光量とを変化させる。
【００１８】
［第３実施形態］
以下、第３実施形態に係る画像表示装置用素子３０の構成について説明する。図３は、本発明の第３実施形態に係る画像表示装置用素子３０の構成を示す概念図である。図３に示すように、画像表示装置用素子３０は、構造色を発現する画像表示装置用素子であって、光源ＬＳが発した光Ｌのうち特定の波長域の光を反射または吸収し、その他の波長域の光を透過する素子１と、素子１を透過した光である第１透過光Ｔ１のうち特定の波長域の光を反射し、その他の波長域の光を透過する素子２と、素子２を透過した光である第２透過光Ｔ２のうち特定の波長域の光を反射または吸収し、その他の波長域の光を透過する素子３と、素子３を透過した光である第３透過光Ｔ３のうち特定の波長域の光を反射または吸収し、その他の波長域の光を透過する素子４と、素子４を透過した光である第４透過光Ｔ４のうち特定の波長域の光を反射または吸収し、その他の波長域の光を透過する素子５と、素子５を透過した光（以下、「第５透過光」ともいう）Ｔ５のうち特定の波長域の光を反射または吸収し、その他の波長域の光を透過する素子６と、素子６を透過した光（以下、「第６透過光」ともいう）Ｔ６を吸収する透過光吸収部材ＡＢ１と、素子１が反射した光である第１反射光Ｒ１と、素子３が反射した光である第３反射光Ｒ３と、素子５が反射した光（以下、「第５反射光」ともいう）Ｒ５を吸収する反射光吸収部材ＡＢ２と、を備えたものである。つまり、本実施形態に係る画像表示装置用素子３０は、上述の第２実施形態に係る画像表示装置用素子２０に素子５と素子６を追加した画像表示装置用素である。よって、ここでは、第２実施形態と異なる部分である素子５と素子６とについて説明する。
【００１９】
（素子５）
素子５は、第４透過光Ｔ４のうち特定の波長域の光を吸収または反射光吸収部材ＡＢ２に向けて反射し、その他の波長域の光を透過する素子であって、例えば、誘電体多層膜を備えた光学フィルターである。
素子５は、第２光学ユニットＵ２の光源ＬＳ側とは反対の側であって、入射光Ｌの光軸上に配置されている。つまり、素子５は、観察者ＯＢ側から見て、第２光学ユニットＵ２と重なっている。また、素子５の第２光学ユニットＵ２側の面は、入射光Ｌの光軸に対して傾斜している。このため、素子５で反射した光である第５反射光Ｒ５は、観察者ＯＢ方向とは異なる方向に進行する。よって、観察者ＯＢは、第５反射光Ｒ５を視認することはない。
素子５に、傾斜角を変化させたとき、所望の波長軸上の反射−減衰特性（反射−透過特性）を得られるように、誘電体多層膜を備えた光学フィルターを選んでいる。
なお、素子５が第４透過光Ｔ４のうち特定の波長域の光を吸収する場合には、素子５の表示側の面を入射光Ｌの光軸に対して傾斜させる必要はない。
【００２０】
（素子６）
素子６は、第５透過光Ｔ５のうち特定の波長域の光を素子５方向に向けて反射し、その他の波長域の光を透過する素子であって、例えば、誘電体多層膜を備えた光学フィルターや構造色を発現する高分子膜である。なお、図３では、素子６によって反射された光を「第６反射光Ｒ６」と表記する。
素子６は、素子５の第２光学ユニットＵ２側とは反対の側に配置されている。また、素子６の素子５側の面は、入射光Ｌの光軸に対してほぼ直交するように配置されている。つまり、素子５と素子６とは、入射光Ｌの光軸上に配置されており、素子６は、観察者ＯＢ側から見て、第２光学ユニットＵ２と素子５と重なっている。
以降、素子５と素子６とを備えた光学ユニットを、第３光学ユニットＵ３という。換言すると、第３光学ユニットＵ３（画像表示装置用素子）は、光吸収と光透過との境界波長または斜め方向への反射と光透過との境界波長が可変であるまたは固定である第５の光学素子と、反射する波長域が可変であるまたは固定である素子６とを、素子５の前記境界波長と素子６の前記波長域との少なくとも一方が可変である組合せで、且つ、素子５を透過した光が素子６に入射される位置関係に配置した構成をさらに備え、素子５の前記境界波長は、素子１の前記境界波長及び素子３の前記境界波長とそれぞれ異なり、素子６の前記波長域は、素子２の前記波長域及び素子４の前記波長域とそれぞれ異なり、素子５の前記境界波長及び素子６の前記波長域のうちの少なくとも一つを変化させて、素子５の光透過帯域と素子６の光反射帯域との重なりを制御することにより、素子６を反射してくる光の帯域とその光量とを変化させる。
【００２１】
なお、本実施形態では、素子６は特定の波長域の光（第６透過光Ｔ６）を透過する場合について説明したが、本発明はこれに限定されるものではない。例えば、素子６は、可視光の全波長域の光を反射する素子であってもよい。つまり、素子６は、鏡であってもよい。換言すると、本実施形態において、第６透過光Ｔ６はあってもよいし、なくてもよい。
【００２２】
［その他の実施形態］
本発明は、上述の各実施形態に限定されるものでない。例えば、本発明は、上述の各実施形態に係る光学ユニットを、内壁を黒色にした収納容器内に収納した形態であってもよい。この場合、収納容器の底面が透過光吸収部材ＡＢ１の役割を果たし、その側面が反射光吸収部材ＡＢ２の役割を果たす。
【００２３】
以下、画像表示装置用素子３０を用いた第１発色機構〜第６発色機構を、図４〜９を用いて説明する。
［第１発色機構］
図４は、画像表示装置用素子３０に備わる素子１〜素子６の各反射−透過特性を示す図である。以下、素子１〜素子６の各反射−透過特性及び第１光学ユニットＵ１〜第３光学ユニットＵ３の発色特性について説明する。
【００２４】
（素子１の反射−透過特性）
図４に示した波長軸上の反射−透過特性のうち、一番上は、素子１の反射−透過特性を示す。図中の実線は、素子１の入射面を入射光Ｌの光軸に対して直交するように配置した場合の素子１の反射率を示す。素子１の入射面を入射光Ｌの光軸に対して直交するように配置した場合、素子１の反射率は、波長が４８８ｎｍ以下の光ではほぼ１００％であり、波長が５０４ｎｍ以上の光ではほぼ０％である。そして、波長が４８８ｎｍより長く５０４ｎｍより短い波長域、即ち境界波長域では、波長が長くなるにしたがい、素子１の反射率は徐々に低下する。
【００２５】
図中の破線ＤＬ１は、素子１の入射面を入射光Ｌの光軸に対して２０°程度傾けて配置した場合の素子１の反射率を示す。
また、図中の破線ＤＬ２は、素子１の入射面を入射光Ｌの光軸に対して６０°程度傾けて配置した場合の素子１の反射率を示す。素子１の入射面を入射光Ｌの光軸に対して６０°程度傾けた場合、素子１の反射率は、波長が４２０ｎｍ以下の光ではほぼ１００％であり、波長が４６５ｎｍ以上の光ではほぼ０％である。そして、波長が４２０ｎｍより長く４６５ｎｍより短い波長域、即ち境界波長域では、波長が長くなるにしたがい、素子１の反射率は徐々に低下する。
つまり、素子１の入射面を入射光Ｌの光軸に対して傾けることにより、入射光Ｌの透過波長を短波長側にシフトさせることができる。
【００２６】
（素子２の反射−透過特性）
図４に示した波長軸上の反射−透過特性のうち、上から２番目は、素子２の反射−透過特性を示す。図中の実線は、素子２の入射面を入射光Ｌの光軸に対して直交するように配置した場合の素子２の反射率を示す。素子２の入射面を入射光Ｌの光軸に対して直交するように配置した場合、素子２の反射率は、波長が４５８ｎｍ以下の光ではほぼ１００％であり、波長が４７０ｎｍ以上の光ではほぼ０％である。そして、波長が４５８ｎｍより長く４７０ｎｍより短い波長域、即ち境界波長域では、波長が長くなるに従い、素子２の反射率は徐々に低下する。
【００２７】
（第１光学ユニットＵ１の発色特性）
上述の素子１と素子２とを備えた場合の第１光学ユニットＵ１の発色特性について、説明する。
素子１の入射面が入射光Ｌの光軸に対して６０°程度傾いた状態にある第１光学ユニットＵ１に光源ＬＳからの光Ｌが入射すると、入射光Ｌのうち波長が４３０ｎｍ付近の光（青Ｂ）は素子１を透過し、素子２で観察者ＯＢ側に反射（ブラッグ反射）される。ここで、素子２で反射した４３０ｎｍ付近の光（青Ｂ）は、素子１を透過する。このため、観察者ＯＢは、第２反射光Ｒ２である４３０ｎｍ付近の光（青Ｂ）を視認することができる。
【００２８】
なお、入射光Ｌのうち波長が４２０ｎｍよりも短い光（第１反射光Ｒ１）は、素子１で反射光吸収部材ＡＢ２方向に反射（ブラッグ反射）されて吸収される。このため、観察者ＯＢは、第１反射光Ｒ１である４２０ｎｍよりも短い光を視認することができない。ここで、図４には、第１反射光Ｒ１に付随する傾いた矢印が示されているが、この傾いた矢印は、第１反射光Ｒ１が反射光吸収部材ＡＢ２方向に斜めに反射されることを意味するものである。
また、入射光Ｌのうち波長が４７０ｎｍよりも長い光は、素子１及び素子２をそれぞれ透過し、第２光学ユニットＵ２を構成する素子３に入射される。
ここで、第１光学ユニットＵ１のみを備える画像表示装置用素子１０の場合、第１光学ユニットＵ１を透過した第２透過光Ｔ２は、透過光吸収部材ＡＢ１で吸収される。このため、観察者ＯＢは、第２透過光Ｔ２を視認することができない。よって、観察者ＯＢは、第２反射光Ｒ２である４３０ｎｍ付近の光（青Ｂ）のみを視認することができる。
また、素子１の境界波長を変化させて、素子１の光透過帯域と素子２の光反射帯域との重ね合わせ量を変化させることで、反射する帯域とその光量が変化し、素子１の光透過帯域と素子２の光反射帯域との重なりを無くすことで、観察者ＯＢ方向に進む光を絞り遮断することができる。
【００２９】
つまり、本発色機構に基づく画像表示装置用素子は、短波長側には光吸収特性または斜め方向への光反射特性を、長波長側には光透過特性を持ち、これら特性の境界波長が可変である素子１と、短波長側には光反射特性を、長波長側には光透過特性を持ち、これら特性の境界波長が固定である素子２と、を備え、光源から発した光は素子１へ向かい、素子１は前記短波長側の光を吸収または斜め方向へ反射し、素子１を透過した光は素子２へ届き、素子２は素子２に届いた光のうち特定の波長領域の光を反射し、その光は素子１へ向かい、素子１を透過して、観察者方向に進む構成をしている。
【００３０】
（素子３の反射−透過特性）
図４に示した波長軸上の反射−透過特性のうち、上から３番目は、素子３の反射−透過特性を示す。図中の実線は、素子３の入射面を入射光Ｌの光軸に対して直交するように配置した場合の素子３の反射率を示す。素子３の入射面を入射光Ｌの光軸に対して直交するように配置した場合、素子３の反射率は、波長が５９３ｎｍ以下の光ではほぼ１００％であり、波長が６０４ｎｍ以上の光ではほぼ０％である。そして、波長が５９３ｎｍより長く６０４ｎｍより短い波長域、即ち境界波長域では、波長が長くなるにしたがい、素子３の反射率は徐々に低下する。
【００３１】
図中の破線ＤＬ３は、素子３の入射面を入射光Ｌの光軸に対して２０°程度傾けて配置した場合の素子３の反射率を示す。
また、図中の破線ＤＬ４は、素子３の入射面を入射光Ｌの光軸に対して６０°程度傾けて配置した場合の素子３の反射率を示す。素子３の入射面を入射光Ｌの光軸に対して６０°程度傾けた場合、素子３の反射率は、波長が５００ｎｍ以下の光ではほぼ１００％であり、波長が５６０ｎｍ以上の光ではほぼ０％である。そして、波長が５００ｎｍより長く５６０ｎｍより短い波長域、即ち境界波長域では、波長が長くなるにしたがい、素子３の反射率は徐々に低下する。
つまり、素子３の入射面を入射光Ｌの光軸に対して傾けることにより、入射光Ｌの透過波長を短波長側にシフトさせることができる。
【００３２】
（素子４の反射−透過特性）
図４に示した波長軸上の反射−透過特性のうち、上から４番目は、素子４の反射−透過特性を示す。図中の実線は、素子４の入射面を入射光Ｌの光軸に対して直交するように配置した場合の素子４の反射率を示す。素子４の入射面を入射光Ｌの光軸に対して直交するように配置した場合、素子４の反射率は、波長が５３２ｎｍ付近の光ではほぼ１００％であり、波長が５０２ｎｍ以下及び５６２ｎｍ以上の光ではほぼ０％である。また、反射帯域の半値幅は、４０ｎｍである。
【００３３】
（第２光学ユニットＵ２の発色特性）
上述の素子３と素子４とを備えた場合の第２光学ユニットＵ２の発色特性について、説明する。
素子３の入射面が入射光Ｌの光軸に対して６０°程度傾いた状態にある第２光学ユニットＵ２に、上述の第１光学ユニットＵ１を透過した第２透過光Ｔ２が入射すると、第２透過光Ｔ２のうち波長が５３２ｎｍ付近の光（緑Ｇ）は素子３を透過し、素子４で観察者ＯＢ側に反射される。ここで、素子４で反射した５３２ｎｍ付近の光（緑Ｇ）は、素子３及び第１光学ユニットＵ１を透過する。このため、観察者ＯＢは、第４反射光Ｒ４である５３２ｎｍ付近の光（緑Ｇ）を視認することができる。
【００３４】
なお、第２透過光Ｔ２のうち波長が５００ｎｍよりも短い光（第３反射光Ｒ３）は、素子３で反射光吸収部材ＡＢ２方向に反射されて吸収される。このため、観察者ＯＢは、第３反射光Ｒ３である５００ｎｍよりも短い光を視認することができない。ここで、図４には、第３反射光Ｒ３に付随する傾いた矢印が示されているが、この傾いた矢印は、第３反射光Ｒ３が反射光吸収部材ＡＢ２方向に斜めに反射されることを意味するものである。
また、第２透過光Ｔ２のうち波長が５６２ｎｍよりも長い光は、素子３及び素子４をそれぞれ透過し、第３光学ユニットＵ３を構成する素子５に入射される。
ここで、第１光学ユニットＵ１及び第２光学ユニットＵ２を備える画像表示装置用素子２０の場合、第２光学ユニットＵ２を透過した第４透過光Ｔ４は、透過光吸収部材ＡＢ１で吸収される。このため、観察者ＯＢは、第４透過光Ｔ４を視認することができない。よって、観察者ＯＢは、第２反射光Ｒ２である４３０ｎｍ付近の光（青Ｂ）と、第４反射光Ｒ４である５３２ｎｍ付近の光（緑Ｇ）との合成色である水色を視認することができる。
【００３５】
つまり、本発色機構に基づく画像表示装置用素子は、短波長側には光吸収特性または斜め方向への光反射特性を、長波長側には光透過特性を持ち、これら特性の境界波長が可変である素子３と、短波長側には光反射特性を、長波長側には光透過特性を持ち、これら特性の境界波長が固定である素子４と、をさらに備え、光源から発し、素子１及び素子２を透過した光は素子３へ向かい、素子３は前記短波長側の光を吸収または斜め方向へ反射し、素子３を透過した光は素子４へ届き、素子４は素子４に届いた光のうち特定の波長領域の光を反射し、その光は素子３へ向かい、素子３、素子２及び素子１を透過して、観察者方向に進む構成である。
【００３６】
（素子５の反射−透過特性）
図４に示した波長軸上の反射−透過特性のうち、上から５番目は、素子５の反射−透過特性を示す。図中の実線は、素子５の入射面を入射光Ｌの光軸に対して直交するように配置した場合の素子５の反射率を示す。素子５の入射面を入射光Ｌの光軸に対して直交するように配置した場合、素子５の反射率は、波長が７１５ｎｍ以下の光ではほぼ１００％であり、波長が７２５ｎｍ以上の光ではほぼ０％である。そして、波長が７１５ｎｍより長く７２５ｎｍより短い波長域、即ち境界波長域では、波長が長くなるにしたがい、素子３の反射率は徐々に低下する。
【００３７】
図中の破線ＤＬ５は、素子５の入射面を入射光Ｌの光軸に対して２０°程度傾けて配置した場合の素子５の反射率を示す。
また、図中の破線ＤＬ６は、素子５の入射面を入射光Ｌの光軸に対して６０°程度傾けて配置した場合の素子５の反射率を示す。素子５の入射面を入射光Ｌの光軸に対して６０°程度傾けた場合、素子５の反射率は、波長が６００ｎｍ以下の光ではほぼ１００％であり、波長が６６０ｎｍ以上の光ではほぼ０％である。そして、波長が６００ｎｍより長く６６０ｎｍより短い波長域、即ち境界波長域では、波長が長くなるにしたがい、素子１の反射率は徐々に低下する。
つまり、素子５の入射面を入射光Ｌの光軸に対して傾けることにより、入射光Ｌの透過波長を短波長側にシフトさせることができる。
【００３８】
（素子６の反射−透過特性）
図４に示した波長軸上の反射−透過特性のうち、上から６番目（一番下）は、素子６の反射−透過特性を示す。図中の実線は、素子６の入射面を入射光Ｌの光軸に対して直交するように配置した場合の素子６の反射率を示す。素子６の入射面を入射光Ｌの光軸に対して直交するように配置した場合、素子６の反射率は、波長が６５０ｎｍ以上の光ではほぼ１００％であり、波長が６３４ｎｍ以下の光ではほぼ０％である。そして、波長が６３４ｎｍより長く６５０ｎｍより短い波長域、即ち境界波長域では、波長が長くなるにしたがい、素子６の反射率は徐々に上昇する。なお、素子６は、上述したように、反射帯域と透過帯域の両方を備えるものであってもよいし、反射帯域のみを備えるものであってもよい。つまり、素子６は、鏡であってもよい。
【００３９】
（第３光学ユニットＵ３の発色特性）
上述の素子５と素子６とを備えた場合の第３光学ユニットＵ３の発色特性について、説明する。
素子５の入射面が入射光Ｌの光軸に対して６０°程度傾いた状態にある第３光学ユニットＵ３に、上述の第２光学ユニットＵ２を透過した第４透過光Ｔ４が入射すると、第４透過光Ｔ４のうち波長が７００ｎｍ付近の光（赤Ｒ）は、素子５を透過し、素子６で観察者ＯＢ側に反射される。ここで、素子６で反射した７００ｎｍ付近の光（赤Ｒ）は、素子５、第２光学ユニットＵ２及び第１光学ユニットＵ１を透過する。このため、観察者ＯＢは、第６反射光Ｒ６である７００ｎｍ付近の光（赤Ｒ）を視認することができる。
【００４０】
なお、第４透過光Ｔ４のうち波長が６００ｎｍよりも短い光（第５反射光Ｒ５）は、素子５で反射光吸収部材ＡＢ２方向に反射されて吸収される。このため、観察者ＯＢは、第５反射光Ｒ５である６００ｎｍよりも短い光を視認することができない。ここで、図４には、第５反射光Ｒ５に付随する傾いた矢印が示されているが、この傾いた矢印は、第５反射光Ｒ５が反射光吸収部材ＡＢ２方向に斜めに反射されることを意味するものである。
ここで、第１光学ユニットＵ１、第２光学ユニットＵ２及び第３光学ユニットＵ３を備える画像表示装置用素子３０の場合、第３光学ユニットＵ３を透過した第６透過光Ｔ６は、透過光吸収部材ＡＢ１で吸収される。このため、観察者ＯＢは、第６透過光Ｔ６を視認することができない。よって、観察者ＯＢは、第２反射光Ｒ２である４３０ｎｍ付近の光（青Ｂ）と、第４反射光Ｒ４である５３２ｎｍ付近の光（緑Ｇ）と、第６反射光Ｒ６である７００ｎｍ付近の光（赤Ｒ）との合成色である白色を視認することができる。
【００４１】
つまり、本発色機構に基づく画像表示装置用素子は、短波長側には光吸収特性または斜め方向への光反射特性を、長波長側には光透過特性を持ち、これら特性の境界波長が可変である素子５と、短波長側には光反射特性を、長波長側には光透過特性を持ち、これら特性の境界波長が固定である素子６と、をさらに備え、光源から発し、素子１、素子２、素子３及び素子４を透過した光は素子５へ向かい、素子５は前記短波長側の光を吸収または斜め方向へ反射し、素子５を透過した光は素子６へ届き、素子６は素子６に届いた光のうち特定の波長領域の光を反射し、その光は素子５へ向かい、素子５、素子４、素子３、素子２及び素子１を透過して、観察者方向に進む構成である。
【００４２】
図４に示す画像表示装置用素子では、青色Ｂ、緑色Ｇ、赤色Ｒの順、即ち波長の短い方から順に光を反射させて、フルカラーを表現している。つまり、青色Ｂを発色する第１光学ユニットＵ１は、青色Ｂの波長域の光を、観察者ＯＢが視認できる方向への反射と、観察者ＯＢが視認できない方向への反射とを切り換えている。また、第１光学ユニットＵ１は、青色Ｂより長い波長の光を、次段の第２光学ユニットＵ２へ送っている。
緑色Ｇを発色する第２光学ユニットＵ２は、緑色Ｇの波長域の光を、観察者ＯＢが視認できる方向への反射と、観察者ＯＢが視認できない方向への反射とを切り換えている。また、第２光学ユニットＵ２は、緑色Ｇより長い波長の光を、次段の第３光学ユニットＵ３へ送っている。
赤色Ｒを発色する第３光学ユニットＵ３は、赤色Ｒの波長域の光を、観察者ＯＢが視認できる方向への反射と、観察者ＯＢが視認できない方向への反射とを切り換えている。また、第３光学ユニットＵ３は、後段へ光を送る必要がないので、素子６は鏡でもよい。なお、素子６は、素子５の斜め方向への反射と光透過との境界波長の可変範囲と同じ波長範囲が鏡として機能する素子ならよい。
【００４３】
（変形例）
上述の第１発色機構では、第１光学ユニットＵ１のみを備える画像表示装置用素子１０において、第１光学ユニットＵ１を構成する素子として素子１及び素子２を組み合わせ、第１光学ユニットＵ１で青色を発色させる場合について説明したが、本発明はこれに限定されるものではない。第１光学ユニットＵ１を構成する素子として素子３及び素子４を組み合わせ、第１光学ユニットＵ１で緑色を発色させてもよい。また、第１光学ユニットＵ１を構成する素子として素子５及び素子６を組み合わせ、第１光学ユニットＵ１で赤色を発色させてもよい。
【００４４】
また、第１光学ユニットＵ１及び第２光学ユニットＵ２を備える画像表示装置用素子２０において、第１光学ユニットＵ１を構成する素子として素子１及び素子２を組み合わせ、第１光学ユニットＵ１で青色を発色させ、第２光学ユニットＵ２を構成する素子として素子３及び素子４を組み合わせ、第２光学ユニットＵ２で緑色を発色させる場合について説明したが、本発明はこれに限定されるものではない。第１光学ユニットＵ１で緑色を発色させ、第２光学ユニットＵ２で赤色を発色させてもよい。また、第１光学ユニットＵ１で青色を発色させ、第２光学ユニットＵ２で赤色を発色させてもよい。
【００４５】
なお、上述の素子１〜素子６の反射帯域及び透過帯域の具体的な数値は、便宜的に用いたものであり、本願発明は当該数値に限定されるものではない。要は、素子１は青色の光よりも波長の長い光を透過する素子であり、素子２は青色の光を反射する素子であればよい。また、素子３は緑色の光よりも波長の長い光を透過する素子であり、素子４は緑色の光を反射する素子であればよい。また、素子５は赤色の光よりも波長の長い光を透過する素子であり、素子６は赤色の光を反射する素子であればよい。
【００４６】
［第２発色機構］
上述の第１発色機構では、第１光学ユニットＵ１に備わる素子２で青色の光を反射し、第２光学ユニットＵ２に備わる素子４で緑色の光を反射し、第３光学ユニットＵ３に備わる素子６で赤色の光を反射した場合について説明したが、本発明は、これに限定されるものではない。例えば、図５に示すように、第１光学ユニットＵ１で赤色の光を、第２光学ユニットＵ２で緑色の光を、第３光学ユニットＵ３で青色の光を、それぞれ観察者ＯＢ側に反射し、各色を観察者ＯＢに視認させてもよい。要は、素子１は赤色の光よりも波長の短い光を透過する素子であり、素子２は赤色の光を反射する素子であればよい。また、素子３は緑色の光よりも波長の短い光を透過する素子であり、素子４は緑色の光を反射する素子であればよい。また、素子５は青色の光よりも波長の短い光を透過する素子であり、素子６は青色の光を反射する素子であればよい。
なお、本発色機構の基本原理は、第１発色機構の基本原理と同じである。よって、ここでは、本発色機構についての説明は省略する。
【００４７】
つまり、本発色機構に基づく画像表示装置用素子は、長波長側には光吸収特性または斜め方向への光反射特性を、短波長側には光透過特性を持ち、これら特性の境界波長が可変である素子１と、長波長側には光反射特性を、短波長側には光透過特性を持ち、これら特性の境界波長が固定である素子２と、を備え、光源から発した光は素子１へ向かい、素子１は前記長波長側の光を吸収または斜め方向へ反射し、素子１を透過した光は素子２へ届き、素子２は素子２に届いた光のうち特定の波長領域の光を反射し、その光は素子１へ向かい、素子１を透過して、観察者方向に進む構成である。
また、本発色機構に基づく画像表示装置用素子は、長波長側には光吸収特性または斜め方向への光反射特性を、短波長側には光透過特性を持ち、これら特性の境界波長が可変である素子３と、長波長側には光反射特性を、短波長側には光透過特性を持ち、これら特性の境界波長が固定である素子４と、を備え、光源から発し、素子１及び素子２を透過した光は素子３へ向かい、素子３は前記長波長側の光を吸収または斜め方向へ反射し、素子３を透過した光は素子４へ届き、素子４は素子４に届いた光のうち特定の波長領域の光を反射し、その光は素子３へ向かい、素子３、素子２及び素子１を透過して、観察者方向に進む構成である。
また、本発色機構に基づく画像表示装置用素子は、長波長側には光吸収特性または斜め方向への光反射特性を、短波長側には光透過特性を持ち、これら特性の境界波長が可変である素子５と、長波長側には光透過特性を、短波長側には光反射特性を持ち、これら特性の境界波長が固定である素子６と、を備え、光源から発し、素子１、素子２、素子３及び素子４を透過した光は素子５へ向かい、素子５は前記長波長側の光を吸収または斜め方向へ反射し、素子５を透過した光は素子６へ届き、素子６は素子６に届いた光のうち特定の波長領域の光を反射し、その光は素子５へ向かい、素子５、素子４、素子３、素子２及び素子１を透過して、観察者方向に進む構成である。
【００４８】
［第３発色機構］
上述の第１発色機構では、第１光学ユニットＵ１に備わる素子１の反射−透過特性を変化させることで青色の光を反射し、第２光学ユニットＵ２に備わる素子３の反射−透過特性を変化させることで緑色の光を反射し、第３光学ユニットＵ３に備わる素子５の反射−透過特性を変化させることで赤色の光を反射した場合について説明した。また、上述の第２発色機構では、第１光学ユニットＵ１に備わる素子１の反射−透過特性を変化させることで赤色の光を反射し、第２光学ユニットＵ２に備わる素子３の反射−透過特性を変化させることで緑色の光を反射し、第３光学ユニットＵ３に備わる素子５の反射・−透過特性を変化させることで青色の光を反射した場合について説明した。しかし、本発明は、これらに限定されるものではない。例えば、図６に示すように、素子１、素子３及び素子５の吸収−透過特性を固定し、第１光学ユニットＵ１に備わる素子２の反射−透過特性を変化させることで青色の光を反射し、第２光学ユニットＵ２に備わる素子４の反射−透過特性を変化させることで緑色の光を反射し、第３光学ユニットＵ３に備わる素子６の反射−透過特性を変化させることで赤色の光を反射し、それぞれの色を観察者ＯＢに視認させてもよい。また、本発明では、素子１、素子３及び素子５で、特定の波長域の光をそれぞれ吸収してもよい。
なお、本発色機構の基本原理は、上述の各発色機構の基本原理と同じである。よって、ここでは、本発色機構についての説明は省略する。
【００４９】
また、素子２、素子４、素子６の各素子の反射帯域を変化させる際には、例えば、各素子に電圧を印可して、各素子の厚さを変化させてもよい。また、各素子を厚さ方向に、押し付けて又は引っ張って、各素子の厚さを変化させてもよい。また、各素子を厚さ方向と交差する方向に、押し付けて又は引っ張って、各素子の厚さを変化させてもよい。
また、素子２、素子４及び素子６の反射帯域の幅は、画像表示装置用素子として必要な光量が得られるような幅に設定する必要がある。
また、本発色機構であれば、素子２の境界波長を変化させて、素子１の光透過帯域と素子２の光反射帯域との重ね合わせ量を変化させることで、反射する帯域とその光量が変化し、素子１の光透過帯域と素子２の光反射帯域との重なりを無くすことで、観察者ＯＢ方向に進む光を絞り遮断することができる。
【００５０】
つまり、本発色機構に基づく画像表示装置用素子は、短波長側には光吸収特性または斜め方向への光反射特性を、長波長側には光透過特性を持ち、これら特性の境界波長が固定である素子１と、短波長側には光反射特性を、長波長側には光透過特性を持ち、これら特性の境界波長が可変である素子２と、を備え、光源から発した光は素子１へ向かい、素子１は前記短波長側の光を吸収または斜め方向へ反射し、素子１を透過した光は素子２へ届き、素子２は素子２に届いた光のうち特定の波長領域の光を反射し、その光は素子１へ向かい、素子１を透過して、観察者方向に進む構成である。
また、本発色機構に基づく画像表示装置用素子は、短波長側には光吸収特性または斜め方向への光反射特性を、長波長側には光透過特性を持ち、これら特性の境界波長が固定である素子３と、短波長側には光反射特性を、長波長側には光透過特性を持ち、これら特性の境界波長が可変である素子４と、を備え、光源から発し、素子１及び素子２を透過した光は素子３へ向かい、素子３は前記短波長側の光を吸収または斜め方向へ反射し、素子３を透過した光は素子４へ届き、素子４は素子４に届いた光のうち特定の波長領域の光を反射し、その光は素子３へ向かい、素子３、素子２及び素子１を透過して、観察者方向に進む構成である。
また、本発色機構に基づく画像表示装置用素子は、短波長側には光吸収特性または斜め方向への光反射特性を、長波長側には光透過特性を持ち、これら特性の境界波長が固定である素子５と、短波長側には光反射特性を、長波長側には光透過特性を持ち、これら特性の境界波長が可変である素子６と、を備え、光源から発し、素子１、素子２、素子３及び素子４を透過した光は素子５へ向かい、素子５は前記短波長側の光を吸収または斜め方向へ反射し、素子５を透過した光は素子６へ届き、素子６は素子６に届いた光のうち特定の波長領域の光を反射し、その光は素子５へ向かい、素子５、素子４、素子３、素子２及び素子１を透過して、観察者方向に進む構成である。
【００５１】
［第４発色機構］
上述の第３発色機構では、第１光学ユニットＵ１に備わる素子２で青色の光を反射し、第２光学ユニットＵ２に備わる素子４で緑色の光を反射し、第３光学ユニットＵ３に備わる素子６で赤色の光を反射した場合について説明したが、本発明は、これに限定されるものではない。例えば、図７に示すように、素子２、素子４及び素子６の反射−透過特性を変化させて、第１光学ユニットＵ１で赤色の光を、第２光学ユニットＵ２で緑色の光を、第３光学ユニットＵ３で青色の光を、それぞれ観察者ＯＢ側に反射し、各色を観察者ＯＢに視認させてもよい。
なお、本発色機構の基本原理は、上述の各発色機構の基本原理と同じである。よって、ここでは、本発色機構についての説明は省略する。
【００５２】
つまり、本発色機構に基づく画像表示装置用素子は、長波長側には光吸収特性または斜め方向への光反射特性を、短波長側には光透過特性を持ち、これら特性の境界波長が固定である素子１と、長波長側には光反射特性を、短波長側には光透過特性を持ち、これら特性の境界波長が可変である素子２と、を備え、光源から発した光は素子１へ向かい、素子１は前記長波長側の光を吸収または斜め方向へ反射し、素子１を透過した光は素子２へ届き、素子２は素子２に届いた光のうち特定の波長領域の光を反射し、その光は素子１へ向かい、素子１を透過して、観察者方向に進む構成である。
また、本発色機構に基づく画像表示装置用素子は、長波長側には光吸収特性または斜め方向への光反射特性を、短波長側には光透過特性を持ち、これら特性の境界波長が固定である素子３と、長波長側には光反射特性を、短波長側には光透過特性を持ち、これら特性の境界波長が可変である素子４と、を備え、光源から発し、素子１及び素子２を透過した光は素子３へ向かい、素子３は前記長波長側の光を吸収または斜め方向へ反射し、素子３を透過した光は素子４へ届き、素子４は素子４に届いた光のうち特定の波長領域の光を反射し、その光は素子３へ向かい、素子３、素子２及び素子１を透過して、観察者方向に進む構成である。
また、本発色機構に基づく画像表示装置用素子は、長波長側には光吸収特性または斜め方向への光反射特性を、短波長側には光透過特性を持ち、これら特性の境界波長が固定である素子５と、長波長側には光反射特性を、短波長側には光透過特性を持ち、これら特性の境界波長が可変である素子６と、を備え、光源から発し、素子１、素子２、素子３及び素子４を透過した光は素子５へ向かい、素子５は前記長波長側の光を吸収または斜め方向へ反射し、素子５を透過した光は素子６へ届き、素子６は素子６に届いた光のうち特定の波長領域の光を反射し、その光は素子５へ向かい、素子５、素子４、素子３、素子２及び素子１を透過して、観察者方向に進む構成である。
【００５３】
［第５発色機構］
上述の第１発色機構、第３発色機構では、第１光学ユニットＵ１に備わる素子１と素子２のいずれか一方の反射−透過特性を変化させることで青色の光を反射し、第２光学ユニットＵ２に備わる素子３と素子４のいずれか一方の反射−透過特性を変化させることで緑色の光を反射し、第３光学ユニットＵ３に備わる素子５と素子６のいずれか一方の反射−透過特性を変化させることで赤色の光を反射した場合について説明した。また、上述の第２発色機構、第４発色機構では、第１光学ユニットＵ１に備わる素子１と素子２のいずれか一方の反射−透過特性を変化させることで赤色の光を反射し、第２光学ユニットＵ２に備わる素子３と素子４のいずれか一方の反射−透過特性を変化させることで緑色の光を反射し、第３光学ユニットＵ３に備わる素子５と素子６のいずれか一方の反射−透過特性を変化させることで青色の光を反射した場合について説明した。しかし、本発明は、これに限定されるものではない。例えば、図８に示すように、第１光学ユニットＵ１に備わる素子１と素子２の両方の反射−透過特性を変化させることで青色の光を反射し、第２光学ユニットＵ２に備わる素子３と素子４の両方の反射−透過特性を変化させることで緑色の光を反射し、第３光学ユニットＵ３に備わる素子５と素子６の両方の反射−透過特性を変化させることで赤色の光を反射し、それぞれの色を観察者ＯＢに視認させてもよい。
【００５４】
つまり、本発色機構に基づく画像表示装置用素子は、短波長側には光吸収特性または斜め方向への光反射特性を、長波長側には光透過特性を持ち、これら特性の境界波長が可変である素子１と、短波長側には光反射特性を、長波長側には光透過特性を持ち、これら特性の境界波長が可変である素子２と、を備え、光源から発した光は素子１へ向かい、素子１は前記短波長側の光を吸収または斜め方向へ反射し、素子１を透過した光は素子２へ届き、素子２は素子２に届いた光のうち特定の波長領域の光を反射し、その光は素子１へ向かい、素子１を透過して、観察者方向に進む構成である。
また、本発色機構に基づく画像表示装置用素子は、短波長側には光吸収特性または斜め方向への光反射特性を、長波長側には光透過特性を持ち、これら特性の境界波長が可変である素子３と、短波長側には光反射特性を、長波長側には光透過特性を持ち、これら特性の境界波長が可変である素子４と、を備え、光源から発し、素子１及び素子２を透過した光は素子３へ向かい、素子３は前記短波長側の光を吸収または斜め方向へ反射し、素子３を透過した光は素子４へ届き、素子４は素子４に届いた光のうち特定の波長領域の光を反射し、その光は素子３へ向かい、素子３、素子２及び素子１を透過して、観察者方向に進む構成である。
また、本発色機構に基づく画像表示装置用素子は、短波長側には光吸収特性または斜め方向への光反射特性を、長波長側には光透過特性を持ち、これら特性の境界波長が可変である素子５と、短波長側には光反射特性を、長波長側には光透過特性を持ち、これら特性の境界波長が可変である素子６と、を備え、光源から発し、素子１、素子２、素子３及び素子４を透過した光は素子５へ向かい、素子５は前記短波長側の光を吸収または斜め方向へ反射し、素子５を透過した光は素子６へ届き、素子６は素子６に届いた光のうち特定の波長領域の光を反射し、その光は素子５へ向かい、素子５、素子４、素子３、素子２及び素子１を透過して、観察者方向に進む構成である。
【００５５】
［第６発色機構］
上述の第５発色機構では、第１光学ユニットＵ１に備わる素子２で青色の光を反射し、第２光学ユニットＵ２に備わる素子４で緑色の光を反射し、第３光学ユニットＵ３に備わる素子６で赤色の光を反射した場合について説明したが、本発明は、これに限定されるものではない。例えば、図９に示すように、素子１及び素子２を備えた第１光学ユニットＵ１で赤色の波長域の光を観察者ＯＢ側に反射し、素子３及び素子４を備えた第２光学ユニットＵ２で緑色の波長域の光を観察者ＯＢ側に反射し、素子５及び素子６を備えた第３光学ユニットＵ３で青色の波長域の光を観察者ＯＢ側に反射し、それぞれの色を観察者ＯＢに視認させてもよい。
【００５６】
つまり、本発色機構に基づく画像表示装置用素子は、長波長側には光吸収特性または斜め方向への光反射特性を、短波長側には光透過特性を持ち、これら特性の境界波長が可変である素子１と、長波長側には光反射特性を、短波長側には光透過特性を持ち、これら特性の境界波長が可変である素子２と、を備え、光源から発した光は素子１へ向かい、素子１は前記長波長側の光を吸収または斜め方向へ反射し、素子１を透過した光は素子２へ届き、素子２は素子２に届いた光のうち特定の波長領域の光を反射し、その光は素子１へ向かい、素子１を透過して、観察者方向に進む構成である。
また、本発色機構に基づく画像表示装置用素子は、長波長側には光吸収特性または斜め方向への光反射特性を、短波長側には光透過特性を持ち、これら特性の境界波長が可変である素子３と、長波長側には光反射特性を、短波長側には光透過特性を持ち、これら特性の境界波長が可変である素子４と、を備え、光源から発し、素子１及び素子２を透過した光は素子３へ向かい、素子３は前記長波長側の光を吸収または斜め方向へ反射し、素子３を透過した光は素子４へ届き、素子４は素子４に届いた光のうち特定の波長領域の光を反射し、その光は素子３へ向かい、素子３、素子２及び素子１を透過して、観察者方向に進む構成である。
また、本発色機構に基づく画像表示装置用素子は、長波長側には光吸収特性または斜め方向への光反射特性を、短波長側には光透過特性を持ち、これら特性の境界波長が可変である素子５と、長波長側には光反射特性を、短波長側には光透過特性を持ち、これら特性の境界波長が可変である素子６と、を備え、光源から発し、素子１、素子２、素子３及び素子４を透過した光は素子５へ向かい、素子５は前記長波長側の光を吸収または斜め方向へ反射し、素子５を透過した光は素子６へ届き、素子６は素子６に届いた光のうち特定の波長領域の光を反射し、その光は素子５へ向かい、素子５、素子４、素子３、素子２及び素子１を透過して、観察者方向に進む構成である。
【００５７】
［その他の発色機構］
本実施形態では、上述のように、第１〜第６の各発光機構について説明したが、本発明はこれに限定されるものではない。例えば、画像表示装置用素子３０に備わる３つの光学ユニットＵ１、Ｕ２、Ｕ３のうち、第１光学ユニットＵ１を第１発光機構で説明した素子１及び素子２で構成し、第２光学ユニットＵ２を第３発光機構で説明した素子３及び素子４で構成し、第３光学ユニットＵ３を第５発光機構で説明した素子５及び素子６で構成してもよい。あるいは、第１光学ユニットＵ１を第２発光機構で説明した素子１及び素子２で構成し、第２光学ユニットＵ２を第４発光機構で説明した素子３及び素子４で構成し、第３光学ユニットＵ３を第６発光機構で説明した素子５及び素子６で構成してもよい。つまり、第１〜第６の各発光機構で説明した各光学ユニットＵ１、Ｕ２、Ｕ３（各素子１、２、３、４、５、６）は適宜組み合わせることができる。そして、各光学ユニットＵ１、Ｕ２、Ｕ３を適宜組み合わせることで、フルカラー表示が可能な画像表示装置用素子１０、２０、３０を構成することができる。
【００５８】
＜その他の用途＞
上述の各実施形態では、可視光の反射−吸収−透過特性を利用した画像表示装置用素子について説明したが、本発明はこれに限定されるものではない。例えば、上述の可視光に換えて電磁波を用いてもよい。この場合には、上述の各光学ユニットＵ１〜Ｕ３を反射素子又はフィルター素子として用いることができる。また、例えば、上述の可視光に換えてガンマ線を用いてもよい。この場合も上述の各光学ユニットＵ１〜Ｕ３を反射素子又はフィルター素子として用いることができる。また、例えば、上述の可視光に換えてエックス線を用いてもよい。この場合も上述の各光学ユニットＵ１〜Ｕ３を反射素子又はフィルター素子として用いることができる。また、例えば、上述の可視光に換えて電波を用いてもよい。この場合も上述の各光学ユニットＵ１〜Ｕ３を反射素子又はフィルター素子として用いることができる。
【００５９】
［第４実施形態］
以下、第４実施形態に係る画像表示装置用素子１２の構成について説明する。図１０は、本発明の第４実施形態に係る画像表示装置用素子１２の構成を示す概念図である。図１０に示すように、画像表示装置用素子１２は、構造色を発現する画像表示装置用素子であって、光源ＬＳが発した光Ｌのうち特定の波長域の光を透過し、その他の波長域の光を斜め方向へ反射または吸収する素子ＢＰＦと、素子ＢＰＦを透過した光である第１透過光ＴＢのうち特定の波長域の光を反射し、その他の波長域の光を透過する素子７と、素子７を透過した光である第２透過光Ｔ７を吸収する透過光吸収部材ＡＢ１と、素子ＢＰＦが斜め方向へ反射した光である第１反射光ＲＢを吸収する反射光吸収部材ＡＢ２と、を備えたものである。以下、上記各構成について説明する。
【００６０】
（素子ＢＰＦ）
素子ＢＰＦは、光源ＬＳから出射され画像表示装置用素子１２に入射する光（入射光）Ｌのうち特定の波長域の光を透過、その他の波長域の光を吸収または反射光吸収部材ＡＢ２に向けて反射する素子であって、例えば、誘電体多層膜を備えた光学フィルターである。
素子ＢＰＦは、画像表示装置用素子１２において、光源ＬＳ側である表示側に配置されている。また、素子ＢＰＦの表示側の面は、入射光Ｌの光軸に対して例えば８０°程度傾斜している。このため、素子ＢＰＦで反射した光である第１反射光ＲＢは、観察者ＯＢ方向とは異なる方向に進行する。よって、観察者ＯＢは、第１反射光ＲＢを視認することはない。
素子ＢＰＦは、入射光Ｌのうち、例えば青Ｂ、緑Ｇ、赤Ｒの少なくとも一つの色の波長域の光を透過し、その他の波長域の光を吸収または反射光吸収部材ＡＢ２に向けて反射するフィルター、所謂マルチバンドパスフィルターを選んでいる。
なお、素子ＢＰＦが入射光Ｌのうち特定の波長域の光を吸収する場合には、素子ＢＰＦの表示側の面を入射光Ｌの光軸に対して傾斜させる必要はない。
【００６１】
（素子７）
素子７は、第１透過光ＴＢのうち特定の波長域の光を素子ＢＰＦ方向に向けて反射し、その他の波長域の光を透過する素子であって、例えば、誘電体多層膜を備えた光学フィルターや構造色を発現する高分子膜である。なお、図１０では、素子７によって観察者ＯＢ方向（素子ＢＰＦ方向）に向けて反射された光を第２反射光Ｒ７⊥と表記し、素子７を透過した光を第２透過光Ｔ７と表記する。
素子７は、素子ＢＰＦの表示側とは反対の側に配置されている。また、素子７の素子ＢＰＦ側の面は、入射光Ｌの光軸に対して直交可能に配置されている。つまり、素子７は、入射光Ｌの光軸上に配置されている。換言すると、素子７は、観察者ＯＢ側から見て、素子ＢＰＦと重なっている。
なお、素子７は、傾きを変化させることができる。図１０（ａ）と図１０（ｂ）とでは、素子７の傾きを変えている。
【００６２】
（透過光吸収部材ＡＢ１）
透過光吸収部材ＡＢ１は、第２透過光Ｔ７を吸収する部材であって、例えば、黒色紙や黒色に表面処理された装置底面である。
透過光吸収部材ＡＢ１は、素子７の素子ＢＰＦ側とは反対の側であって、入射光Ｌの光軸上に配置されている。つまり、透過光吸収部材ＡＢ１は、観察者ＯＢ側から見て、素子ＢＰＦ及び素子７と重なっている。
透過光吸収部材ＡＢ１は、第２透過光Ｔ７を吸収するため、観察者ＯＢは、第２透過光Ｔ７を視認することはない。
【００６３】
（反射光吸収部材ＡＢ２）
反射光吸収部材ＡＢ２は、第１反射光ＲＢを吸収する部材であって、例えば、黒色紙や黒色に表面処理された装置側面である。
反射光吸収部材ＡＢ２は、入射光Ｌの光軸からずれた場所に配置されている。
反射光吸収部材ＡＢ２は、第１反射光ＲＢを吸収するため、観察者ＯＢは、第１反射光ＲＢを視認することはない。
【００６４】
［第５実施形態］
以下、第５実施形態に係る画像表示装置用素子２２の構成について説明する。図１１は、本発明の第５実施形態に係る画像表示装置用素子２２の構成を示す概念図である。図１１に示すように、画像表示装置用素子２２は、構造色を発現する画像表示装置用素子であって、光源ＬＳが発した光Ｌのうち特定の波長域の光を透過し、その他の波長域の光を斜め方向へ反射または吸収する素子ＢＰＦと、素子ＢＰＦを透過した光である第１透過光ＴＢのうち特定の波長域の光を反射し、その他の波長域の光を透過する素子７と、素子７を透過した光である第２透過光Ｔ７のうち特定の波長域の光を反射し、その他の波長域の光を透過する素子８と、素子８を透過した光である第３透過光Ｔ８を吸収する透過光吸収部材ＡＢ１と、素子ＢＰＦが反射した光である第１反射光ＲＢを吸収する反射光吸収部材ＡＢ２と、を備えたものである。つまり、本実施形態に係る画像表示装置用素子２２は、上述の第４実施形態に係る画像表示装置用素子１２に素子８を追加した画像表示装置用素である。よって、ここでは、第４実施形態と異なる部分である素子８について説明する。
【００６５】
（素子８）
素子８は、第２透過光Ｔ７のうち特定の波長域の光を素子７方向に向けて反射し、その他の波長域の光を透過する素子であって、例えば、誘電体多層膜を備えた光学フィルターや構造色を発現する高分子膜である。なお、図１１では、素子８によって観察者ＯＢ方向（素子ＢＰＦ方向）に向けて反射された光を第３反射光Ｒ８⊥と表記し、素子８を透過した光を第３透過光Ｔ８と表記する。
素子８は、素子７の表示側とは反対の側に配置されている。また、素子８の素子７側の面は、入射光Ｌの光軸に対して直交可能に配置されている。つまり、素子８は、入射光Ｌの光軸上に配置されており、観察者ＯＢ側から見て、素子ＢＰＦと素子７と重なっている。
なお、素子８は、傾きを変化させることができる。図１１（ａ）と図１１（ｂ）とでは、素子７の傾きを変えている。
【００６６】
［第６実施形態］
以下、第６実施形態に係る画像表示装置用素子３２の構成について説明する。図１２は、本発明の第６実施形態に係る画像表示装置用素子３２の構成を示す概念図である。図１２に示すように、画像表示装置用素子３２は、構造色を発現する画像表示装置用素子であって、光源ＬＳが発した光Ｌのうち特定の波長域の光を透過し、その他の波長域の光を斜め方向へ反射または吸収する素子ＢＰＦと、素子ＢＰＦを透過した光である第１透過光ＴＢのうち特定の波長域の光を反射し、その他の波長域の光を透過する素子７と、素子７を透過した光である第２透過光Ｔ７のうち特定の波長域の光を反射し、その他の波長域の光を透過する素子８と、素子８を透過した光である第３透過光Ｔ８のうち特定の波長域の光を反射し、その他の波長域の光を透過する素子９と、素子ＢＰＦが反射した光である第１反射光ＲＢを吸収する反射光吸収部材ＡＢ２と、を備えたものである。つまり、本実施形態に係る画像表示装置用素子３２は、上述の第５実施形態に係る画像表示装置用素子２２に素子９を追加し、透過光吸収部材ＡＢ１を除いた画像表示装置用素である。よって、ここでは、第５実施形態と異なる部分である素子９について説明する。
【００６７】
（素子９）
素子９は、第３透過光Ｔ８のうち特定の波長域の光を素子８方向に向けて反射し、その他の波長域の光を透過する素子であって、例えば、誘電体多層膜を備えた光学フィルターや構造色を発現する高分子膜である。なお、図１２では、素子９によって観察者ＯＢ方向（素子ＢＰＦ方向）に向けて反射された光を第４反射光Ｒ９⊥と表記する。
素子９は、素子８の表示側とは反対の側に配置されている。また、素子９の素子８側の面は、入射光Ｌの光軸に対して直交可能に配置されている。つまり、素子９は、入射光Ｌの光軸上に配置されており、観察者ＯＢ側から見て、素子ＢＰＦと素子７と素子８と重なっている。
なお、素子９は、傾きを変化させることができる。図１２（ａ）と図１２（ｂ）とでは、素子７の傾きを変えている。
【００６８】
なお、本実施形態では、素子９は特定の波長域の光（第３透過光Ｔ８）を反射する場合について説明したが、本発明はこれに限定されるものではない。例えば、素子９は、可視光の全波長域の光を反射する素子であってもよい。つまり、素子９は、鏡であってもよい。
【００６９】
［その他の実施形態］
本発明は、上述の各実施形態に限定されるものでない。例えば、本発明は、上述の各実施形態に係る素子を、内壁を黒色にした収納容器内に収納した形態であってもよい。この場合、収納容器の側面が反射光吸収部材ＡＢ２の役割を果たす。
【００７０】
以下、画像表示装置用素子３２を用いた発色機構である第９発色機構〜第１０発色機構を、図１３〜図１４を用いて説明する。
［第９発色機構］
図１３は、画像表示装置用素子３２に備わる素子ＢＰＦ及び素子７〜素子９の各反射−透過特性を示す図である。以下、素子ＢＰＦ及び素子７〜素子９の各反射−透過特性及び素子７〜素子９の発色特性について説明する。
【００７１】
（素子ＢＰＦの反射−透過特性）
図１３に示した波長軸上の反射−透過特性のうち、一番上は、素子ＢＰＦの反射−透過特性を示す。ここで、本発色機構における素子ＢＰＦの反射−透過特性は、第７発色機構で説明した素子ＢＰＦの反射−透過特性と同じであるため、ここでは、その説明を省略する。
【００７２】
（素子７の反射−透過特性）
図１３に示した波長軸上の反射−透過特性のうち、上から２番目は、素子７の反射−透過特性を示す。図中の実線は、素子７の入射面を入射光Ｌの光軸に対して直交するように配置した場合の素子７の反射率を示す。素子７の入射面を入射光Ｌの光軸に対して直交するように配置した場合、素子７の反射率は、波長が４５０ｎｍを中心として、４３５ｎｍ以上４６５ｎｍ以下の光（青Ｂ）ではほぼ１００％であり、それ以外の波長の光ではほぼ０％である。
図中の破線ＤＬは、素子７の入射面を入射光Ｌの光軸に対して４０°程度傾けて配置した場合の素子７の反射率を示す。素子７の入射面を入射光Ｌの光軸に対して４０°程度傾けた場合、素子７の高反射率領域は、短波長側へシフトして、４５０ｎｍ付近の光（青Ｂ）は透過できる。
つまり、素子７の入射面を入射光Ｌの光軸に対して傾けることにより、入射光Ｌの透過波長を短波長側にシフトさせることができる。
【００７３】
（素子７の発色特性）
上述の素子７の発色特性について、説明する。
素子ＢＰＦに光源ＬＳからの光Ｌが入射すると、入射光Ｌのうち波長が４５０ｎｍ付近の光（青Ｂ）は素子ＢＰＦを透過し、素子７で観察者ＯＢ側に反射（ブラッグ反射）される。そして、素子７で反射されたその光は、素子ＢＰＦを透過する。このため、観察者ＯＢは、第２反射光Ｒ７⊥である４５０ｎｍ付近の光（青Ｂ）を視認することができる。
また、素子ＢＰＦを透過した第１透過光ＴＢのうち波長が５１０ｎｍ付近の光（緑Ｇ）及び６５０ｎｍ付近の光（赤Ｒ）は、素子７を透過し、素子８に入射される。
ここで、素子ＢＰＦ及び素子７のみを備える画像表示装置用素子１２の場合、素子７を透過した第２透過光Ｔ７は、図１０（ｂ）に示すように、例えば、透過光吸収部材ＡＢ１で吸収される。このため、観察者ＯＢは、第２透過光Ｔ７を視認することができない。よって、観察者ＯＢは、図１０（ａ）に示すように、第２反射光Ｒ７⊥である４５０ｎｍ付近の光（青Ｂ）のみを視認することができる。
また、素子７の境界波長を変化させて、素子ＢＰＦの光透過帯域と素子７の光反射帯域との重ね合わせ量を変化させることで、反射する帯域とその光量が変化し、素子ＢＰＦの光透過帯域と素子７の光反射帯域との重なりを無くすことで、観察者ＯＢ方向に進む光を絞り遮断することができる。換言すると、素子ＢＰＦの光透過帯域と素子７の光反射帯域との重なりを無くすことで、素子７に入射された光をそのまま透過させることができる。つまり、素子７において４５０ｎｍ付近の光（青Ｂ）を透過させることで、その光を視認できないようにすることもできる。
【００７４】
以上のように、本発色機構に基づく画像表示装置用素子は、少なくとも１つの波長域に光透過特性を、その他の波長域に光吸収特性または斜め方向への光反射特性を持ち、これら特性の境界波長が固定である素子ＢＰＦと、素子ＢＰＦを透過した光のうち最も短波長側に位置する特定の波長域に光反射特性を、その他の波長域に光透過特性を持ち、これら特性の境界波長が可変である素子７と、を備え、光源から発した光は素子ＢＰＦへ向かい、素子ＢＰＦは前記その他の波長域の光を吸収または斜め方向へ反射し、素子ＢＰＦを透過した光は素子７へ届き、素子７は素子７に届いた光のうち最も短波長側に位置する特定の波長領域の光を反射し、その光は素子ＢＰＦへ向かい、素子ＢＰＦを透過して、観察者方向に進む構成をしている。
【００７５】
（素子８の反射−透過特性）
図１３に示した波長軸上の反射−透過特性のうち、上から３番目は、素子８の反射−透過特性を示す。図中の実線は、素子８の入射面を入射光Ｌの光軸に対して直交するように配置した場合の素子８の反射率を示す。素子８の入射面を入射光Ｌの光軸に対して直交するように配置した場合、素子８の反射率は、波長が５１０ｎｍを中心にして、４９５ｎｍ以上５２５ｎｍ以下の光（緑Ｇ）ではほぼ１００％であり、それ以外の波長の光ではほぼ０％である。
図中の破線ＤＬは、素子８の入射面を入射光Ｌの光軸に対して４０°程度傾けて配置した場合の素子８の反射率を示す。素子８の入射面を入射光Ｌの光軸に対して４０°程度傾けた場合、素子８の高反射率領域は、短波長側へシフトして、５１０ｎｍ付近の光（緑Ｇ）は透過できる。
つまり、素子８の入射面を入射光Ｌの光軸に対して傾けることにより、入射光Ｌの透過波長を短波長側にシフトさせることができる。
【００７６】
（素子８の発色特性）
上述の素子８の発色特性について、説明する。
素子８に、上述の素子７を透過した第２透過光Ｔ７が入射すると、第２透過光Ｔ７のうち波長が５１０ｎｍ付近の光（緑Ｇ）は素子８で観察者ＯＢ側に反射される。そして、素子８で反射されたその光は、素子７及び素子ＢＰＦを透過する。このため、観察者ＯＢは、第３反射光Ｒ８⊥である５１０ｎｍ付近の光（緑Ｇ）を視認することができる。
また、第２透過光Ｔ７のうち波長が６５０ｎｍ付近の光（赤Ｒ）は、素子８を透過し、素子９に入射される。
ここで、素子ＢＰＦ、素子７及び素子８を備える画像表示装置用素子２２の場合、素子８を透過した第３透過光Ｔ８は、図１１（ｂ）に示すように、透過光吸収部材ＡＢ１で吸収される。このため、観察者ＯＢは、第３透過光Ｔ８を視認することができない。よって、観察者ＯＢは、図１１（ａ）に示すように、第２反射光Ｒ７⊥である４５０ｎｍ付近の光（青Ｂ）と、第３反射光Ｒ８⊥である５１０ｎｍ付近の光（緑Ｇ）との合成色であるシアンを視認することができる。
また、素子８の境界波長を変化させて、素子７の光透過帯域と素子８の光反射帯域との重ね合わせ量を変化させることで、反射する帯域とその光量が変化し、素子７の光透過帯域と素子８の光反射帯域との重なりを無くすことで、観察者ＯＢ方向に進む光を絞り遮断することができる。換言すると、素子７の光透過帯域と素子８の光反射帯域との重なりを無くすことで、素子８に入射された光をそのまま透過させることができる。つまり、素子８において５１０ｎｍ付近の光（緑Ｇ）を透過させることで、その光を視認できないようにすることもできる。
【００７７】
以上のように、本発色機構に基づく画像表示装置用素子は、特定の波長域に光反射特性を、その他の波長域に光透過特性を持ち、これら特性の境界波長が可変である素子８をさらに備え、光源から発し、素子ＢＰＦ及び素子７を透過した光は素子８へ届き、素子８は素子８に届いた光のうち最も短波長側に位置する特定の波長領域の光を反射し、その光は素子７へ向かい、素子７及び素子ＢＰＦを透過して、観察者方向に進む構成をしている。
【００７８】
（素子９の反射−透過特性）
図１３に示した波長軸上の反射−透過特性のうち、上から４番目は、素子９の反射−透過特性を示す。図中の実線は、素子９の入射面を入射光Ｌの光軸に対して直交するように配置した場合の素子９の反射率を示す。素子９の入射面を入射光Ｌの光軸に対して直交するように配置した場合、素子９の反射率は、波長が６５０ｎｍを中心にして、６３５ｎｍ以上６６５ｎｍ以下の光（赤Ｒ）ではほぼ１００％であり、それ以外の波長の光ではほぼ０％である。
図中の破線ＤＬは、素子９の入射面を入射光Ｌの光軸に対して４０°程度傾けて配置した場合の素子９の反射率を示す。素子９の入射面を入射光Ｌの光軸に対して４０°程度傾けた場合、素子９の高反射率領域は、短波長側へシフトして、６５０ｎｍ付近の光（赤Ｒ）は透過できる
つまり、素子９の入射面を入射光Ｌの光軸に対して傾けることにより、入射光Ｌの透過波長を短波長側にシフトさせることができる。
【００７９】
（素子９の発色特性）
上述の素子９の発色特性について、説明する。
素子９に、上述の素子８を透過した第３透過光Ｔ８が入射すると、第３透過光Ｔ８のうち波長が６５０ｎｍ付近の光（赤Ｒ）は素子９で観察者ＯＢ側に反射される。そして、素子９で反射されたその光は、素子８、素子７及び素子ＢＰＦを透過する。このため、観察者ＯＢは、第４反射光Ｒ９⊥である６５０ｎｍ付近の光（赤Ｒ）を視認することができる。
また、素子９の境界波長を変化させて、素子８の光透過帯域と素子９の光反射帯域との重ね合わせ量を変化させることで、反射する帯域とその光量が変化し、素子８の光透過帯域と素子９の光反射帯域との重なりを無くすことで、観察者ＯＢ方向に進む光を絞り遮断することができる。換言すると、素子８の光透過帯域と素子９の光反射帯域との重なりを無くすことで、素子９に入射された光をそのまま透過させることができる。つまり、素子９において６５０ｎｍ付近の光（赤Ｒ）を透過させることで、その光を視認できないようにすることもできる。
【００８０】
以上のように、素子ＢＰＦ、素子７、素子８及び素子９を光学素子として備える画像表示装置用素子３２の場合、観察者ＯＢは、図１２（ａ）に示すように、第２反射光Ｒ７⊥である光（青Ｂ）と、第３反射光Ｒ８⊥である光（緑Ｇ）と、第４反射光Ｒ９⊥である光（赤Ｒ）とを全て視認することができる。よって、観察者ＯＢは、第２反射光Ｒ７⊥と、第３反射光Ｒ８⊥と、第４反射光Ｒ９⊥との合成色である白色を視認することができる。一方、図１２（ｂ）に示す構成では、観察者ＯＢは、第２反射光Ｒ７⊥と、第４反射光Ｒ９⊥との合成色であるマゼンタ色を視認することができる。
【００８１】
つまり、本発色機構に基づく画像表示装置用素子は、特定の波長域に光反射特性を、その他の波長域に光透過特性を持ち、これら特性の境界波長が可変である素子９をさらに備え、光源から発し、素子ＢＰＦ、素子７及び素子８を透過した光は素子９へ届き、素子９は素子９に届いた光のうち最も短波長側に位置する特定の波長領域の光を反射し、その光は素子８へ向かい、素子８、素子７及び素子ＢＰＦを透過して、観察者方向に進む構成である。
【００８２】
図１２に示す画像表示装置用素子では、青色Ｂ、緑色Ｇ、赤色Ｒの順、即ち波長の短い方から順に光を反射させて、フルカラーを表現している。つまり、青色Ｂを発色する素子７は、青色Ｂの波長域の光を、観察者ＯＢが視認できる方向への反射と、次段の素子８方向への透過とを切り換えている。
緑色Ｇを発色する素子８は、緑色Ｇの波長域の光を、観察者ＯＢが視認できる方向への反射と、次段の素子９方向への透過とを切り換えている。
赤色Ｒを発色する素子９は、赤色Ｒの波長域の光を、観察者ＯＢが視認できる方向への反射と、透過とを切り換えている。
【００８３】
（変形例）
上述の第９発色機構では、素子ＢＰＦと素子７とを備える画像表示装置用素子１２において、青色を発色させる場合について説明したが、本発明はこれに限定されるものではない。素子ＢＰＦと素子８とを組み合わせて、緑色を発色させてもよい。また、素子ＢＰＦと素子９とを組み合わせて、赤色を発色させてもよい。
【００８４】
また、素子ＢＰＦと素子７と素子８とを備える画像表示装置用素子２２において、青色と緑色とを発色させる場合について説明したが、本発明はこれに限定されるものではない。素子ＢＰＦと素子８と素子９とを組み合わせて、素子８で緑色を発色させ、素子９で赤色を発色させてもよい。また、素子ＢＰＦと素子７と素子９とを組み合わせて、素子７で青色を発色させ、素子９で赤色を発色させてもよい。
【００８５】
なお、上述の素子ＢＰＦ及び素子７〜素子９の反射帯域及び透過帯域の具体的な数値は、便宜的に用いたものであり、本願発明は当該数値に限定されるものではない。要は、素子ＢＰＦは特定の波長域の光を透過する素子であり、素子７は青色の光のみを反射する素子であればよい。また、素子８は緑色の光のみを反射する素子であればよい。また、素子９は赤色の光のみを反射する素子であればよい。
【００８６】
［第１０発色機構］
上述の第９発色機構では、素子７で青色の光を反射し、素子８で緑色の光を反射し、素子９で赤色の光を反射した場合について説明したが、本発明は、これに限定されるものではない。例えば、図１４に示すように、素子７で赤色の光を、素子８で緑色の光を、素子９で青色の光を、それぞれ観察者ＯＢ側に反射し、各色を観察者ＯＢに視認させてもよい。要は、素子ＢＰＦは特定の波長域の光を透過する素子であり、素子７は赤色の光を反射する素子であればよい。また、素子８は緑色の光を反射する素子であればよい。また、素子９は青色の光を反射する素子であればよい。また、図示しないが、素子７で青色の光を、素子８で赤色の光を、素子９で緑色の光を、それぞれ観察者ＯＢ側に反射し、各色を観察者ＯＢに視認させてもよい。
なお、本発色機構の基本原理は、第９発色機構の基本原理と同じである。よって、ここでは、本発色機構についての説明は省略する。
【００８７】
つまり、本発色機構に基づく画像表示装置用素子は、少なくとも１つの波長域に光透過特性を、その他の波長域に光吸収特性または斜め方向への光反射特性を持ち、これら特性の境界波長が固定である素子ＢＰＦと、素子ＢＰＦを透過した光のうち最も長波長側に位置する特定の波長域に光反射特性を、その他の波長域に光透過特性を持ち、これら特性の境界波長が可変である素子７と、を備え、光源から発した光は素子ＢＰＦへ向かい、素子ＢＰＦは前記その他の波長域の光を吸収または斜め方向へ反射し、素子ＢＰＦを透過した光は素子７へ届き、素子７は素子７に届いた光のうち最も長波長側に位置する特定の波長領域の光を反射し、その光は素子ＢＰＦへ向かい、素子ＢＰＦを透過して、観察者方向に進む構成である。
また、本発色機構に基づく画像表示装置用素子は、特定の波長域に光反射特性を、その他の波長域に光透過特性を持ち、これら特性の境界波長が可変である素子８をさらに備え、光源から発し、素子ＢＰＦ及び素子７を透過した光は素子８へ向かい、素子８は素子８に届いた光のうち最も長波長側に位置する特定の波長領域の光を反射し、その光は素子７へ向かい、素子７及び素子ＢＰＦを透過して、観察者方向に進む構成である。
また、本発色機構に基づく画像表示装置用素子は、特定の波長域に光反射特性を、その他の波長域に光透過特性を持ち、これら特性の境界波長が可変である素子９をさらに備え、光源から発し、素子ＢＰＦ、素子７及び素子８を透過した光は素子９へ向かい、素子９は素子９に届いた光のうち最も長波長側に位置する特定の波長領域の光を反射し、その光は素子８へ向かい、素子８、素子７及び素子ＢＰＦを透過して、観察者方向に進む構成である。
【００８８】
［第７実施形態］
以下、第７実施形態に係る画像表示装置用素子１３の構成について説明する。図１５は、本発明の第７実施形態に係る画像表示装置用素子１３の構成を示す概念図である。図１５に示すように、画像表示装置用素子１３は、構造色を発現する画像表示装置用素子であって、光源ＬＳが発した光Ｌのうち特定の波長域の光を透過し、その他の波長域の光を反射または吸収する素子ＢＰＦと、素子ＢＰＦを透過した光である第１透過光ＴＢのうち特定の波長域の光を反射し、その他の波長域の光を透過する素子７と、を備えたものである。以下、上記各構成について説明する。
なお、第７実施形態に係る画像表示装置用素子１３は、光源ＬＳを備えた状態では表示素子となり、光源ＬＳを備えない状態ではフィルター素子となる。
【００８９】
（素子ＢＰＦ）
素子ＢＰＦは、光源ＬＳから出射され画像表示装置用素子１３に入射する光（入射光）Ｌのうち特定の波長域の光を透過、その他の波長域の光を吸収または光源ＬＳに向けて反射する素子であって、例えば、誘電体多層膜を備えた光学フィルターである。
素子ＢＰＦは、画像表示装置用素子１３において、光源ＬＳ側に配置されている。また、素子ＢＰＦの光源ＬＳ側の面は、入射光Ｌの光軸に対して直交している。このため、素子ＢＰＦで反射した光である第１反射光ＲＢは、光源ＬＳ方向に進行する。よって、観察者ＯＢは、第１反射光ＲＢを視認することはない。
素子ＢＰＦは、入射光Ｌのうち、例えば青Ｂ、緑Ｇ、赤Ｒの少なくとも一つの色の波長域の光を透過し、その他の波長域の光を吸収または光源ＬＳ方向に向けて反射するフィルター、所謂マルチバンドパスフィルターを選んでいる。
【００９０】
（素子７）
素子７は、第１透過光ＴＢのうち特定の波長域の光を素子ＢＰＦ方向に向けて反射し、その他の波長域の光を透過する素子であって、例えば、誘電体多層膜を備えた光学フィルターや構造色を発現する高分子膜である。なお、図１５では、素子７によって素子ＢＰＦ方向に向けて反射された光を第２反射光Ｒ７⊥と表記し、素子７を透過した光を第２透過光Ｔ７と表記する。
素子７は、素子ＢＰＦの観察者ＯＢ側に配置されている。また、素子７の素子ＢＰＦ側の面は、入射光Ｌの光軸に対して直交可能に配置されている。つまり、素子７は、入射光Ｌの光軸上に配置されている。換言すると、素子７は、観察者ＯＢ側から見て、素子ＢＰＦと重なっている。
なお、素子７は、傾きを変化させることができる。図１５（ａ）と図１５（ｂ）とでは、素子７の傾きを変えている。
【００９１】
［第８実施形態］
以下、第８実施形態に係る画像表示装置用素子２３の構成について説明する。図１６は、本発明の第８実施形態に係る画像表示装置用素子２３の構成を示す概念図である。図１６に示すように、画像表示装置用素子２３は、構造色を発現する画像表示装置用素子であって、光源ＬＳが発した光Ｌのうち特定の波長域の光を透過し、その他の波長域の光を反射または吸収する素子ＢＰＦと、素子ＢＰＦを透過した光である第１透過光ＴＢのうち特定の波長域の光を反射し、その他の波長域の光を透過する素子７と、素子７を透過した光である第２透過光Ｔ７のうち特定の波長域の光を反射し、その他の波長域の光を透過する素子８と、を備えたものである。つまり、本実施形態に係る画像表示装置用素子２３は、上述の第７実施形態に係る画像表示装置用素子１３に素子８を追加した画像表示装置用素である。よって、ここでは、第７実施形態と異なる部分である素子８について説明する。
なお、第８実施形態に係る画像表示装置用素子２３は、光源ＬＳを備えた状態では表示素子となり、光源ＬＳを備えない状態ではフィルター素子となる。
【００９２】
（素子８）
素子８は、第２透過光Ｔ７のうち特定の波長域の光を素子７方向に向けて反射し、その他の波長域の光を透過する素子であって、例えば、誘電体多層膜を備えた光学フィルターや構造色を発現する高分子膜である。なお、図１６では、素子８によって素子ＢＰＦ方向に向けて反射された光を第３反射光Ｒ８⊥と表記し、素子８を透過した光を第３透過光Ｔ８と表記する。
素子８は、素子７の観察者ＯＢ側に配置されている。また、素子８の素子７側の面は、入射光Ｌの光軸に対して直交可能に配置されている。つまり、素子８は、入射光Ｌの光軸上に配置されており、観察者ＯＢ側から見て、素子ＢＰＦと素子７と重なっている。
なお、素子８は、傾きを変化させることができる。図１６（ａ）と図１６（ｂ）とでは、素子７の傾きを変えている。
【００９３】
［第９実施形態］
以下、第９実施形態に係る画像表示装置用素子３３の構成について説明する。図１７は、本発明の第９実施形態に係る画像表示装置用素子３３の構成を示す概念図である。図１７に示すように、画像表示装置用素子３３は、構造色を発現する画像表示装置用素子であって、光源ＬＳが発した光Ｌのうち特定の波長域の光を透過し、その他の波長域の光を反射または吸収する素子ＢＰＦと、素子ＢＰＦを透過した光である第１透過光ＴＢのうち特定の波長域の光を反射し、その他の波長域の光を透過する素子７と、素子７を透過した光である第２透過光Ｔ７のうち特定の波長域の光を反射し、その他の波長域の光を透過する素子８と、素子８を透過した光である第３透過光Ｔ８のうち特定の波長域の光を反射し、その他の波長域の光を透過する素子９と、を備えたものである。つまり、本実施形態に係る画像表示装置用素子３３は、上述の第８実施形態に係る画像表示装置用素子２３に素子９を追加した画像表示装置用素である。よって、ここでは、第８実施形態と異なる部分である素子９について説明する。
なお、第９実施形態に係る画像表示装置用素子３３は、光源ＬＳを備えた状態では表示素子となり、光源ＬＳを備えない状態ではフィルター素子となる。
【００９４】
（素子９）
素子９は、第３透過光Ｔ８のうち特定の波長域の光を素子８方向に向けて反射し、その他の波長域の光を透過する素子であって、例えば、誘電体多層膜を備えた光学フィルターや構造色を発現する高分子膜である。なお、図１７では、素子９によって素子ＢＰＦ方向に向けて反射された光を第４反射光Ｒ９⊥と表記する。
素子９は、素子８の観察者ＯＢ側に配置されている。また、素子９の素子８側の面は、入射光Ｌの光軸に対して直交可能に配置されている。つまり、素子９は、入射光Ｌの光軸上に配置されており、観察者ＯＢ側から見て、素子ＢＰＦと素子７と素子８と重なっている。
なお、素子９は、傾きを変化させることができる。図１７（ａ）と図１７（ｂ）とでは、素子７の傾きを変えている。
【００９５】
以下、画像表示装置用素子３３を用いた発色機構である第１１発色機構〜第１２発色機構を、図１３〜図１４を参照しつつ説明する。
［第１１発色機構］
図１３は、画像表示装置用素子３３に備わる素子ＢＰＦ及び素子７〜素子９の各反射−透過特性を示す図である。なお、素子ＢＰＦ及び素子７〜素子９の各反射−透過特性は、既に第９発色機構で説明しているため、ここでは、その説明を省略する。
【００９６】
（素子７の発色特性）
素子ＢＰＦに光源ＬＳからの光Ｌが入射すると、図１５（ａ）に示す構成であれば、入射光Ｌのうち波長が４５０ｎｍ付近の光（青Ｂ）は素子ＢＰＦを透過し、素子７で光源ＬＳ側に反射（ブラッグ反射）される。そして、素子７で反射されたその光は、素子ＢＰＦを透過する。このため、観察者ＯＢは、第２反射光Ｒ７⊥である４５０ｎｍ付近の光（青Ｂ）を視認することができない。一方、図１５（ｂ）に示す構成であれば、観察者ＯＢは、４５０ｎｍ付近の光（青Ｂ）を視認することができる。さらに、観察者ＯＢは、素子７では光源ＬＳ側に反射されない、５１０ｎｍ付近の光（緑Ｇ）及び６５０ｎｍ付近の光（赤Ｒ）も視認することができる。
【００９７】
（素子８の発色特性）
素子８に、上述の素子７を透過した第２透過光Ｔ７が入射すると、図１６（ａ）に示す構成であれば、第２透過光Ｔ７のうち波長が５１０ｎｍ付近の光（緑Ｇ）は素子８で光源ＬＳ側に反射される。そして、素子８で反射されたその光は、素子７及び素子ＢＰＦを透過する。このため、観察者ＯＢは、第３反射光Ｒ８⊥である５１０ｎｍ付近の光（緑Ｇ）を視認することができない。一方、図１６（ｂ）に示す構成であれば、観察者ＯＢは、５１０ｎｍ付近の光（緑Ｇ）を視認することができる。さらに、観察者ＯＢは、素子８では光源ＬＳ側に反射されない６５０ｎｍ付近の光（赤Ｒ）も視認することができる。
【００９８】
（素子９の発色特性）
素子９に、上述の素子８を透過した第３透過光Ｔ８が入射すると、図１７（ａ）に示す構成であれば、第３透過光Ｔ８のうち波長が６５０ｎｍ付近の光（赤Ｒ）は素子９で光源ＬＳ側に反射される。そして、素子９で反射されたその光は、素子８、素子７及び素子ＢＰＦを透過する。このため、観察者ＯＢは、第４反射光Ｒ９⊥である６５０ｎｍ付近の光（赤Ｒ）を視認することができない。一方、図１７（ｂ）に示す構成であれば、観察者ＯＢは、６５０ｎｍ付近の光（赤Ｒ）のみを視認することができる。
【００９９】
以上のように、素子ＢＰＦ、素子７、素子８及び素子９を光学素子として備える画像表示装置用素子３３の場合、観察者ＯＢは、図１７（ａ）に示す構成であれば、第２反射光Ｒ７⊥である光（青Ｂ）と、第３反射光Ｒ８⊥である光（緑Ｇ）と、第４反射光Ｒ９⊥である光（赤Ｒ）とを全て視認することができない。一方、素子７、素子８及び素子９の全てを傾けた構成であれば、観察者ＯＢは、青Ｂと、緑Ｇと、赤Ｒとの合成色である白色を視認することができる。
【０１００】
図１７に示す画像表示装置用素子では、青色Ｂ、緑色Ｇ、赤色Ｒの順、即ち波長の短い方から順に光を透過及び反射させて、フルカラーを表現している。つまり、青色Ｂを発色する素子７は、青色Ｂの波長域の光を、観察者ＯＢが視認できる方向への透過と、光源ＬＳ方向への反射とを切り換えている。
緑色Ｇを発色する素子８は、緑色Ｇの波長域の光を、観察者ＯＢが視認できる方向への透過と、光源ＬＳ方向への反射とを切り換えている。
赤色Ｒを発色する素子９は、赤色Ｒの波長域の光を、観察者ＯＢが視認できる方向への透過と、光源ＬＳ方向への反射とを切り換えている。
【０１０１】
［第１２発色機構］
上述の第１１発色機構では、素子７で青色の光の透過・反射を切り換え、素子８で緑色の光の透過・反射を切り換え、素子９で赤色の光の透過・反射を切り換えた場合について説明したが、本発明は、これに限定されるものではない。例えば、図１４に示すように、素子７で赤色の光を、素子８で緑色の光を、素子９で青色の光を、それぞれ観察者ＯＢ側に透過し、各色を観察者ＯＢに視認させてもよい。要は、素子ＢＰＦは特定の波長域の光を透過する素子であり、素子７は赤色の光の透過・反射を切り換える素子であればよい。また、素子８は緑色の光の透過・反射を切り換える素子であればよい。また、素子９は青色の光の透過・反射を切り換える素子であればよい。また、図示しないが、素子７で青色の光を、素子８で赤色の光を、素子９で緑色の光を、それぞれ観察者ＯＢ側に反射し、各色を観察者ＯＢに視認させてもよい。
なお、本発色機構の基本原理は、第１１発色機構の基本原理と同じである。よって、ここでは、本発色機構についての説明は省略する。
【０１０２】
（実施例）
以下、上述の第１〜第３の各実施形態に対応する実施例について説明する。
＜実験例１：単色輝度の制御実験＞
＜実験例１の概要＞
ここでは、誘電体多層膜フィルタ２枚を組み合わせることで構成した画像表示装置用素子が、（１）特定の波長域の可視光を反射（明るく）させること、または（２）特定の波長域の可視光を吸収（暗く）させること、さらには、（３）反射させた光の輝度を任意に設定することが可能であることを実証するために行った実験例１について説明する。
【０１０３】
＜実験装置５１０＞
＜概略＞
図１８Ａ及び図１８Ｂは、実験例１で用いた実験装置の構成を示す概略図である。単色輝度の制御実験に用いた装置（以下、単に「実験装置」とも称する）５１０は、暗室に設置されて用いられた。
＜配置＞
以下、実験装置５１０の構成部の配置を述べる。
実験装置５１０は、主要構成部として、上から順番に、色彩輝度計５２８、鏡５２５、光源装置５２４、円筒管５１６、箱５１５、可動軸５１８、角度設定用ツマミ５１９、フォルダ５１７、素子５２Ｘ、フォルダ５２１、素子５２Ｙ、箱５２３、支持台５１４を備えている。また、色彩輝度計５２８は、受光レンズ５２９を備えている。
以下、上述した主要構成部を説明する。
【０１０４】
＜支持台５１４＞
支持台５１４は、実験装置５１０の基礎部であり、その上面が水平に保たれている。
図１８Ａには基準線５１１が示されている。基準線５１１は、支持台５１４の上面中央を起点として、鉛直方向へ延ばした仮想線である。これは、本実験において、光路の基準となる。
受光レンズ５２９、円筒管５１６、フォルダ５２１、素子５２Ｙは、それらの中心線が基準線５１１と重なるかたちで設置されている。
【０１０５】
＜光源装置５２４＞
光源装置５２４は、この実験で必要とする白色光を供給するものである。
光源装置５２４は、それ自身によって、後述する光５２７の光路を塞ぐことを避けるために基準線５１１から離れた位置に設置されている。
光源装置５２４には、三菱電機照明（株）製の高演色形蛍光管（形式：ＦＬ２０Ｓ・Ｎ−ＥＤＬ・ＮＵ）を使用した。この蛍光管の仕様は、色温度が５０００Ｋであり、平均演色評価数（Ｒａ）が９９である。
【０１０６】
＜鏡５２５＞
鏡５２５は、光源装置５２４が放射した光を約９０°向きを変え、円筒管５１６側へ向かわせるものである。
鏡５２５は、色彩輝度計５２８と円筒管５１６との間に設置されている。そして、鏡５２５の反射面は、光源装置５２４が放射した光の光軸に対して約４５°傾いている。また、鏡５２５の反射面は、正方形をしており、その反射面の一端が基準線５１１のすぐ横に位置するように設置されている。このように配置する理由は、鏡５２５自身によって光５２７の光路を塞ぐことを避けるためである。
【０１０７】
＜円筒管５１６＞
円筒管５１６は、この実験に必要となる平行光を得るものである。
円筒管５１６は、管の中央軸が基準線５１１と重なるように設置されている。
円筒管５１６の内側には、基準線５１１に対して平行に入射しなかった光を吸収させるために黒色塗装６５９（図２１を参照）が施されている。
円筒管５１６は、箱５１５の上面部分に設けられ、円筒管５１６の内部空間は、箱５１５の内部空間と繋がっている。
【０１０８】
＜箱５１５＞
箱５１５は、後述する構成部を収納する外箱である。
箱５１５に収納される構成部は、素子５２Ｘ、フォルダ５１７、可動軸５１８、角度設定用ツマミ５１９、素子５２Ｙ、フォルダ５２１である。
箱５１５の内側には、光を吸収させるために黒色塗装６５９（図２１を参照）が施されている。
【０１０９】
＜フォルダ５１７＞
フォルダ５１７は、厚めのコインの形をした素子５２Ｘを取り付けるものである。
フォルダ５１７は、箱５１５の内部空間の中央に設置されている。
フォルダ５１７には可動軸５１８が設けられており、フォルダ５１７は、可動軸５１８を中心に回転させることができる。
【０１１０】
＜可動軸５１８＞
可動軸５１８は、フォルダ５１７を回転させるものである。
可動軸５１８は、軸が水平になる格好で、基準線５１１と交差している。
可動軸５１８の一方は、フォルダ５１７に繋がり、もう一方は、箱５１５に設けられた軸受（図示せず）と繋がっている。
なお、フォルダ５１７に取り付けられた素子５２Ｘも、フォルダ５１７と共に、可動軸５１８を中心に回転する。
【０１１１】
＜入射角度θ＞
素子５２Ｘへの入射角度θは、素子５２Ｘの反射−透過特性を決定付けるものである。
図１８Ａに示した中心線５１２は、可動軸５１８を通り、素子５２Ｘの上面の中央に対して垂直に延ばした仮想線である。
ここで、入射角度θは、基準線５１１に対して中心線５１２が回転した角度である。ここで、基準線５１１と中心線５１２とが重なる角度が入射角度０°である。
本実験では、入射角度θを２０°から６０°までの範囲で設定した。上記以外の角度に設定すると、不要な光が差し込んだり、光路が遮られたりして、正しい結果が得られないことがある。
図１８Ａは、入射角度θが４５°に設定されたフォルダ５１および素子５２Ｘを側面から眺めたかたちで描かれている。
【０１１２】
＜角度設定用ツマミ５１９＞
角度設定用ツマミ５１９は、観察者が入射角度θを容易に設定することができるようにするものである。
角度設定用ツマミ５１９は、可動軸５１８に取り付けられており、素子５２Ｘの回転と連動する。また、角度設定用ツマミ５１９は、入射角度θを正確に設定するために、分度器を備えていてもよい。
【０１１３】
＜フォルダ５２１＞
フォルダ５２１は、厚めのコインの形をした素子５２Ｙを取り付けるものである。
箱５１５の底面部分が、フォルダ５２１となっている。
フォルダ５２１に取り付けられた素子５２Ｙは、その上面の中央に対して基準線５１１が鉛直に通るように設置される。つまり、素子５２Ｙに対する入射角度は常に０°である。
図１８Ａは、フォルダ５２１および素子５２Ｙを側面から眺めたかたちで描かれている。
【０１１４】
＜箱５２３＞
箱５２３は、不要な光を吸収させるものである。
箱５２３の内側は、光を吸収させるために黒色塗装６５９（図２１を参照）が施されている。
なお、素子５２Ｙの直下には箱５２３の内部空間がある。
【０１１５】
＜色彩輝度計５２８＞
色彩輝度計５２８は、円筒管５１６の内側を通過してきた光５２７を測定するものである。
色彩輝度計５２８には、受光レンズ５２９が装備されている。
受光レンズ５２９は、円筒管５１６の奥、つまり箱５１５の内部へ向けられている。
観察者は、色彩輝度計５２８に装備されたファインダ内に映る照準円を使って測定位置と測定範囲を定める。
色彩輝度計５２８は、複数回数の測定を行い、それらの平均から輝度（Ｌｖ）、色度（ｕ’，ｖ’）を算出、表示するように設定されている。
色彩輝度計５２８には、コニカミノルタ（株）製の色彩輝度計（型式：色彩輝度計ＣＳ−１６０」を用いた。
【０１１６】
＜素子５２Ｘ＞
素子５２Ｘには、シグマ光機（株）製のロングパスフィルタ（誘電体多層膜コート）（型番：ＬＯＰＦ−２５Ｃ−５９３）を使用した。
一般的に、ロングパスフィルタ（誘電体多層膜コート）には、境界波長域を境とし、短波長側の光を反射（正反射）し、長波長側の光を透過させる、という特徴がある。
また、一般的に、ロングパスフィルタ（誘電体多層膜コート）に対する入射角度を増すほど、境界波長域が短波長側へシフトする、という特徴がある。
図１９は、素子５２Ｘへの入射角度の変化に伴う反射−透過特性の変化を示すグラフである。これは実測した数値をもとに要点だけを描き出したものである。
このグラフでは、入射角度θが０°のとき、境界波長域５４２が約６００ｎｍ付近にあり、入射角度θを２０°から６０°まで変化させると、境界波長域５４２が約５１０ｎｍから約５９０ｎｍまでの波長域の光に対して影響を与えることが判る。つまり、この素子５２Ｘは、人が緑色と認識する波長域の光に対して影響を与えることが判る。
【０１１７】
＜素子５２Ｙ＞
素子５２Ｙには、シグマ光機（株）製のノッチフィルタ（誘電体多層膜コート）（型番：ＮＦ−２５Ｃ０５−４０−５３２）を使用した。
一般的に、ノッチフィルタ（誘電体多層膜コート）には、特定波長域の光を反射（正反射）させ、特定波長域以外の光は透過する、という特徴がある。
図２０は、素子５２Ｙの反射−透過特性を示す図である。これは入射角度０°において実測した数値をもとに要点だけを描き出したものである。
この図は、特定波長域５６２の光を反射（正反射）させ、特定波長域以外の光は透過する、という特徴を示している。また、この図では、その特定波長域５６２が約５３５ｎｍを中心に存在しており、この素子５２Ｙが人が緑色と認識する波長域の光を反射させることが判る。
以上、実験装置５１０の構成部について、その構造、配置、特徴を述べた。
【０１１８】
＜光路の説明＞
以下に、図１８Ａおよび図２１を使い、この実験装置５１０において、光源装置５２４が放射した光が、どのような光路や過程を経て、色彩輝度計５２８まで到達するのかを説明する。ここで、図２１は、２枚の素子と光路との関係を示す図である。
【０１１９】
＜光源装置５２４＞
光源装置５２４が放射した光は、白色光（Ｒａ：９９）である。
光源装置５２４が放射した光は、鏡５２５によって約９０°向きを変え、円筒管５１６の内部を通って素子５２Ｘへと向かう。
この光のうち、基準線５１１とほぼ平行な光（つまり、白色平行光）５２６は、円筒管５１６の内側を通り抜け、そうでない光は、黒色塗装６５９が施された円筒管５１６の内側で吸収される。
【０１２０】
＜素子５２Ｘ＞
図２１に示すように、円筒管５１６を通り抜けた光５２６は、素子５２Ｘへ届く。
素子５２Ｘは、入射角度θが２０°から６０°までの範囲で設定されたロングパスフィルタであり、素子５２Ｘに届いた光５２６を、斜め上へ反射する短波長側の光（反射光）６１３と、真下へ透過する長波長側の光（透過光）６１４とに分離する。ここで、光６１３は、黒色塗装６５９で吸収される。（なお、素子５２Ｘが短波長側の光を吸収することと同様とも考えられる。）
【０１２１】
＜素子５２Ｙ＞
素子５２Ｘを透過した光６１４は、素子５２Ｙへ届く。
素子５２Ｙは、入射角度θが０°に固定設置されたノッチフィルタであり、光６１４を、真上へ反射する特定波長域の光６１６と、真下へ透過する特定波長域以外の光６２２とに分離する。
この光６１６は、素子５２Ｙの上側に設置されている素子５２Ｘを下から上に向かって透過する。この光が、円筒管５１６の内側を下から上に向かって通過し、輝度の制御を受けた光５２７である。
他方、反射されずに透過した特定波長域以外の光６２２は、素子５２Ｙの下側に設置された箱５２３へ向かい、その内側に施された黒色塗装６５９で吸収される。
【０１２２】
＜色彩輝度計５２７＞
光５２７は、上へ向かい、円筒管５１６の管内を通り抜け、鏡５２５の端を掠めて、受光レンズ５２９へ届く。
色彩輝度計５２８は、この光について測定、計算し、輝度（Ｌｖ）、色度（ｕ’，ｖ’）を表示する。
以上が、光源装置５２４から色彩輝度計５２８へ至るまでの光路と過程である。
【０１２３】
＜波長域フィルタリング＞
以下、図２２を使い、２枚の素子の間で成されている波長域フィルタリングについて説明する。
図２２は、実験装置５１０で使用されている２枚の光学素子（誘電体多層膜フィルタ）によって成されている波長域フィルタリングの様子を波長目盛軸の上に描いたものである。
【０１２４】
チャート５９Ｘは、素子５２Ｘについて、入射角度θを２０°から１０°キザミで６０°まで変化させたときの反射−透過特性の変化を示している。
また、チャート５９Ｂは、素子５２Ｙについて、入射角度が０°における反射−透過特性を示している。
波長域５８５は、素子５２Ｘに対する入射角度θを５０°へ設定したときに、素子５２Ｘが素子５２Ｘの真下へ透過させる光の波長域を示している。
波長域５８６は、素子５２Ｙが素子５２Ｙの真上へ反射させる光の波長域を示している。
波長域５８７は、素子５２Ｘと素子５２Ｙとによって波長域フィルタリングされた結果として、光５２７の波長域を示している。ここで、光５２７は、本実施例において輝度の制御を受けた特定の色を有する光、即ち輝度を調整した緑色の可視光である。
【０１２５】
＜輝度制御＞
上記の説明において、波長域５８５と波長域５８６とが重なった部分が、波長域５８７となっている。この波長域５８７の幅は、素子５２Ｘに対する入射角度θを変化させることで、広くさせたり、狭くさせたりすることができる。このことは、光５２７の量を増減させるということでもある。つまり、輝度を制御していることになる。
【０１２６】
以上のことから、箱５１５に収められた素子５２Ｘ及び素子５２Ｙは、上から入射してきた光のうち、光５２７を上へ向けて反射させ、さらには、その光の強さ（輝度）を制御できるものである。
【０１２７】
＜実験過程＞
以下、図１８Ａを使って、この実験の過程を説明する。
実験装置５１０において、まず、光源装置５２４から、鏡５２５、円筒管５１６を経由して、箱５１５の内部に収められた素子一式へ、光５２６を照射する。
すると、箱５１５の内部から、円筒管５１６を通過して、光５２７が上に向けて反射され、色彩輝度計５２８へ返って来る。この時、色彩輝度計５２８のファインダ内には「緑色の輝き」を見ることができる。ここで、光５２７は、本実施例において輝度の制御を受けた特定の色を有する光、即ち輝度を調整した緑色の可視光である。
この光５２７を色彩輝度計５２８によって測定し、輝度（Ｌｖ）、色度（ｕ’，ｖ’）を表示させ、それらを記録する。
上記の測定を、角度設定用ツマミ５１９を回すことで、素子５２Ｘへの入射角度θを６０°から５°キザミで２０°まで設定し、それぞれの入射角度θで実施した。
【０１２８】
＜測定結果＞
以下、測定から得た数値表と、これをもとに描いたグラフと色度図について説明する。
表１は、測定によって得られた輝度（Ｌｖ）、色度（ｕ’，ｖ’）を示す。つまり、表１は、素子５２Ｘへの入射角度θの変化に伴う輝度と色度の変化を示す数値表である。
【０１２９】
【表１】
2018056451.tif 000003
【０１３０】
図２３は、表１の輝度（Ｌｖ）に基づき描かれた素子５２Ｘへの入射角度θの変化に伴う輝度変化の軌跡を示すグラフである。
図２４は、表１の色度（ｕ’，ｖ’）に基づき描かれた素子５２Ｘへの入射角度θの変化に伴う色度変化の軌跡を示す色度図である。
【０１３１】
＜輝度の評価＞
上述の実験で得られた結果から、まず、輝度（Ｌｖ）の変化について述べる。
この実験においては、輝度（Ｌｖ）は、素子５２Ｘへの入射角度θの変化に対して可能な限り線形を持って大きく変化することが好ましい。
図２３から、素子５２Ｘへの入射角度θが６０°から４０°までは、輝度（Ｌｖ）は、入射角度θの変化に対して、ほぼ直線で下がり続け、入射角度θが４０°から２０°までは、ほぼ横ばいになるという様子が見て取れる。
さらには、素子５２Ｘへの入射角度θが６０°では、輝度（Ｌｖ）は、約７６４（ｃｄ／ｍ２）であり最も数値が高く、入射角度θが４０°から２０°までは、輝度（Ｌｖ）は、約８０（ｃｄ／ｍ２）か、それ以下という数値である。そして、輝度（Ｌｖ）が最も低い時の数値は、輝度（Ｌｖ）が最も高い時の数値に対して約１／１０かそれ以下ということに、はっきりとしたコントラストを見て取れる。
【０１３２】
＜色度の評価＞
次に、色度（ｕ’，ｖ’）の変化について述べる。
この実験においては、色度（ｕ’，ｖ’）は、素子５２Ｘへの入射角度θの変化に対して可能な限り変化しないことが好ましい。
図２４から、素子５２Ｘへの入射角度θが６０°から４５°までは比較的に色度（ｕ’，ｖ’）の変化が少なく、入射角度θが４５°以下では色度（ｕ’，ｖ’）の変化が大きいという様子が見て取れる。
【０１３３】
＜輝度と色度の関係＞
輝度（Ｌｖ）と色度（ｕ’，ｖ’）との関係から、色度（ｕ’，ｖ’）の変化が比較的少ない素子５２Ｘへの入射角度θ（６０°から４５°まで）においては、輝度（Ｌｖ）が高く、輝度（Ｌｖ）を大きく変化させることが可能であり、輝度（Ｌｖ）は、ほぼ直線で下がり続けている様子が見て取れる。
【０１３４】
＜実験に対する評価＞
以上の結果から、（１）素子５２Ｘへの入射角度θが６０°、または、４０°のどちらかだけになるような設定をした場合、反射される光５２７の輝度（Ｌｖ）を最大値にしたり、または最小値にしたりすることが可能であることが判る。
さらには、（２）素子５２Ｘへの入射角度θが６０°から４５°の間は色度（ｕ’，ｖ’）の変化が比較的に少ない。入射角度θが６０°から４０°の間は、角度に対する輝度の変化が線形である。つまり、素子５２Ｘへの入射角度θが６０°から４０°の間は、色度変化なしに輝度を、入射角度θに対して線形に変えられる。
所望な輝度と色度の光５２７を作成することが可能であることが判る。
入射角度θを６０°から４０°に変化させると、緑色が色度変化なしに輝度が小さくなった。つまり同じ緑色のまま、暗くなった。
【０１３５】
以上の結果から、誘電体多層膜フィルタ２枚を組み合わせることで構成された画像表示装置用素子は、特定の波長域の可視光を反射（明るく）させること、または特定の波長域の可視光を吸収（暗く）させることが可能である。さらに、本画像表示装置用素子は、反射させた光を所望の強度（輝度）へ設定することも可能であることが明確に認められた。
【０１３６】
＜実験例２：多色輝度の制御実験＞
＜実験例２の概要＞
ここでは、誘電体多層膜フィルタ２枚３組合計６枚を組み合わせることで構成した画像表示装置用素子が、（１）主要原色（青色、緑色、赤色）を発色させること、（２）それらの合成色（シアン、黄色、マゼンタ、白色）を発色させることが可能であることを実証するために行った実験例２について説明する。
なお、この実験例２において実証する画像表示装置用素子は、実験例１において実証した画像表示装置用素子に次段に光を送る機能を付加し、３段重ねしたものである。
【０１３７】
＜実験装置７１０＞
＜概要＞
図２５は、実験例２で用いた実験装置の構成を示す概略図である。発色実験に用いた装置（以下、単に「実験装置」とも称する）７１０は、暗室に設置されて用いられた。
【０１３８】
＜配置＞
以下、実験装置７１０の構成部の配置を述べる。
実験装置７１０は、主要構成部として、上から順番に、色彩輝度計７２８、鏡７２５、光源装置７２４、円筒管７１６、光学ユニット群７３５、箱７２３、支持台７１４を備えている。
【０１３９】
光学ユニット群７３５は、青色を発色させるための光学ユニット７３Ｂを上段、緑色を発色させるための光学ユニット７３Ｇを中段、赤色を発色させるための光学ユニット７３Ｒを下段として、それらを縦に積み重ねたかたちで構成されている。
【０１４０】
これら、光学ユニット７３Ｂ、光学ユニット７３Ｇ、光学ユニット７３Ｒは、箱７１５、可動軸７１８、角度設定用ツマミ７１９、フォルダ７１７、素子７２Ｘ、フォルダ７２１、素子７２Ｙによってそれぞれ構成されている。
【０１４１】
＜支持台７１４＞
支持台７１４は、実験装置７１０の基礎部であり、その上面が水平に保たれている。
図２５には基準線７１１が示されている。基準線７１１は、支持台７１４の上面中央を起点として、鉛直方向に延ばした仮想線である。これは、本実験において、光路の基準となる。
受光レンズ７２９、円筒管７１６、および、各フォルダ７２１、各素子７２Ｙは、それらの中心線が基準線７１１と重なるかたちで設置されている。
【０１４２】
＜光源装置７２４＞
光源装置７２４は、この実験で必要とする白色光を供給するものである。ここで、光源装置７２４は、実験例１で説明した光源装置５２４と同じものである。よって、ここでは光源装置７２４の説明については省略する。
【０１４３】
＜鏡７２５＞
鏡７２５は、光源装置７２４が放射した光を約９０°向きを変え、円筒管７１６側へ向かわせるものである。ここで、鏡７２５は、実験例１で説明した鏡５２５と同じものである。よって、ここでは鏡７２５の説明については省略する。
【０１４４】
＜円筒管７１６＞
円筒管７１６は、この実験に必要となる平行光を得るものである。ここで、円筒管７１６は、実験例１で説明した円筒管５１６と同じものである。よって、ここでは円筒管７１６の説明については省略する。なお、円筒管７１６の内側には、基準線７１１に対して平行に入射しなかった光を吸収させるために黒色塗装８５９（図２８を参照）が施されている。
【０１４５】
＜光学ユニット群７３５＞
光学ユニット群７３５は、後述する合成色である光７２７を上に向けて反射させるものである。
これは、この実験装置７１０を用いて実証する発色原理にかかわる核心部分であるため、後ほど詳しく説明する。
【０１４６】
＜色彩輝度計７２８＞
色彩輝度計７２８は、円筒管７１６の内側を通過してきた光７２７を測定するものである。ここで、色彩輝度計７２８は、実験例１で説明した色彩輝度計５２８と同じものである。よって、ここでは色彩輝度計７２８の説明については省略する。
【０１４７】
＜箱７２３＞
箱７２３は、不要な光を吸収させるものである。ここで、箱７２３は、実験例１で説明した箱５２３と同じものである。よって、ここでは箱７２３の説明については省略する。なお、箱７２３の内側は、光を吸収させるために黒色塗装８５９（図２８を参照）が施されている。
【０１４８】
＜光学ユニット群７３５の構成＞
光学ユニット群７３５は、合成色である光７２７を上に向けて反射させるものであって、光学ユニット７３Ｂ、光学ユニット７３Ｇ、光学ユニット７３Ｒを積み重ねて構成したものである。
以下、各光学ユニットの機能と構成について述べる。
光学ユニット７３Ｂは、人が青色と認識する波長域の光を上に向けて反射させるものである。
また、光学ユニット７３Ｇは、人が緑色と認識する波長域の光を上に向けて反射させるものである。
また、光学ユニット７３Ｒは、人が赤色と認識する波長域の光を上に向けて反射させるものである。
【０１４９】
＜各光学ユニットの構成＞
各光学ユニットは、箱７１５、可動軸７１８、角度設定用ツマミ７１９、フォルダ７１７、素子７２Ｘ、フォルダ７２１、素子７２Ｙによって構成されている。
各光学ユニット間の違いは、各光学ユニットに属する素子７２Ｘ、および、素子７２Ｙの特徴または特性の違いだけであり、その他の構成部には違いはない。
以下に、光学ユニットの構成部について、役割、配置、特徴を説明する。
【０１５０】
＜箱７１５＞
各光学ユニットに備わる箱７１５は、その光学ユニットを構成する外箱であり、その光学ユニットに属する光学素子をはじめとする構成部一式を覆うものである。ここで、箱７１５は、実験例１で説明した箱５１５とほぼ同じものである。よって、ここでは箱７１５の説明については省略する。なお、箱７１５の内側には、光を吸収させるために黒色塗装８５９（図２８を参照）が施されている。
【０１５１】
＜フォルダ７１７＞
各光学ユニットに備わるフォルダ７１７は、厚めのコインの形をした素子７２Ｘを取り付けるものである。ここで、フォルダ７１７は、実験例１で説明したフォルダ５１７とほぼ同じものである。よって、ここでは箱７１５の説明については省略する。
【０１５２】
＜構成：可動軸７１８＞
各光学ユニットに備わる可動軸７１８は、フォルダ７１７を回転させるものである。ここで、可動軸７１８は、実験例１で説明した可動軸５１８とほぼ同じものである。よって、ここでは可動軸７１８の説明については省略する。
【０１５３】
＜入射角度θ＞
素子７２Ｘへの入射角度θは、素子７２Ｘの反射−透過特性を決定付けるものである。
入射角度θおよび中心線７１２は、各光学ユニットに定義されている。ここで、入射角度θおよび中心線７１２は、実験例１で説明した入射角度θおよび中心線５１２と同じものである。よって、ここでは入射角度θおよび中心線７１２の説明については省略する。
【０１５４】
＜角度設定用設定ツマミ７１９＞
角度設定用ツマミ７１９は、観察者が入射角度θを容易に設定することができるようにするものである。ここで、角度設定用ツマミ７１９は、実験例１で説明した角度設定用ツマミ５１９と同じものである。よって、ここでは角度設定用ツマミ７１９の説明については省略する。
【０１５５】
＜フォルダ７２１＞
フォルダ７２１は、厚めのコインの形をした素子７２Ｙを取り付けるものである。ここで、フォルダ７２１は、実験例１で説明したフォルダ５２１と同じものである。よって、ここではフォルダ７２１の説明については省略する。
【０１５６】
＜素子７２Ｘ＞
素子７２Ｘは、実験例１で説明した素子５２Ｘとほぼ同じものである。よって、ここでは実験例１で説明した素子５２Ｘと異なる部分について説明する。
【０１５７】
＜光学ユニット７３Ｂの素子７２Ｘ＞
光学ユニット７３Ｂの素子７２Ｘには、シグマ光機（株）製のロングパスフィルタ（誘電体多層膜コート）（型番：ＬＯＰＦ−２５Ｃ−４８８」を使用した。
図２６Ａは、光学ユニット７３Ｂの素子７２Ｘについて、素子７２Ｘへの入射角度θの変化に伴う反射−透過特性の変化を示すグラフである。これは実測した数値をもとに要点だけを描き出したグラフである。
このグラフでは、入射角度θが０°のとき、境界波長域７４２Ｂが約５００ｎｍ付近にあり、入射角度θを２０°から６０°の範囲における変化では、境界波長域７４２Ｂがシフトすることで、約４３０ｎｍから約４９０ｎｍまでの波長域の光に対して影響を与えることが判る。つまり、この素子７２Ｘは、人が青色と認識する波長域の光に対して影響を与えることが判る。
【０１５８】
＜光学ユニット７３Ｇの素子７２Ｘ＞
光学ユニット７３Ｇの素子７２Ｘには、シグマ光機（株）製のロングパスフィルタ（誘電体多層膜コート）（型番：ＬＯＰＦ−２５Ｃ−５９３」を使用した。
図２６Ｂは、光学ユニット７３Ｇの素子７２Ｘについて、素子７２Ｘへの入射角度θの変化に伴う反射−透過特性の変化を示すグラフである。これは実測した数値をもとに要点だけを描き出したグラフである。
このグラフでは、入射角度θが０°のとき、境界波長域７４２Ｇが約６００ｎｍ付近にあり、入射角度θを２０°から６０°の範囲における変化では、境界波長域５４２Ｇがシフトすることで、約５１０ｎｍから約５９０ｎｍまでの波長域の光に対して影響を与えることが判る。つまり、この素子７２Ｘは、人が緑色と認識する波長域の光に対して影響を与えることが判る。
【０１５９】
＜光学ユニット７３Ｒの素子７２Ｘ＞
光学ユニット７３Ｒの素子７２Ｘには、シグマ光機（株）製のロングパスフィルタ（誘電体多層膜コート）（型番：ＬＯＰＦ−２５Ｃ−７１５」を使用した。
図２６Ｃは、光学ユニット７３Ｒの素子７２Ｘについて、素子７２Ｘへの入射角度θの変化に伴う反射−透過特性の変化を示すグラフである。これは実測した数値をもとに要点だけを描き出したグラフである。
このグラフでは、入射角度θが０°のとき、境界波長域７４２Ｒが約７２０ｎｍ付近にあり、入射角度θを２０°から６０°の範囲における変化では、境界波長域７４２Ｒがシフトすることで、約６１０ｎｍから約７１０ｎｍまでの波長域の光に対して影響を与えることが判る。つまり、この素子７２Ｘは、人が赤色と認識する波長域の光に対して影響を与えることが判る。
【０１６０】
＜素子７２Ｙ＞
素子７２Ｙは、実験例１で説明した素子５２Ｙとほぼ同じものである。よって、ここでは実験例１で説明した素子５２Ｙと異なる部分について説明する。
【０１６１】
＜光学ユニット７３Ｂの素子７２Ｙ＞
光学ユニット７３Ｂの素子７２Ｙには、シグマ光機（株）製のロングパスフィルタ（誘電体多層膜コート）（型番：ＬＯＰＦ−２５Ｃ−４５８）を使用した。
図２７Ａは、光学ユニット７３Ｂの素子７２Ｙについて、反射−透過特性を示すグラフである。これは入射角度０°において実測した数値をもとに要点だけを描き出したグラフである。
このグラフは、境界波長域７６２Ｂを境とし、短波長側の光を反射（正反射）させ、長波長側の光を透過するという特徴を示しており、その境界波長域７６２Ｂが約４７０ｎｍ付近であるため、この素子７２Ｙが人が青色と認識する波長域の光を反射させることが判る。
【０１６２】
＜光学ユニット７３Ｇの素子７２Ｙ＞
光学ユニット７３Ｇの素子７２Ｙには、シグマ光機（株）製のノッチフィルタ（誘電体多層膜コート）（型番：ＮＦ−２５Ｃ０５−４０−５３２）を使用した。
図２７Ｂは、光学ユニット７３Ｇの素子７２Ｙについて、反射−透過特性を示すグラフである。これは入射角度０°において実測した数値をもとに要点だけを描き出したグラフである。
このグラフは、特定波長域７６２Ｇの光を反射（正反射）させ、特定波長域以外の光は透過するという特徴を示しており、その特定波長域７６２Ｇが約５３５ｎｍを中心に存在しているため、この素子７２Ｙが人が緑色と認識する波長域の光を反射させることが判る。
【０１６３】
＜光学ユニット７３Ｒの素子７２Ｙ＞
光学ユニット７３Ｒの素子７２Ｙには、シグマ光機（株）製のショートパスフィルタ（誘電体多層膜コート）（型番：ＳＨＰＦ−２５Ｃ−６５０）を使用した。
図２７Ｃは、光学ユニット７３Ｒの素子７２Ｙについて、反射−透過特性を示すグラフである。これは入射角度０°において実測した数値をもとに要点だけを描き出したグラフである。
このグラフは、境界波長域７６２Ｒを境とし、短波長側の光を透過し、長波長側の光を反射（正反射）させるという特徴を示しており、その境界波長域７６２Ｒが約６３０ｎｍ付近であるため、この素子７２Ｙが人が赤色と認識する波長域の光を反射させることが判る。
【０１６４】
＜内部空間＞
以下、円筒管７１６、青色用の光学ユニット７３Ｂ、緑色用の光学ユニット７３Ｇ、赤色用の光学ユニット７３Ｒ、箱７２３の内部空間の繋がりを述べる。
円筒管７１６の内部空間は、光学ユニット７３Ｂの箱７１５の内部空間と繋がっている。
また、光学ユニット７３Ｂの素子７２Ｙの直下には、光学ユニット７３Ｇの箱７１５の内部空間がある。
また、光学ユニット７３Ｇの素子７２Ｙの直下には、光学ユニット７３Ｒの箱７１５の内部空間がある。
また、光学ユニット７３Ｒの素子７２Ｙの直下には、箱７２３の内部空間がある。
以上、この装置７１０の構成部について、その構造、配置、特徴を述べた。
【０１６５】
＜光路の説明＞
以下に、図２５および図２８を使い、この実験装置７１０において、光源装置７２４が放射した光が、どのような光路や過程を経て、色彩輝度計７２８まで到達するのかを説明する。ここで、図２８は、６枚の素子と光路との関係を示す図である。
【０１６６】
＜光源装置７２４＞
光源装置７２４が放射する光は、白色光（Ｒａ：９９）である。ここで、光源装置７２４は、実験例１で説明した光源装置５２４とほぼ同じものである。よって、ここでは実験例１で説明した光源装置５２４と異なる部分について説明する。
【０１６７】
＜光学ユニット７３Ｂの素子７２Ｘ＞
円筒管７１６を通り抜けた光（白色平行光）７２６は、光学ユニット７３Ｂの素子７２Ｘへ届く。
光学ユニット７３Ｂの素子７２Ｘは、入射角度θが２０°から６０°までの範囲で設定されたロングパスフィルタであり、光７２６を、斜め上へ反射された短波長側の光８１３と、真下へ透過した長波長側の光８１４とに分離する。ここで、光８１３は、黒色塗装８５９によって吸収される。（なお、素子７２Ｘが短波長側の光を吸収することと同様とも考えられる。）
【０１６８】
＜光学ユニット７３Ｂの素子７２Ｙ＞
光学ユニット７３Ｂにおいて、素子７２Ｘを透過した光８１４は、素子７２Ｙへ届く。
光学ユニット７３Ｂの素子７２Ｙは、入射角度θが０°に固定設置されたロングパスフィルタであり、光８１４を、真上へ反射する短波長側の光８１６と、真下へ透過する長波長側の光８２２とに分離する。
この光８１６は、素子７２Ｙの上に設置されている素子７２Ｘを下から上に向かって透過する。この光が、この光学ユニット７３Ｂから上に向けて反射され、人が青色と認識する波長域の光８６Ｂである。
他方、反射されずに透過した光８２２は、素子７２Ｙの下側に設置された光学ユニット７３Ｇの素子７２Ｘへ向かう。
【０１６９】
＜光学ユニット７３Ｇの素子７２Ｘ＞
光８２２は、光学ユニット７３Ｇの素子７２Ｘへ届く。
光学ユニット７３Ｇの素子７２Ｘは、入射角度θが２０°から６０°までの範囲で設定されたロングパスフィルタであり、光８２２を、斜め上へ反射する短波長側の光８２３と、真下へ透過する長波長側の光８２４とに分離する。
ここで、光８２３は、黒色塗装８５９によって吸収される。（なお、素子７２Ｘが短波長側の光を吸収することと同様とも考えられる。）
【０１７０】
＜光学ユニット７３Ｇの素子７２Ｙ＞
光学ユニット７３Ｇにおいて、素子７２Ｘを透過した光８２４は、素子７２Ｙへ届く。
光学ユニット７３Ｇの素子７２Ｙは、入射角度θが０°に固定設置されたノッチフィルタであり、光８２４を、真上へ反射する特定波長域の光８２６と、真下へ透過する特定波長域以外の光８３２とに分離する。
この光８２６は、素子７２Ｙの上側に設置されている素子７２Ｘを下から上に向かって透過する。この光が光学ユニット７３Ｇから上に向けて反射され、人が緑色と認識する波長域の光８６Ｇである。
他方、反射されずに透過した光８３２は、素子７２Ｙの下側に設置された光学ユニット７３Ｒの素子７２Ｘへ向かう。
【０１７１】
＜赤色用ユニット７３Ｒの素子７２Ｘ＞
光学ユニット７３Ｇを透過した光８３２は、光学ユニット７３Ｒの素子７２Ｘへ届く。
光学ユニット７３Ｒの素子７２Ｘは、入射角度θが２０°から６０°までの範囲で設定されたロングパスフィルタであり、光８３２を、斜め上へ反射する短波長側の光８３３と、真下へ透過する長波長側の光８３４とに分離する。
ここで、光８３３は、黒色塗装８５９によって吸収される。（なお、素子７２Ｘが短波長側の光を吸収することと同様とも考えられる。）
【０１７２】
＜赤色用ユニット７３Ｒの素子７２Ｙ＞
光学ユニット７３Ｒにおいて、素子７２Ｘを透過した光８３４は、素子７２Ｙへ届く。
光学ユニット７３Ｒの素子７２Ｙは、入射角度θが０°に固定設置されたショートパスフィルタであり、光８３４を、真上へ反射する長波長側の光８３６と、真下へ透過する短波長側の光８４２とに分離する。
この光８３６は、素子７２Ｙの上側に設置されている素子７２Ｘを下から上に向かって透過する。この光が光学ユニット７３Ｒから上に向けて反射され、人が赤色と認識する波長域の光８６Ｒである。
他方、反射されずに透過した光８４２は、素子７２Ｙの下側に設置された箱７２３へ向かい、その内側の黒色塗装８５９で吸収される。ただし、この箱７２３へ到達する光はなくなるように光学ユニット７３Ｒの素子７２Ｙの反射−透過特性を決めた。
ないはずである。
【０１７３】
＜反射した光＞
光学ユニット７３Ｒから上に向けて反射した光８６Ｒは、中心線７１１の近辺を上へ向けて進みながら、光学ユニット７３Ｇの素子７２Ｙと素子７２Ｘを透過して、光学ユニット７３Ｂの素子７２Ｙと素子７２Ｘを透過して、円筒管７１６へ向かう。
光学ユニット７３Ｇから上に向けて反射した光８６Ｇは、中心線７１１の近辺を上へ向けて進みながら、光学ユニット７３Ｂの素子７２Ｙと素子７２Ｘを透過して、円筒管７１６へ向かう。
光学ユニット７３Ｂから上に向けて反射された光８６Ｂは、中心線７１１の近辺を上へ向けて進みながら、円筒管７１６へ向かう。
【０１７４】
＜合成された光＞
上記で述べた各光学ユニットから上へ向けて反射された光、つまり、光８６Ｂ、光８６Ｇ、光８６Ｒは合成されて、光７２７となる。即ち、光学ユニット群７３５から上へ向けて反射される光は、合成された光７２７である。
【０１７５】
＜色彩輝度計７２７＞
光７２７は、上へ向かい、円筒管７１６を通り抜け、鏡７２５の端を掠めて、受光レンズ７２９へ届く。
色彩輝度計７２８は、この光について測定、計算し、輝度（Ｌｖ）、色度（ｕ’，ｖ’）を表示する。
以上が、光源装置７２４から色彩輝度計７２８へ至るまでの光路と過程である。
【０１７６】
＜波長域フィルタリング＞
以下、図２９を使い、波長域フィルタリングについて説明する。
図２９は、この実験装置７１０で使用されている２枚３組合計６枚の素子（誘電体多層膜フィルタ）によって成されている波長域フィルタリングの様子を波長目盛軸の上に描いたものである。
【０１７７】
＜光学ユニット７３Ｂにおけるフィルタリング＞
以下は、光学ユニット７３Ｂに関しての説明である。
チャート７９Ａは、光学ユニット７３Ｂの素子７２Ｘについて、入射角度θを２０°から１０°キザミで６０°まで変化させたときの反射−透過特性の変化を示している。
チャート７９Ｂは、光学ユニット７３Ｂの素子７２Ｙについて、入射角度θが０°における反射−透過特性を示している。
波長域７８５は、素子７２Ｘに対する入射角度θを５０°へ設定したときに、素子７２Ｘが真下へ透過させる光の波長域を示している。
波長域７８６は、素子７２Ｙが真上へ反射させる光の波長域を示している。
波長域７８７は、素子７２Ｘと素子７２Ｙとによって波長域フィルタリングされた結果として、光学ユニット７３Ｂが上に向けて反射させる波長域を示している。
この波長域７８７が人が青色と認識する波長域の光８６Ｂの波長域である。
【０１７８】
＜光学ユニット７３Ｇにおけるフィルタリング＞
以下は、光学ユニット７３Ｇに関しての説明である。
チャート７９Ａは、光学ユニット７３Ｇの素子７２Ｘについて、入射角度θを２０°から１０°キザミで６０°まで変化させたときの反射−透過特性の変化を示している。
チャート７９Ｂは、光学ユニット７３Ｇの素子７２Ｙについて、入射角度θが０°における反射−透過特性を示している。
波長域７８５は、素子７２Ｘに対する入射角度θを５０°へ設定したときに、素子７２Ｘが真下へ透過させる光の波長域を示している。
波長域７８６は、素子７２Ｙが真上へ反射させる光の波長域を示している。
波長域７８７は、素子７２Ｘと素子７２Ｙとによって波長域フィルタリングされた結果として、光学ユニット７３Ｇが上に向けて反射させる波長域を示している。
この波長域７８７が人が緑色と認識する波長域の光８６Ｇの波長域である。
【０１７９】
＜光学ユニット７３Ｒにおけるフィルタリング＞
以下は、光学ユニット７３Ｒに関しての説明である。
チャート７９Ａは、光学ユニット７３Ｒの素子７２Ｘについて、入射角度θを２０°から１０°キザミで６０°まで変化させたときの反射−透過特性の変化を示している。
チャート７９Ｂは、光学ユニット７３Ｒの素子７２Ｙについて、入射角度θが０°における反射−透過特性を示している。
波長域７８５は、素子７２Ｘに対する入射角度θを５０°へ設定したときに、素子７２Ｘが真下へ透過させる光の波長域を示している。
波長域７８６は、素子７２Ｙが真上へ反射させる光の波長域を示している。
波長域７８７は、素子７２Ｘと素子７２Ｙとによって波長域フィルタリングされた結果として、光学ユニット７３Ｒが上に向けて反射させる波長域を示している。
この波長域７８７が人が赤色と認識する波長域の光８６Ｒの波長域である。
【０１８０】
＜主要原色の輝度制御＞
各光学ユニットにおいて、波長域７８５と波長域７８６とが重なった部分が、波長域７８７となっているが、この波長域７８７の幅は、素子７２Ｘに対する入射角度θを変化させることで、広くさせたり、狭くさせたりすることができる。このことは、その各光学ユニットが上へ向けて反射させる光の量を増減させるということでもある。つまり、輝度を制御していることになる。
【０１８１】
以上のことから、青色用の光学ユニット７３Ｂは、上から入射してきた光のうち、光８６Ｂを上へ向けて反射させ、さらには、その光の強さ（輝度）を制御できるものである。
また、緑色用の光学ユニット７３Ｇは、上から入射してきた光のうち、光８６Ｇを上へ向けて反射させ、さらには、その光の強さ（輝度）を制御できるものである。
また、赤色用の光学ユニット７３Ｒは、上から入射してきた光のうち、光８６Ｒを上へ向けて反射させ、さらには、その光の強さ（輝度）を制御できるものである。
【０１８２】
＜合成色＞
各光学ユニットを積み重ねて光学ユニット群７３５を構成することで、光８６Ｂ、光８６Ｇ、光８６Ｒは、合成されて合成色である光７２７となる。
【０１８３】
つまり、それぞれの光学ユニットにおいて、上に向けて反射する特定の波長域の光（青色、緑色、赤色）の光の強さ（輝度）を制御することによって、主要原色（青色、緑色、赤色）を発色させることは勿論のこと、それらの合成色（シアン、黄色、マゼンタ、白色）を発色させることが可能になる。
【０１８４】
＜実験過程＞
以下、図２５を使って本実験の過程を説明する。
実験装置７１０において、まず、光源装置７２４から、鏡７２５、円筒管７１６を経由して、光学ユニット群７３５の内部へ、白色平行光である光７２６を照射する。
すると、光学ユニット群７３５の内部から、合成色である光７２７が上に向けて反射され、色彩輝度計７２８へ返って来る。
この反射された光７２７を色彩輝度計７２８によって測定し、輝度（Ｌｖ）、色度（ｕ’，ｖ’）を表示させる。
ここで、観察者は、下記で述べる手順に従い、青色用の光学ユニット７３Ｂ、緑色用の光学ユニット７３Ｇ、赤色用の光学ユニット７３Ｒに設けられた各角度設定用ツマミ７１９を回したり、色彩輝度計７２８が表示する輝度（Ｌｖ）、色度（ｕ’，ｖ’）を読んだりしながら、光７２７が測定対象の色となるよう各光学ユニットの角度設定用ツマミ７１９を用いて入射角度θを設定する。そして、測定対象の色となったら、色彩輝度計７２８のファインダ内に輝く色を目視観察し、その後、色彩輝度計７２８が示す色度（ｕ’，ｖ’）を記録する。
なお、上記の測定および観察を、測定対象の色である白色、シアン、青色、マゼンタ、赤色、黄色、緑色において実施した。
【０１８５】
以下に、測定対象の色である白色、シアン、青色、マゼンタ、赤色、黄色、緑色を発色させるための手順について説明する。また、測定対象の色を発色できたその時、色彩輝度計７２８のファインダ内を覗き、そこに輝いている色について観察し、その様子も述べた。
【０１８６】
＜白色＞
以下、白色を発色させるための手順である。
これは、色彩輝度計７２８の表示を見ながら、可能な限り、輝度（Ｌｖ＝７７０）、色度（ｕ’＝０．２０，ｖ’＝０．４７）へ近付くように、各光学ユニットにある角度設定用ツマミ７１９を用いて入射角度θを設定する。これにより、白色が発色する。
そして、この時、目視観察において、色彩輝度計７２８のファインダ内に、人が白色と認識できる輝きを見ることができた。
以下、この白色を基準として、この白色から不必要な色を引いていくことで、白色以外の測定対象の色を作り出す。
【０１８７】
＜シアン＞
以下、シアンを発色させるための手順である。
まず、上述した白色を発色させるための手順によって、白色を発色させる。
その後、光学ユニット７３Ｒの角度設定用ツマミ７１９を用いて入射角度θを２０°から３０°の間に設定して赤色を吸収させる。これによりシアンが発色する。
そして、この時、目視観察において、色彩輝度計７２８のファインダ内に、シアンと認識できる輝きを確認できた。
【０１８８】
＜青色＞
以下、青色を発色させるための手順である。
まず、上述したシアンを発色させるための手順によって、シアンを発色させる。
その後、光学ユニット７３Ｇの角度設定用ツマミ７１９を用いて入射角度θを２０°から３０°の間に設定して緑色を吸収させる。これにより青色が発色する。
そして、この時、目視観察において、色彩輝度計７２８のファインダ内に、人が青色と認識できる輝きを確認できた。
【０１８９】
＜マゼンタ＞
以下、マゼンタを発色させるための手順である。
まず、上述した白色を発色させるための手順によって、白色を発色させる。
その後、光学ユニット７３Ｇの角度設定用ツマミ７１９を用いて入射角度θを２０°から３０°の間に設定して緑色を吸収させる。これによりマゼンタが発色する。
そして、この時、目視観察において、色彩輝度計７２８のファインダ内に、マゼンタと認識できる輝きを確認できた。
【０１９０】
＜赤色＞
以下、赤色を発色させるための手順である。
まず、上述したマゼンタを発色させるための手順によって、マゼンタを発色させる。
その後、光学ユニット７３Ｂの角度設定用ツマミ７１９を用いて入射角度θを２０°から３０°の間に設定して青色を吸収させる。これにより赤色が発色する。
そして、この時、目視観察において、色彩輝度計７２８のファインダ内に、人が赤色と認識できる輝きを確認できた。
【０１９１】
＜黄色＞
以下「黄色を発色させるための手順である。
まず、上述の白色を発色させるための手順によって、白色を発色させる。
その後、光学ユニット７３Ｂの角度設定用ツマミ７１９を用いて入射角度θを２０°から３０°の間に設定して青色を吸収させる。これにより黄色が発色する。
そして、この時、目視観察において、色彩輝度計７２８のファインダ内に、人が黄色と認識できる輝きを確認できた。
【０１９２】
＜緑色＞
以下、緑色を発色させるための手順である。
まず、上述した黄色を発色させるための手順によって、黄色を発色させる。
その後、光学ユニットの角度設定用ツマミ７１９を用いて入射角度θを２０°から３０°の間に設定して赤色を吸収させる。これにより緑色が発色する。
そして、この時、目視観察において、色彩輝度計７２８のファインダ内に、人が緑色と認識できる輝きを確認できた。
以上、実験の経過や手順、目視観察の結果について述べた。
【０１９３】
＜測定結果＞
以下、測定から得た色度表と、これをもとに描いた色度図について説明する。
表２は、測定対象の色である白色、シアン、青色、マゼンタ、赤色、黄色、緑色の各色に設定することで、光学ユニット群７３５から反射させた光７２７について、色度（ｕ’，ｖ’）を測定し、その結果を数値表にしたものである。
【０１９４】
【表２】
2018056451.tif 000004
【０１９５】
図３０は、表２の色度（ｕ’，ｖ’）に基づき描いた色度図である。測定した白色、シアン、青色、マゼンタ、赤色、黄色、緑色について、各色の色度（ｕ’，ｖ’）が示す座標へ●印を描いた。また、参考例として、冷陰極管液晶ディスプレイの色域を示す三角形を描いた。
【０１９６】
＜色度観察＞
以下、図３０の色度図の上に描かれた各●印についての考察である。
白色の色度を示す●印（●Ｗｈｉｔｅ）は、黒体軌跡上の６０００Ｋ近辺に位置していた。つまり、これは人が白色と認識できる光である。（白色は、青色と緑色と赤色との合成色である。）以降、●Ｗｈｉｔｅを単に「●Ｗ」とも称する。
青色の色度を示す●印（●Ｂｌｕｅ）は、●Ｗを中心として、色度図上において青色成分が多く含まれる方向に位置していた。つまり、これは人が青色と認識できる光である。以降、●Ｂｌｕｅを単に「●Ｂ」とも称する。
緑色の色度を示す●印（●Ｇｒｅｅｎ）は、●Ｗを中心として、色度図上において緑色成分が多く含まれる方向に位置していた。つまり、これは人が緑色と認識できる光である。以降、●Ｇｒｅｅｎを単に「●Ｇ」とも称する。
赤色の色度を示す●印（●Ｒｅｄ）は、●Ｗを中心として、色度図上において赤色成分が多く含まれる方向に位置していた。つまり、これは人が赤色と認識できる光である。以降、●Ｒｅｄを単に「●Ｒ」とも称する。
【０１９７】
黄色の色度を示す●印（●Ｙｅｌｌｏｗ）は、●Ｗを中心とした●Ｂとは反対側の方向で、●Ｇと●Ｒとの間に位置していた。つまり、これは人が黄色と認識できる光である。（黄色は、青色に対する補色であり、緑色と赤色との合成色である。）
シアンの色度を示す●印（●Ｃｙａｎ）は、●Ｗを中心とした●Ｒとは反対側の方向で、●Ｂと●Ｇとの間に位置していた。つまり、これはシアンと認識できる光である。（シアンは、赤色に対する補色であり、青色と緑色との合成色である。）
マゼンタの色度を示す●印（●Ｍａｇｅｎｔａ）は、●Ｗを中心とした●Ｇとは反対側の方向で、●Ｂと●Ｒとの間に位置していた。つまり、これはマゼンタと認識できる光である。（マゼンタは、緑色に対する補色であり、青色と赤色との合成色である。）
【０１９８】
＜実験の評価＞
以上、ここまでの実験における目視観察、および、測定した色度からは、白色となるように設定したとき、人が白色と認識できる光が発色したことを確認できた。また、シアンとなるように設定したとき、シアンと認識できる光が発色したことを確認できた。また、青色となるように設定したとき、人が青色と認識できる光が発色したことを確認できた。また、
マゼンタとなるように設定したとき、人がマゼンタと認識される光が発色したことを確認できた。また、赤色となるように設定したとき、人が赤色と認識できる光が発色したことを確認できた。また、黄色となるように設定したとき、人が黄色と認識できる光が発色したことを確認できた。また、緑色となるように設定したとき、人が緑色と認識できる光が発色したことを確認できた。
【０１９９】
＜実験装置７１０の評価＞
以上のことから、この実験装置７１０において、（１）青色用の光学ユニット７３Ｂが人が青色と認識される波長域の光８６Ｂを上に向けて反射させ、緑色用の光学ユニット７３Ｇが人が緑色と認識される波長域の光８６Ｇを上に向けて反射させ、赤色用の光学ユニット７３Ｒが人が赤色と認識される波長域の光８６Ｒを上に向けて反射させたことを確認できた。また、（２）光学ユニット７３Ｂ、光学ユニット７３Ｇ、光学ユニット７３Ｒが縦に積み重ねられることで、人が青色と認識される波長域の光８６Ｂ、人が緑色と認識される波長域の光８６Ｇ、人が赤色と認識される波長域の光８６Ｒは合成され、光学ユニット群７３５からは、合成色である光７２７を上に向けて反射させたことを確認できた。
【０２００】
以上、この実験装置７１０において実施された実証実験の結果から、誘電体多層膜フィルタ２枚３組合計６枚を組み合わせることで構成された画像表示装置用素子は、（１）主要原色（青色、緑色、赤色）を発色させることは勿論のこと、（２）それらの全ての合成色（例えば、シアン、黄色、マゼンタ、白色）を発色させることが可能であることが明確に認められた。
【０２０１】
以下、上述の第７〜第９の各実施形態に対応する実施例について説明する。
＜（実験例３）透過式発色の実験＞
＜実験例３の概要＞
ここでは、「透過式発色の実験」について説明する。この実験では、誘電体多層膜フィルタ４枚を組み合わせることで構成した本実施形態の一つである透過式発色実験装置４１０を用いて、本発明があらゆる色の光を放射可能な原理のひとつであることを実証する。
この実験は、次の２つの実証実験で構成されている。
１．（実験例３−Ａ）「透過式発色：七色発色の制御実験」
この実験では、本原理により放射可能な三原色の光の組み合わせを変えることで、色相を変化させることが可能であることを実証する。ここでは、三原色（青色、緑色、赤色）、および、それらの合成色（シアン、黄色、マゼンタ、白色）を発色させることが可能であることを確認する。
２．（実験例３−Ｂ）「透過式発色：単色輝度の制御実験」
この実験では、本原理により放射可能な三原色の光が、明暗を段階的に変化させることが可能であることを実証する。ここでは、三原色を構成する特定の波長域の光（赤色）に対して、その光の強さ（輝度）を最大と最小との間で段階的に制御することが可能であることを確認する。
【０２０２】
＜実験装置４１０の構成＞
＜配置＞
以下、これらの実験で用いた透過式発色実験装置４１０について、主要構成部の配置を述べる。
図３１は、実験装置４１０の構成を示す概略図である。図３２は、実験装置４１０の構造に対する理解を助けるために、構成の一部を抜粋したスケッチである。なお、図３１及び図３２では、実験装置４１０を構成する各構成部の位置関係が、図１５〜図１７に示した各構成部の位置関係とは逆になっている。
【０２０３】
実験装置４１０は、暗室に設置されて用いられた。
実験装置４１０は、その上面が水平に保たれた支持台４１４を基礎部として備えている。支持台４１４の上面には、光源ユニット４７６が設置されている。光源ユニット４７６の上には、発色ユニット４７５が設置されている。発色ユニット４７５の上には、色彩輝度計４２８が設置されている。
【０２０４】
＜基準線４１１＞
基準線４１１は、支持台４１４の上面中央を起点として、鉛直方向へ延ばした仮想線である。基準線４１１は、本実験において光路の基準となる。
【０２０５】
＜光源ユニット４７６＞
光源ユニット４７６は、この実験で必要とする白色平行光４２６を供給するものである。
光源ユニット４７６は、箱４７４、蛍光管４２４、円筒管４１６で構成されている。
以下、光源ユニット４７６の各構成部を説明する。
【０２０６】
＜箱４７４＞
箱４７４は、この実験にとって不必要な光を自身の外側へ漏らさないためのものである。
箱４７４は、蛍光管４２４、円筒管４１６を収納している。
箱４７４の内側には、不必要な光を吸収させるために黒色塗装が施されている。
【０２０７】
＜蛍光管４２４＞
蛍光管４２４は、高演色性白色光を放射する。
蛍光管４２４は、三菱電機照明（株）製の高演色形蛍光管（形式：ＦＬ２０Ｓ・Ｎ−ＥＤＬ・ＮＵ）である。この蛍光管の仕様は、色温度が５０００Ｋであり、平均演色評価数（Ｒａ）が９９である。
蛍光管４２４は、管の中央軸が水平になるように設置され、また、管の中心が基準線４１１と交差するように設置されている。
【０２０８】
＜円筒管４１６＞
円筒管４１６は、蛍光管４２４が放射した白色光のうち、基準線４１１と平行な光だけを抽出するものである。
円筒管４１６は、管の中央軸が基準線４１１と重なるように設置されている。
円筒管４１６の内側は、基準線４１１に対して平行に入射しなかった光を吸収させるために、黒色塗装が施されている。
円筒管４１６は、箱４７４の上面の中央部からその一部分が突出している。蛍光管４２４は、円筒管４１６を介して、上側に向けて白色平行光４２６を放射する。
【０２０９】
＜発色ユニット４７５＞
発色ユニット４７５は、本原理を具現化している箇所である。発色ユニット４７５は、白色平行光４２６が供給されると、本原理により作り出された光、即ち、出力光４２５を放射するものである。
発色ユニット４７５は、外周壁となる箱４７３の内側が３つのチャンバに分けられ、それらチャンバ毎に仕組み一式を収納したかたちになっている。
以下、発色ユニット４７５の各構成部を説明する。
＜箱４７３＞
箱４７３は、発色ユニット４７５の外周壁である。
箱４７３の内部は、下段がチャンバ４７Ｂ、中段がチャンバ４７Ｇ、上段がチャンバ４７Ｒと、３つのチャンバに分かれている。
箱４７３の内側は、破棄された光を吸収させるために黒色塗装が施されている。
【０２１０】
＜チャンバ４７Ｂ、チャンバ４７Ｇ、チャンバ４７Ｒ＞
チャンバ４７Ｂには、青色と認識できる光へ影響を与える仕組み一式が収納されている。
チャンバ４７Ｇには、緑色と認識できる光へ影響を与える仕組み一式が収納されている。
チャンバ４７Ｒには、赤色と認識できる光へ影響を与える仕組み一式が収納されている。
３つのチャンバには、チャンバ毎に、可動軸４１８、角度設定用ツマミ４１９、フォルダ４１７が設けられている。
以下に、３つのチャンバへ同じように設けられた構成部について、役割、配置、特徴を説明する。
【０２１１】
＜フォルダ４１７＞
フォルダ４１７は、厚めのコインの形をした素子である、素子４ＦＢ、素子４ＦＧ、素子４ＦＲを取り付けるものである。
フォルダ４１７は、各チャンバの中央に配置されている。
フォルダ４１７には可動軸４１８が設けられており、フォルダ４１７は、可動軸４１８を中心に回転させることができる。
【０２１２】
フォルダ４１７へ取り付けられている素子は、チャンバ毎に特性が異なる。チャンバ４７Ｂのフォルダ４１７には、素子４ＦＢが取り付けられている。チャンバ４７Ｇのフォルダ４１７には、素子４ＦＧが取り付けられている。チャンバ４７Ｒのフォルダ４１７には、素子４ＦＲが取り付けられている。
【０２１３】
＜可動軸４１８＞
可動軸４１８は、フォルダ４１７を回転させるものである。
可動軸４１８は、その軸が水平になる格好で、基準線４１１と直交している。
可動軸４１８の一方は、フォルダ４１７に繋がり、もう一方は、チャンバの内部に設けられた軸受（図示せず）と繋がっている。
つまり、フォルダ４１７に取り付けられた素子である、素子４ＦＢ、素子４ＦＧ、素子４ＦＲも、フォルダ４１７と共に、可動軸４１８を中心に回転する。
【０２１４】
＜入射角度θ＞
素子４ＦＢ、素子４ＦＧ、素子４ＦＲへの各入射角度θは、素子４ＦＢ、素子４ＦＧ、素子４ＦＲの各反射−透過特性を決定づけるものである。
図３１に示した中心線４１２は、可動軸４１８を通り、素子４ＦＢ、４ＦＧ、４ＦＲの各上面の中央に対して鉛直方向へ延ばした仮想線である。
ここで、入射角度θは、基準線４１１に対して中心線４１２が回転した角度である。ここで、基準線４１１と中心線４１２とが重なる入射角度θが０°である。
図３１には、入射角度θが４５°に設定されたフォルダ４１７、素子４ＦＢ、素子４ＦＧ、素子４ＦＲが、側面から眺めたかたちで描かれている。
【０２１５】
＜角度設定用ツマミ４１９＞
角度設定用ツマミ４１９は、観察者が入射角度θを容易に設定できるようにするものである。
角度設定用ツマミ４１９は、各可動軸４１８に取り付けられており、素子４ＦＢ、素子４ＦＧ、素子４ＦＲの各回転と連動する。また、角度設定用ツマミ４１９は、入射角度θを正確に設定するために、分度器を備えていてもよい。
【０２１６】
＜円形窓４２２、円形窓４２３、円形窓４７２＞
図３２には、３つの円形窓４２２、円形窓４２３、円形窓４７２が示されている。これらは光を通すために設けられた。
箱４７３の天井部には、円形窓４７２が設けられている。チャンバ４７Ｂとチャンバ４７Ｇとの間にある隔壁には、円形窓４２２が設けられている。チャンバ４７Ｇとチャンバ４７Ｒとの間にある隔壁には、円形窓４２３が設けられている。
【０２１７】
＜フォルダ４２１＞
フォルダ４２１は、厚めのコインの形をした素子４ＦＴを取り付けるものである。
フォルダ４２１は、箱４７３の底面部と一体となっている。フォルダ４２１は、その円形の中央に対して基準線４１１が鉛直に通るように固定されている。
つまり、フォルダ４２１に取り付けられた素子４ＦＴも、その上面の中央に対して基準線４１１が鉛直に通り、素子４ＦＴに対する入射角度θは、常に０°に設定されている。
図３１には、フォルダ４２１および素子４ＦＴが、側面から眺めたかたちで描かれている。
【０２１８】
＜色彩輝度計４２８＞
色彩輝度計４２８は、発色ユニット４７５から放射されてきた光、つまり出力光４２５を測定するものである。
色彩輝度計４２８には、受光レンズ４２９が装備されている。色彩輝度計４２８は、その受光レンズ４２９の中央を基準線４１１が通るように設置されている。この受光レンズ４２９は、発色ユニット４７５の内部へ向けられている。
観察者は、色彩輝度計４２８に装備されたファインダ内に映る照準円を使って測定位置と測定範囲を定める。これに従って輝度（Ｌｖ）と色度（ｕ’，ｖ’）が測定され、その結果が表示される。
色彩輝度計４２８には、コニカミノルタ（株）製の色彩輝度計（型式：色彩輝度計ＣＳ−１６０」を用いた。
【０２１９】
＜素子の光学特性＞
以下、この実験において使用した４つの素子である、素子４ＦＢ、素子４ＦＧ、素子４ＦＲ、素子４ＦＴの特徴を述べる。これら特徴は、本発明による発色原理にかかわる核心部分である。
【０２２０】
＜特性：素子４ＦＢ＞
素子４ＦＢは、青色と認識できる波長域の光の輝度を制御するために用いている。
素子４ＦＢには、シグマ光機（株）製のロングパスフィルタ（誘電体多層膜コート）（型番：ＬＯＰＦ−２５Ｃ−４４８）を使用した。
一般的に、ロングパスフィルタ（誘電体多層膜コート）は、境界波長域を境とし、短波長側の光を反射（正反射）させ、長波長側の光を透過させる、という特徴がある。
また、一般的に、ロングパスフィルタ（誘電体多層膜コート）に対する入射角度を増すほど、境界波長域が短波長側へシフトする、という特徴がある。
【０２２１】
図３３Ａには、素子４ＦＢへの入射角度θの変化に伴う反射−透過特性の変化を示すグラフ４ＨＢを描いた。これは実測した数値をもとに要点だけを描き出したものである。
このグラフでは、入射角度θが０°のとき、境界波長域の中心４ＡＢ０が約４９８ｎｍ付近にあり、入射角度θを６０°まで変化させると、境界波長域の中心４ＡＢ６０が約４４５ｎｍ付近まで短波長側へシフトすることを示す。
【０２２２】
図３３Ｂには、３つの波長域の光である、青色と認識できる４８０ｎｍを中心とする波長域の光４８Ｂ、光４８Ｂから少し離れた短波長側にある光４８Ｖ、光４８Ｂから少し離れた長波長側にある光４８ＣＧＹＲＩを、素子４ＦＢの下側から照射したとき、素子４ＦＢに設定された入射角度θの変化によって、これら３つの波長域の光が、どのような影響を受けるかを、グラフ４ＨＢの上へ光路を描くかたちで示した。
【０２２３】
光４８Ｂについて述べると、素子４ＦＢへの入射角度θが０°のとき、光４８Ｂに対する反射率（Ｒ％）は大きく、光４８Ｂは下側へ反射される。他方、入射角度θが６０°のとき、光４８Ｂに対する透過率（Ｔ％）は大きく、光４８Ｂは上側へ透過する。
光４８Ｖについて述べると、素子４ＦＢへの入射角度θが０°から６０°まで、光４８Ｖに対する反射率（Ｒ％）が大きく、光４８Ｖは常に下側へ反射される。
光４８ＣＧＹＲＩについて述べると、素子４ＦＢへの入射角度θが０°から６０°まで、光４８ＣＧＹＲＩに対する透過率（Ｔ％）が大きく、光４８ＣＧＹＲＩは常に上側へ透過する。
つまり、素子４ＦＢへの入射角度θの変化は、青色と認識できる４８０ｎｍを中心とする波長域の光４８Ｂだけに劇的（動的）な影響を与えることが判る。
【０２２４】
＜特性：素子４ＦＧ＞
素子４ＦＧは、緑色と認識できる波長域の光の輝度を制御するために用いている。
素子４ＦＧには、シグマ光機（株）製のノッチフィルタ（誘電体多層膜コート）（型番：ＮＦ−２５Ｃ０５−４０−５３２）を使用した。
一般的に、ノッチフィルタ（誘電体多層膜コート）は、限定された波長域の光を反射（正反射）させる高反射率波長域があり、それ以外の波長域は光を透過させる、という特徴がある。
また、一般的に、ノッチフィルタ（誘電体多層膜コート）に対する入射角度を増すほど、高反射率波長域が短波長側へシフトする、という特徴がある。
【０２２５】
図３４Ａには、素子４ＦＧへの入射角度θの変化に伴う反射−透過特性の変化を示すグラフ４ＨＧを描いた。これは実測した数値をもとに要点だけを描き出したものである。
このグラフでは、入射角度θが０°のとき、高反射率波長域の中心４ＡＧ０が約５３５ｎｍ付近にあり、入射角度θを３０°まで変化させると、高反射率波長域の中心４ＡＧ３０が約５０５ｎｍ付近まで短波長側へシフトすることを示す。
【０２２６】
図３４Ｂには、３つの波長域の光である、緑色と認識できる５４５ｎｍを中心とする波長域の光４８Ｇ、光４８Ｇから少し離れた短波長側にある光４８ＶＢＣ、光４８Ｇから少し離れた長波長側にある光４８ＹＲＩを、素子４ＦＧの下側から照射したとき、素子４ＦＧに設定された入射角度θの変化によって、これら３つの波長域の光が、どのような影響を受けるかを、グラフ４ＨＧの上へ光路を描くかたちで示した。
【０２２７】
光４８Ｇについて述べると、素子４ＦＧへの入射角度θが０°のとき、光４８Ｇに対する反射率（Ｒ％）は大きく、光４８Ｇは下側へ反射される。他方、入射角度θが３０°のとき、光４８Ｇに対する透過率（Ｔ％）は大きく、光４８Ｇは上側へ透過する。
光４８ＶＢＣについて述べると、素子４ＦＧへの入射角度θが０°から３０°まで、光４８ＶＢＣに対する透過率（Ｔ％）が大きく、光４８ＶＢＣは常に上側へ透過する。
光４８ＹＲＩについて述べると、素子４ＦＧへの入射角度θが０°から３０°まで、光４８ＹＲＩに対する透過率（Ｔ％）が大きく、光４８ＹＲＩは常に上側へ透過する。
つまり、素子４ＦＧへの入射角度θの変化は、緑色と認識できる５４５ｎｍを中心とする波長域の光４８Ｇだけに劇的（動的）な影響を与えることが判る。
【０２２８】
＜特性：素子４ＦＲ＞
素子４ＦＲは、赤色と認識できる波長域の光の輝度を制御するために用いている。
素子４ＦＲには、シグマ光機（株）製のロングパスフィルタ（誘電体多層膜コート）（型番：ＳＨＰＦ−２５Ｃ−６５０）を使用した。
一般的に、ショートパスフィルタ（誘電体多層膜コート）は、境界波長域を境とし、長波長側の光を反射（正反射）させ、短波長側の光を透過させる、という特徴がある。
また、一般的に、ショートパスフィルタ（誘電体多層膜コート）に対する入射角度を増すほど、境界波長域が短波長側へシフトする、という特徴がある。
【０２２９】
図３５Ａには、素子４ＦＲへの入射角度θの変化に伴う反射−透過特性の変化を示すグラフ４ＨＲを描いた。これは実測した数値をもとに要点だけを描き出したものである。
このグラフでは、入射角度θが０°のとき、境界波長域の中心４ＡＲ０が約６３３ｎｍ付近にあり、入射角度θを４０°まで変化させると、境界波長域の中心４ＡＲ４０が約５９３ｎｍ付近まで短波長側へシフトすることを示す。
【０２３０】
図３５Ｂには、３つの波長域の光である、赤色と認識できる６２０ｎｍを中心とする波長域の光４８Ｒ、光４８Ｒから少し離れた短波長側にある光４８ＶＢＣＧＹ、光４８Ｒから少し離れた長波長側にある光４８Ｉを、素子４ＦＲの下側から照射したとき、素子４ＦＲに設定された入射角度θの変化によって、これら３つの波長域の光が、どのような影響を受けるかを、グラフ４ＨＲの上へ光路を描くかたちで示した。
【０２３１】
光４８Ｒについて述べると、素子４ＦＲへの入射角度θが０°のとき、光４８Ｒに対する透過率（Ｔ％）は大きく、光４８Ｒは上側へ透過する。他方、入射角度θが４０°のとき、光４８Ｒに対する反射率（Ｒ％）は大きく、光４８Ｒは下側へ反射される。
光４８ＶＢＣＧＹについて述べると、素子４ＦＲへの入射角度θが０°から４０°まで、光４８ＶＢＣＧＹに対する透過率（Ｔ％）が大きく、光４８ＶＢＣＧＹは常に上側へ透過する。
光４８Ｉについて述べると、素子４ＦＲへの入射角度θが０°から４０°まで、光４８Ｉに対する反射率（Ｒ％）が大きく、光４８Ｉは常に下側へ反射される。
つまり、素子４ＦＲへの入射角度θの変化は、赤色と認識できる６２０ｎｍを中心とする波長域の光４８Ｒだけに劇的（動的）な影響を与えることが判る。
【０２３２】
＜特性：素子４ＦＴ＞
素子４ＦＴは、３つの波長域の光を抽出するために用いている。
素子４ＦＴには、エドモンド・オプティクス・ジャパン（株）製のマルチバンドパスフィルタ（誘電体多層膜コート）（型番：４５７／５３０／６２８ＮＭ  ２５ＭＭ  Ｔｒｉ−Ｂａｎｄ  Ｆｉｌｔｅｒ）を使用した。
一般的に、マルチバンドパスフィルタ（誘電体多層膜コート）は、限定された波長域の光を透過させる高透過率波長域が複数個所あり、それ以外の波長域は光を反射（正反射）させる、という特徴がある。
【０２３３】
図３６Ａには、素子４ＦＴの反射−透過特性を示すグラフ４ＨＴを描いた。これは実測した数値をもとに、その特性の要点だけを描き出したものである。
このグラフでは、３つの高透過率波長域である、４５５ｎｍを中心とした約３０ｎｍ幅の波長域、５２８ｎｍを中心とした約３０ｎｍ幅の波長域、６２６ｎｍを中心とした約４０ｎｍ幅の波長域があること示す。
【０２３４】
図３６Ｂにおいては、素子４ＦＴの下側から白色平行光４２６を照射したとき、その白色平行光４２６に含まれる波長域成分が、素子４ＦＴによってどのような影響を受けるかを、グラフ４ＨＴの上へ光路を描くかたちで示した。
【０２３５】
素子４ＦＴは、白色平行光４２６を７つの波長域の光へ分離し、そのうち３つの波長域の光だけを透過させる。
素子４ＦＴが上側へ透過させる波長域の光は、青色と認識できる４５５ｎｍを中心とする波長域の光４３Ｂ、緑色と認識できる５２８ｎｍを中心とする波長域の光４３Ｇ、赤色と認識できる６２６ｎｍを中心とする波長域の光４３Ｒである。
また、素子４ＦＴが下側へ反射させる波長域の光は、青紫色とも認識できる、光４３Ｂと紫外線域との間にある波長域の光４３Ｖ、シアンとも認識できる、光４３Ｂと光４３Ｇとの間にある波長域の光４３Ｃ、黄色とも認識できる、光４３Ｇと光４３Ｒとの間にある波長域の光４３Ｙ、深みのある赤色とも認識できる、光４３Ｒと赤外線域との間にある波長域の光４３Ｉである。
【０２３６】
素子４ＦＴを上側へ透過した光、すなわち、素子４ＦＴによって抽出された３つの波長域の光である、光４３Ｂ、光４３Ｇ、光４３Ｒは、この後、素子４ＦＢ、素子４ＦＧ、素子４ＦＲによって都合よく制御が可能な波長域の光である。
【０２３７】
＜組み合わせによる機能＞
上記には、素子４ＦＴが、白色平行光４２６から、３つの波長域の光である、光４３Ｂ、光４３Ｇ、光４３Ｒを抽出することを述べた。
ここからは、これら３つの波長域の光である、光４３Ｂ、光４３Ｇ、光４３Ｒに対して、３つの素子である、素子４ＦＢ、素子４ＦＧ、素子４ＦＲがどのような影響を与えるかを説明する。
【０２３８】
＜素子４ＦＴと素子４ＦＢ＞
図３７には、素子４ＦＴが３つの波長域の光である、光４３Ｂ、光４３Ｇ、光４３Ｒを抽出する様子、及び、素子４ＦＢが３つの波長域の光である、光４３Ｂ、光４３Ｇ、光４３Ｒへ与える影響を、グラフ４ＨＴ、グラフ４ＨＢの上へ光路を描くかたちで示した。
【０２３９】
素子４ＦＢは、素子４ＦＢに届いた３つの波長域の光である、光４３Ｂ、光４３Ｇ、光４３Ｒのうち、２つの波長域の光である、光４３Ｇ、光４３Ｒに対しては透過率（Ｔ％）が常に大きく、影響を与えずに上側へ透過させるだけである。しかし、青色と認識できる光４３Ｂに対しては、反射光４４Ｂと透過光４５Ｂとへ分離する。
【０２４０】
素子４ＦＴと素子４ＦＢとの組み合わせにおいては、素子４ＦＢへ設定された入射角度θが０°のとき、光４３Ｂに対する素子４ＦＢの反射率（Ｒ％）が最も大きく、光４３Ｂの大部分が反射光４４Ｂとなる。
ここで、入射角度θを０°から６０°へ増加させると、光４３Ｂに対して長波長側から短波長側に向かって順に透過率（Ｔ％）が大きくなり、透過光４５Ｂは増加し、反射光４４Ｂは減少する。
入射角度θを６０°へ設定したとき、光４３Ｂに対する素子４ＦＢの透過率（Ｔ％）は最も大きくなり、光４３Ｂの多くは透過光４５Ｂとなる。（機械的な影響を避けるため、入射角度θは６０°まで設定できる。）
つまり、青色と認識できる光４５Ｂの輝度（Ｌｖ）は、素子４ＦＢへ設定した入射角度θに応じた制御が可能である。
【０２４１】
＜素子４ＦＴと素子４ＦＧ＞
図３８には、素子４ＦＴが３つの波長域の光である、光４３Ｂ、光４３Ｇ、光４３Ｒを抽出する様子、及び、素子４ＦＧが３つの波長域の光である、光４３Ｂ、光４３Ｇ、光４３Ｒへ与える影響を、グラフ４ＨＴ、グラフ４ＨＧの上へ光路を描くかたちで示した。
【０２４２】
素子４ＦＧは、素子４ＦＧに届いた３つの波長域の光である、光４３Ｂ、光４３Ｇ、光４３Ｒのうち、２つの波長域の光である、光４３Ｂ、光４３Ｒに対しては透過率（Ｔ％）が常に大きく、影響を与えずに上側へ透過させるだけである。しかし、緑色と認識できる光４３Ｇに対しては、反射光４４Ｇと透過光４５Ｇとへ分離する。
【０２４３】
素子４ＦＴと素子４ＦＧとの組み合わせにおいては、素子４ＦＧへ設定された入射角度θが約１５°のとき、光４３Ｇに対する素子４ＦＧの反射率（Ｒ％）が最も大きく、光４３Ｇの大部分が反射光４４Ｇとなる。
ここで、入射角度θを１５°から３０°へ増加させると、光４３Ｇに対して長波長側から短波長側に向かって順に透過率（Ｔ％）が大きくなり、透過光４５Ｇは増加し、反射光４４Ｇは減少する。
入射角度θを３０°へ設定したとき、光４３Ｇに対する素子４ＦＧの透過率（Ｔ％）は最も大きくなり、光４３Ｇの多くは透過光４５Ｇとなる。（光４３Ｂへの影響を避けるため、入射角度θは３０°まで設定できる。）
つまり、緑色と認識できる光４５Ｇの輝度（Ｌｖ）は、素子４ＦＧへ設定した入射角度θに応じた制御が可能である。
【０２４４】
＜素子４ＦＴと素子４ＦＲ＞
図３９には、素子４ＦＴが３つの波長域の光である、光４３Ｂ、光４３Ｇ、光４３Ｒを抽出する様子、及び、素子４ＦＲが３つの波長域の光である、光４３Ｂ、光４３Ｇ、光４３Ｒへ与える影響を、グラフ４ＨＴ、グラフ４ＨＲの上へ光路を描くかたちで示した。
【０２４５】
素子４ＦＲは、素子４ＦＲに届いた３つの波長域の光である、光４３Ｂ、光４３Ｇ、光４３Ｒのうち、２つの波長域の光である、光４３Ｂ、光４３Ｇに対しては、透過率（Ｔ％）が常に大きく、影響を与えずに上側へ透過させるだけである。しかし、赤色と認識できる光４３Ｒに対しては、反射光４４Ｒと透過光４５Ｒとへ分離する。
【０２４６】
素子４ＦＴと素子４ＦＲとの組み合わせにおいては、素子４ＦＲへ設定された入射角度θが約４０°のとき、光４３Ｒに対する素子４ＦＲの反射率（Ｒ％）が最も大きく、光４３Ｒの大部分が反射光４４Ｒとなる。
ここで、入射角度θを４０°から０°へ減少させると、光４３Ｒに対して短波長側から長波長側へ向かって順に透過率（Ｔ％）が大きくなり、透過光４５Ｒは増加し、反射光４４Ｒは減少する。
入射角度θを０°へ設定したとき、光４３Ｒに対する素子４ＦＲの透過率（Ｔ％）は最も大きくなり、光４３Ｒの多くは透過光４５Ｒとなる。（透過率に変化がみられる入射角度θは４０°までのため、有効な入射角度θは４０°までの設定となる。）
つまり、赤色と認識できる光４５Ｒの輝度（Ｌｖ）は、素子４ＦＲへ設定した入射角度θに応じた制御が可能である。
【０２４７】
＜光路＞
ここでは、この実験装置４１０における光路について述べる。
図３１は、この実験装置４１０の構成を示すが、それと同時に、主要な光路も示す。
図４０は、特に、発色ユニット４７５の内部に設置された４つの素子である、素子４ＦＴ、素子４ＦＢ、素子４ＦＧ、素子４ＦＲによる作用と光路を、グラフ４ＨＴ、グラフ４ＨＢ、グラフ４ＨＧ、グラフ４ＨＲの上へ描くかたちで示した。
【０２４８】
＜光路：光源ユニット＞
この実験装置４１０における光路は、光源ユニット４７６の内部へ設置された蛍光管４２４から始まって、実験装置４１０の最も高い位置に設置された彩色輝度計４２８の受光レンズ４２９に至る。
【０２４９】
光源ユニット４７６の内部において、蛍光管４２４が放射する白色光は、その上側に設置された円筒管４１６を通り抜けることで、白色平行光４２６となる。
この白色平行光４２６は、光源ユニット４７６の上側に設置された発色ユニット４７５へ向かい、その底面に配置された素子４ＦＴへ届く。
【０２５０】
＜光路：４ＦＴ＞
素子４ＦＴは、白色平行光４２６から、３つの波長域の光である、青色と認識できる光４３Ｂ、緑色と認識できる光４３Ｇ、赤色と認識できる光４３Ｒを抽出する。
これら３つの波長域の光である、光４３Ｂ、光４３Ｇ、光４３Ｒは、素子４ＦＴを透過して上側へ向かう。他の４つの波長域の光である、光４３Ｖ、光４３Ｃ、光４３Ｙ、光４３Ｉは反射されて破棄される。
【０２５１】
＜光路：４ＦＢ＞
素子４ＦＢへ、３つの波長域の光である、光４３Ｂ、光４３Ｇ、光４３Ｒが届く。
素子４ＦＢは、青色と認識できる光４３Ｂを透過光４５Ｂと反射光４４Ｂとへ分離する。光４５Ｂは上側へ向かい、光４４Ｂは破棄される。光４５Ｂの輝度（Ｌｖ）は、素子４ＦＢへの入射角度θに応じて定まる。他の２つの波長域の光である、光４３Ｇ、光４３Ｒは、素子４ＦＢから影響を受けず透過して上側へ向かう。
【０２５２】
＜光路：４ＦＧ＞
素子４ＦＧへ、３つの波長域の光である、光４５Ｂ、光４３Ｇ、光４３Ｒが届く。
素子４ＦＧは、緑色と認識できる光４３Ｇを透過光４５Ｇと反射光４４Ｇとへ分離する。光４５Ｇは上側へ向かい、光４４Ｇは破棄される。光４５Ｇの輝度（Ｌｖ）は、素子４ＦＧへの入射角度θに応じて定まる。他の２つの波長域の光である、光４５Ｂ、光４３Ｒは、素子４ＦＧから影響を受けず透過して上側へ向かう。
【０２５３】
＜光路：４ＦＲ＞
素子４ＦＲへ、３つの波長域の光である、光４５Ｂ、光４５Ｇ、光４３Ｒが届く。
素子４ＦＲは、赤色と認識できる光４３Ｒを透過光４５Ｒと反射光４４Ｒとへ分離する。光４５Ｒは上側へ向かい、光４４Ｒは破棄される。光４５Ｒの輝度（Ｌｖ）は、素子４ＦＲへの入射角度θに応じて定まる。他の２つの波長域の光である、光４５Ｂ、光４５Ｇは、素子４ＦＲから影響を受けず透過して上側へ向かう。
【０２５４】
＜光路：彩色輝度計＞
発色ユニット４７５の内部から、上側へ向けて放射される光は、透過光４５Ｂ、透過光４５Ｇ、透過光４５Ｒであるが、これらは、輝度の制御を受けた青色と認識できる光４６Ｂ、輝度の制御を受けた緑色と認識できる光４６Ｇ、輝度の制御を受けた赤色と認識できる光４６Ｒでもある。これら光４６Ｂ、光４６Ｇ、光４６Ｒが合成された光が、本原理により作り出された光、即ち出力光４２５であり、色彩輝度計４２８へ向かい、その色度や輝度が測定される。
【０２５５】
＜色相と明暗の制御＞
以下、この実験装置４１０における色相の制御と明暗の制御について述べる。
＜七色発色制御＞
上記で述べたように、出力光４２５は、光４６Ｂ、光４６Ｇ、光４６Ｒが合成されたものであるが、これら３つの光の放射の組み合わせを変えることで、出力光４２５の色相を変化させることができる。この制御によって発色させることが可能な色は、三原色である、青色、緑色、赤色、および、これらの合成色である、シアン、黄色、マゼンタ、白色の７色である。
【０２５６】
＜単色輝度制御＞
また、光４６Ｂ、光４６Ｇ、光４６Ｒは、いずれも、明暗を段階的に変化させることが可能である。観察のやり易さのために、どれかひとつの光を選び、その光の明暗を段階的に変化させてみるとよい。つまり、特定の波長域の光に対して、その光の強さ（輝度）を最大と最小との間で段階的に制御することが可能である。
＜色相と明暗の制御＞
ここにおいて、この実験装置４１０によって、上記に述べた色相の制御と明暗の制御が可能であることは、本発明があらゆる色の光を放射可能な原理のひとつであることを示している。
【０２５７】
＜実験例３−Ａ＞
＜透過式発色：七色発色の制御実験＞
＜目的＞
この実験は、「透過式発色実験装置」４１０において、三原色である、青色、緑色、赤色、および、それらの合成色である、シアン、黄色、マゼンタ、白色が発色できたことを確認するものである。
＜実験光路＞
この実験では、実験装置４１０に備わっている光路をすべて使用する。つまり、図４０に示した光路である。
【０２５８】
＜実験過程＞
以下、図３１を使って本実験の過程を説明する。
実験装置４１０おいて、まず、光源ユニット４７６によって白色平行光４２６を、発色ユニット４７５へ供給する。
すると、発色ユニット４７５の内部から出力光４２５が上側へ向かって放射され、色彩輝度計４２８へ届く。
この放射された光４２５を色彩輝度計４２８によって測定し、輝度（Ｌｖ）、色度（ｕ’，ｖ’）を表示させる。
ここで、観察者は、下記で述べる手順に従い、発色ユニット４７５に備わった３つの角度設定用ツマミ４１９を回したり、色彩輝度計４２８が表示する輝度（Ｌｖ）、色度（ｕ’，ｖ’）を読んだりしながら、光４２５が測定対象の色となるように、３つの素子である、素子４ＦＢ、素子４ＦＧ、素子４ＦＲへの各入射角度θを設定する。
そして、測定対象の色となったら、色彩輝度計４２８のファインダ内に輝く色を目視観察し、その後、色彩輝度計４２８が示す色度（ｕ’，ｖ’）を記録する。
なお、上記の測定および観察を、測定対象の色である白色、シアン、青色、マゼンタ、赤色、黄色、緑色において実施した。
【０２５９】
以下に、測定対象の色である白色、シアン、青色、マゼンタ、赤色、黄色、緑色を発色させるための手順について説明する。また、測定対象の色を発色できたその時、色彩輝度計４２８のファインダ内を覗き、そこに輝いている色についての観察結果も述べる。
【０２６０】
＜白色＞
これは、色彩輝度計４２８の表示を見ながら、可能な限り、輝度（Ｌｖ＝１５００）、色度（ｕ’＝０．２１，ｖ’＝０．４９）へ近付くように、３つの角度設定用ツマミ４１９を用いて、３つの素子である、素子４ＦＢ、素子４ＦＧ、素子４ＦＲへの各入射角度θを設定する。これにより、白色を発色させる。
そして、この時、目視観察において、色彩輝度計４２８のファインダ内に、白色と認識できる輝きを確認できた。
以下、この白色を基準として、この白色から不必要な色を引いていくことで、白色以外の測定対象の色を作り出す。
【０２６１】
＜シアン＞
まず、上述した白色を発色させるための手順によって、白色を発色させる。
その後、素子４ＦＲの角度設定用ツマミ４１９を用いて、素子４ＦＲへの入射角度θを約４０°に設定して赤色を最小の輝度にする。これによりシアンが発色する。
そして、この時、目視観察において、色彩輝度計４２８のファインダ内に、シアンと認識できる輝きを確認できた。
【０２６２】
＜青色＞
まず、上述したシアンを発色させるための手順によって、シアンを発色させる。
その後、素子４ＦＧの角度設定用ツマミ４１９を用いて、素子４ＦＧへの入射角度θを約１５°に設定して緑色を最小の輝度にする。これにより青色が発色する。
そして、この時、目視観察において、色彩輝度計４２８のファインダ内に、青色と認識できる輝きを確認できた。
【０２６３】
＜マゼンタ＞
まず、上述した白色を発色させるための手順によって、白色を発色させる。
その後、素子４ＦＧの角度設定用ツマミ４１９を用いて、素子４ＦＧへの入射角度θを約１５°に設定して緑色を最小の輝度にする。これによりマゼンタが発色する。
そして、この時、目視観察において、色彩輝度計４２８のファインダ内に、マゼンタと認識できる輝きを確認できた。
【０２６４】
＜赤色＞
まず、上述したマゼンタを発色させるための手順によって、マゼンタを発色させる。
その後、素子４ＦＢの角度設定用ツマミ４１９を用いて、素子４ＦＢへの入射角度θを約０°に設定して青色を最小の輝度にする。これにより赤色が発色する。
そして、この時、目視観察において、色彩輝度計４２８のファインダ内に、赤色と認識できる輝きを確認できた。
【０２６５】
＜黄色＞
まず、上述の白色を発色させるための手順によって、白色を発色させる。
その後、素子４ＦＢの角度設定用ツマミ４１９を用いて、素子４ＦＢへの入射角度θを約０°に設定して青色を最小の輝度にする。これにより黄色が発色する。
そして、この時、目視観察において、色彩輝度計４２８のファインダ内に、黄色と認識できる輝きを確認できた。
【０２６６】
＜緑色＞
まず、上述した黄色を発色させるための手順によって、黄色を発色させる。
その後、素子４ＦＲの角度設定用ツマミ４１９を用いて、素子４ＦＲへの入射角度θを約４０°に設定して赤色を最小の輝度にする。これにより緑色が発色する。
そして、この時、目視観察において、色彩輝度計４２８のファインダ内に、緑色と認識できる輝きを確認できた。
【０２６７】
＜測定結果＞
以下、測定から得た色度表と、これをもとに描いた色度図について説明する。
表３は、測定対象の色である白色、シアン、青色、マゼンタ、赤色、黄色、緑色の各色に設定することで、発色ユニット４７５から放射された光４２５について、色度（ｕ’，ｖ’）を測定し、その結果を数値表にしたものである。
【０２６８】
【表３】
2018056451.tif 000005
【０２６９】
図４１は、表３の色度（ｕ’，ｖ’）に基づき描いた色度図である。測定した白色、シアン、青色、マゼンタ、赤色、黄色、緑色について、各色の色度（ｕ’，ｖ’）が示す座標へ●印を描いた。また、参考例として、冷陰極管液晶ディスプレイの色域を示す三角形を描いた。
【０２７０】
＜色度観察＞
以下、図４１の色度図の上に描かれた各●印についての考察である。
白色の色度を示す●印（●Ｗｈｉｔｅ）は、黒体軌跡上の５０００Ｋ近辺に位置していた。つまり、これは人が白色と認識できる光である。なお、白色は、青色と緑色と赤色との合成色である。以降、●Ｗｈｉｔｅを単に「●Ｗ」とも称する。
青色の色度を示す●印（●Ｂｌｕｅ）は、●Ｗを中心として、色度図上において青色成分が多く含まれる方向に位置していた。つまり、これは人が青色と認識できる光である。以降、●Ｂｌｕｅを単に「●Ｂ」とも称する。
緑色の色度を示す●印（●Ｇｒｅｅｎ）は、●Ｗを中心として、色度図上において緑色成分が多く含まれる方向に位置していた。つまり、これは人が緑色と認識できる光である。以降、●Ｇｒｅｅｎを単に「●Ｇ」とも称する。
赤色の色度を示す●印（●Ｒｅｄ）は、●Ｗを中心として、色度図上において赤色成分が多く含まれる方向に位置していた。つまり、これは人が赤色と認識できる光である。以降、●Ｒｅｄを単に「●Ｒ」とも称する。
【０２７１】
黄色の色度を示す●印（●Ｙｅｌｌｏｗ）は、●Ｗを中心とした●Ｂとは反対側の方向で、●Ｇと●Ｒとの間に位置していた。つまり、これは人が黄色と認識できる光である。なお、黄色は、青色に対する補色であり、緑色と赤色との合成色である。
シアンの色度を示す●印（●Ｃｙａｎ）は、●Ｗを中心とした●Ｒとは反対側の方向で、●Ｂと●Ｇとの間に位置していた。つまり、これは人がシアンと認識できる光である。なお、シアンは、赤色に対する補色であり、青色と緑色との合成色である。
マゼンタの色度を示す●印（●Ｍａｇｅｎｔａ）は、●Ｗを中心とした●Ｇとは反対側の方向で、●Ｂと●Ｒとの間に位置していた。つまり、これは人がマゼンタと認識できる光である。なお、マゼンタは、緑色に対する補色であり、青色と赤色との合成色である。
【０２７２】
＜実験結果への評価＞
以上、ここまでの実験における目視観察、および、測定した色度数値からは、観察者が白色となるように設定したとき、観察者は白色と認識できる発色を確認できた。また、観察者がシアンとなるように設定したとき、観察者はシアンと認識できる発色を確認できた。また、観察者が青色となるように設定したとき、観察者は青色と認識できる発色を確認できた。また、観察者がマゼンタとなるように設定したとき、観察者はマゼンタと認識できる発色を確認できた。また、観察者が赤色となるように設定したとき、観察者は赤色と認識できる発色を確認できた。また、観察者が黄色となるように設定したとき、観察者は黄色と認識できる発色を確認できた。また、観察者が緑色となるように設定したとき、観察者は緑色と認識できる発色を確認できた。
【０２７３】
＜七色発色の制御実験への評価＞
以上、この実験装置４１０において、三原色である、青色、緑色、赤色、および、それらの合成色である、シアン、黄色、マゼンタ、白色を発色させることが可能であることを確認できた。
つまり、本原理により放射可能な三原色の光の組み合わせを変えることで、色相を変化させることが可能であることが明確に認められた。
以上、（実験例３−Ａ）「透過式発色：七色発色の制御実験」について述べた。
【０２７４】
＜実験例３−Ｂ＞
＜透過式発色：単色輝度の制御実験＞
＜目的＞
この実験は、「透過式発色実験装置」４１０において、放射される特定の波長域の光（赤色）について、その光の強さ（輝度）を最大と最小との間で段階的に制御することが可能であることを確認するものである。
＜実験光路＞
この実験では、実験装置４１０に備わっている光路のうち、特に、赤色と認識できる波長域の光４３Ｒの系統の光路を使用する。その他の系統の光路は使用しない。図４２には、この実験で使用する光路を示した。
【０２７５】
＜実験過程＞
以下、図３１を使って本実験の過程を説明する。
実験装置４１０おいて、まず、光源ユニット４７６によって白色平行光４２６を、発色ユニット４７５へ供給する。
すると、発色ユニット４７５の内部から出力光４２５が上側へ向かって放射され、色彩輝度計４２８へ届く。
この放射された光４２５を色彩輝度計４２８によって測定し、輝度（Ｌｖ）、色度（ｕ’，ｖ’）を表示させる。
まず、ここで、観察者は、発色ユニット４７５に備わった３つの角度設定用ツマミ４１９を回したり、色彩輝度計４２８が表示する輝度（Ｌｖ）、色度（ｕ’，ｖ’）を読んだりしながら、光４２５の輝度（Ｌｖ）が最小（暗がり）となるよう３つの素子である、素子４ＦＢ、素子４ＦＧ、素子４ＦＲへの各入射角度θを設定する。参考として、光４２５が最小の輝度（Ｌｖ）となる３つの素子の各入射角度θは、それぞれ、素子４ＦＢが約０°付近、素子４ＦＧが約１５°付近、素子４ＦＲが約４０°付近である。
【０２７６】
次に、素子４ＦＲの角度設定用ツマミ４１９を回して、素子４ＦＲへの入射角度θを０°へ設定する。
すると、発色ユニット４７５の内部から上側へ向かって出力光４２５が放射され、色彩輝度計４２８へ向かう。
この時、色彩輝度計４２８のファインダ内には「赤色の輝き」を見ることができる。これは、即ち、輝度の制御を受けた赤色と認識できる光４６Ｒである。
【０２７７】
この光４２５を色彩輝度計４２８によって測定し、輝度（Ｌｖ）、色度（ｕ’，ｖ’）を表示させ、それらを記録する。また、色彩輝度計４２８のファインダ内を覗き、そこに輝いている光の様子も目視観察する。
上記の測定を、素子４ＦＲの角度設定用ツマミ４１９を回すことで、素子４ＦＲへの入射角度θを０°から５°キザミで４０°まで設定し、それぞれの入射角度θで実施した。
【０２７８】
＜測定結果＞
以下、測定から得た数値表と、これをもとに描いたグラフと色度図について説明する。
表４は、素子４ＦＲへの入射角度θの変化に伴う輝度（Ｌｖ）と色度（ｕ’，ｖ’）の変化を示す数値表である。
【０２７９】
【表４】
2018056451.tif 000006
【０２８０】
図４３は、表４の輝度（Ｌｖ）の数値に基づき描かれた素子４ＦＲへの入射角度θの変化に伴う輝度（Ｌｖ）の変化の軌跡を示すグラフである。
図４４は、表４の色度（ｕ’，ｖ’）の数値に基づき描かれた素子４ＦＲへの入射角度θの変化に伴う色度（ｕ’，ｖ’）の変化の軌跡を示す色度図である。
【０２８１】
＜輝度と色度の評価＞
以下、この実験で得られた結果から、まず、輝度（Ｌｖ）に対する考察である。
図４３から、素子４ＦＲへの入射角度θを０°から４０°まで増加させるにつれて、輝度（Ｌｖ）は最大から最小まで、逆Ｓ字曲線を描きながら低下していく。しかし、逆Ｓ字曲線を描きながらも、入射角度θが５°から３５°までの輝度（Ｌｖ）の変化については、直線性が強いことも見て取れ、段階的な輝度の制御が容易であると言える。
入射角度θが０°での輝度（Ｌｖ）は６００以上の数値であり、４０°での輝度（Ｌｖ）は少数点以下の数値であり、はっきりとしたコントラストがあると言える。
また、入射角度θが４０°における最小の輝度（Ｌｖ）は十分に「暗がり」と言える。
【０２８２】
次に、色度（ｕ’，ｖ’）に対する考察である。
図４４は、色度（ｕ’，ｖ’）の変化について示しているが、入射角度θを０°から４０°まで増加させるにつれて、色度（ｕ’，ｖ’）は少しずつ動く。これは、０°での色度（ｕ’，ｖ’）を示す●印から、３５°での色度（ｕ’，ｖ’）を示す●印までである。入射角度θが４０°については、十分に「暗がり」であり、色度（ｕ’，ｖ’）の測定はできない。
上記の色度（ｕ’，ｖ’）の変化について述べると、輝度（Ｌｖ）が大きく変化する中で、目視観察において色度（ｕ’，ｖ’）の変化を認識することは難しく、色度（ｕ’，ｖ’）の変化はわずかであると言える。
【０２８３】
＜実験結果への評価＞
以上、ここまでの実験における目視観察、および、測定した輝度（Ｌｖ）と色度（ｕ’，ｖ’）の数値からは、観察者が素子４ＦＲへの入射角度θを０°へ設定したとき、発色ユニット４７５からは、赤色と認識できる光が最も明るく輝き放射していることが確認できた。観察者が素子４ＦＲへの入射角度θを０°から４０°まで順に変化させると、その変化に応じて、赤色と認識できる光が薄暗くなっていくことが確認できた。観察者が素子４ＦＲへの入射角度θを４０°へ設定したとき、発色ユニット４７５の内部は、「暗がり」になったことが確認できた。
【０２８４】
＜単色輝度の制御実験への評価＞
以上のことから、この実験装置４１０において、特定の波長域の光（赤色）について、その光の強さ（輝度）を最大と最小との間で段階的に制御することが可能あることを確認できた。
つまり、本原理により放射可能な三原色の光が、明暗を段階的に変化させることが可能であることが明確に認められた。
【０２８５】
＜（実験例３）「透過式発色の実験」への評価＞
以下は、（実験例３）「透過式発色の実験」として実施した２つの実証実験の結果のまとめである。
（実験例３−Ａ）「透過式発色：七色発色の制御実験」においては、本原理により放射可能な三原色の光の組み合わせを変えることで、色相を変化させることが可能であることが明確に認められた。
（実験例３−Ｂ）「透過式発色：単色輝度の制御実験」においては、本原理により放射可能な三原色の光が、明暗を段階的に変化させることが可能であることが明確に認められた。
以上より、（実験例３）「透過式発色の実験」として実施した、上記の２つの実証実験の結果から、本発明があらゆる色の光を放射可能な原理のひとつであることが明確に認められた。なお、実験上は７色としているが、実際には全ての色を発色させることができる。
【０２８６】
なお、ここでは限られた数の実施形態および変形例を参照しながら本発明の一態様について説明したが、本発明の範囲はそれらに限定されるものではなく、上記の開示に基づく各実施形態の改変は当業者にとって自明なことである。
【０２８７】
また、本願実施形態は、以下の発明を含む。
［元の発明９］
長波長側には光吸収特性または斜め方向への光反射特性を、短波長側には光透過特性を持ち、これら特性の境界波長が可変である第１の光学素子と、
長波長側には光反射特性を、短波長側には光透過特性を持ち、これら特性の境界波長が固定である第２の光学素子と、を備え、
光源から発した光は前記第１の光学素子へ向かい、前記第１の光学素子は前記長波長側の光を吸収または斜め方向へ反射し、前記第１の光学素子を透過した光は前記第２の光学素子へ届き、前記第２の光学素子は前記第２の光学素子に届いた光のうち特定の波長領域の光を反射し、その光は前記第１の光学素子へ向かい、前記第１の光学素子を透過して、観察者方向に進むことを特徴とする画像表示装置用素子。
【０２８８】
［元の発明１０］
短波長側には光吸収特性または斜め方向への光反射特性を、長波長側には光透過特性を持ち、これら特性の境界波長が固定である第１の光学素子と、
短波長側には光反射特性を、長波長側には光透過特性を持ち、これら特性の境界波長が可変である第２の光学素子と、を備え、
光源から発した光は前記第１の光学素子へ向かい、前記第１の光学素子は前記短波長側の光を吸収または斜め方向へ反射し、前記第１の光学素子を透過した光は前記第２の光学素子へ届き、前記第２の光学素子は前記第２の光学素子に届いた光のうち特定の波長領域の光を反射し、その光は前記第１の光学素子へ向かい、前記第１の光学素子を透過して、観察者方向に進むことを特徴とする画像表示装置用素子。
【０２８９】
［元の発明１１］
長波長側には光吸収特性または斜め方向への光反射特性を、短波長側には光透過特性を持ち、これら特性の境界波長が固定である第１の光学素子と、
長波長側には光反射特性を、短波長側には光透過特性を持ち、これら特性の境界波長が可変である第２の光学素子と、を備え、
光源から発した光は前記第１の光学素子へ向かい、前記第１の光学素子は前記長波長側の光を吸収または斜め方向へ反射し、前記第１の光学素子を透過した光は前記第２の光学素子へ届き、前記第２の光学素子は前記第２の光学素子に届いた光のうち特定の波長領域の光を反射し、その光は前記第１の光学素子へ向かい、前記第１の光学素子を透過して、観察者方向に進むことを特徴とする画像表示装置用素子。
【０２９０】
［元の発明１２］
短波長側には光吸収特性または斜め方向への光反射特性を、長波長側には光透過特性を持ち、これら特性の境界波長が可変である第１の光学素子と、
短波長側には光反射特性を、長波長側には光透過特性を持ち、これら特性の境界波長が可変である第２の光学素子と、を備え、
光源から発した光は前記第１の光学素子へ向かい、前記第１の光学素子は前記短波長側の光を吸収または斜め方向へ反射し、前記第１の光学素子を透過した光は前記第２の光学素子へ届き、前記第２の光学素子は前記第２の光学素子に届いた光のうち特定の波長領域の光を反射し、その光は前記第１の光学素子へ向かい、前記第１の光学素子を透過して、観察者方向に進むことを特徴とする画像表示装置用素子。
【０２９１】
［元の発明１３］
長波長側には光吸収特性または斜め方向への光反射特性を、短波長側には光透過特性を持ち、これら特性の境界波長が可変である第１の光学素子と、
長波長側には光反射特性を、短波長側には光透過特性を持ち、これら特性の境界波長が可変である第２の光学素子と、を備え、
光源から発した光は前記第１の光学素子へ向かい、前記第１の光学素子は前記長波長側の光を吸収または斜め方向へ反射し、前記第１の光学素子を透過した光は前記第２の光学素子へ届き、前記第２の光学素子は前記第２の光学素子に届いた光のうち特定の波長領域の光を反射し、その光は前記第１の光学素子へ向かい、前記第１の光学素子を透過して、観察者方向に進むことを特徴とする画像表示装置用素子。
【０２９２】
［元の発明１４］
短波長側には光吸収特性または斜め方向への光反射特性を、長波長側には光透過特性を持ち、これら特性の境界波長が可変である第３の光学素子と、
短波長側には光反射特性を、長波長側には光透過特性を持ち、これら特性の境界波長が固定である第４の光学素子と、をさらに備え、
光源から発し、前記第１の光学素子及び前記第２の光学素子を透過した光は前記第３の光学素子へ向かい、前記第３の光学素子は前記短波長側の光を吸収または斜め方向へ反射し、前記第３の光学素子を透過した光は前記第４の光学素子へ届き、前記第４の光学素子は前記第４の光学素子に届いた光のうち特定の波長領域の光を反射し、その光は前記第３の光学素子へ向かい、前記第３の光学素子、前記第２の光学素子及び前記第１の光学素子を透過して、観察者方向に進むことを特徴とする、元の発明８に記載の画像表示装置用素子。
【０２９３】
［元の発明１５］
長波長側には光吸収特性または斜め方向への光反射特性を、短波長側には光透過特性を持ち、これら特性の境界波長が可変である第３の光学素子と、
長波長側には光反射特性を、短波長側には光透過特性を持ち、これら特性の境界波長が固定である第４の光学素子と、を備え、
光源から発し、前記第１の光学素子及び前記第２の光学素子を透過した光は前記第３の光学素子へ向かい、前記第３の光学素子は前記長波長側の光を吸収または斜め方向へ反射し、前記第３の光学素子を透過した光は前記第４の光学素子へ届き、前記第４の光学素子は前記第４の光学素子に届いた光のうち特定の波長領域の光を反射し、その光は前記第３の光学素子へ向かい、前記第３の光学素子、前記第２の光学素子及び前記第１の光学素子を透過して、観察者方向に進むことを特徴とする、元の発明９に記載の画像表示装置用素子。
【０２９４】
［元の発明１６］
短波長側には光吸収特性または斜め方向への光反射特性を、長波長側には光透過特性を持ち、これら特性の境界波長が固定である第３の光学素子と、
短波長側には光反射特性を、長波長側には光透過特性を持ち、これら特性の境界波長が可変である第４の光学素子と、を備え、
光源から発し、前記第１の光学素子及び前記第２の光学素子を透過した光は前記第３の光学素子へ向かい、前記第３の光学素子は前記短波長側の光を吸収または斜め方向へ反射し、前記第３の光学素子を透過した光は前記第４の光学素子へ届き、前記第４の光学素子は前記第４の光学素子に届いた光のうち特定の波長領域の光を反射し、その光は前記第３の光学素子へ向かい、前記第３の光学素子、前記第２の光学素子及び前記第１の光学素子を透過して、観察者方向に進むことを特徴とする、元の発明１０に記載の画像表示装置用素子。
【０２９５】
［元の発明１７］
長波長側には光吸収特性または斜め方向への光反射特性を、短波長側には光透過特性を持ち、これら特性の境界波長が固定である第３の光学素子と、
長波長側には光反射特性を、短波長側には光透過特性を持ち、これら特性の境界波長が可変である第４の光学素子と、を備え、
光源から発し、前記第１の光学素子及び前記第２の光学素子を透過した光は前記第３の光学素子へ向かい、前記第３の光学素子は前記長波長側の光を吸収または斜め方向へ反射し、前記第３の光学素子を透過した光は前記第４の光学素子へ届き、前記第４の光学素子は前記第４の光学素子に届いた光のうち特定の波長領域の光を反射し、その光は前記第３の光学素子へ向かい、前記第３の光学素子、前記第２の光学素子及び前記第１の光学素子を透過して、観察者方向に進むことを特徴とする、元の発明１１に記載の画像表示装置用素子。
【０２９６】
［元の発明１８］
短波長側には光吸収特性または斜め方向への光反射特性を、長波長側には光透過特性を持ち、これら特性の境界波長が可変である第３の光学素子と、
短波長側には光反射特性を、長波長側には光透過特性を持ち、これら特性の境界波長が可変である第４の光学素子と、を備え、
光源から発し、前記第１の光学素子及び前記第２の光学素子を透過した光は前記第３の光学素子へ向かい、前記第３の光学素子は前記短波長側の光を吸収または斜め方向へ反射し、前記第３の光学素子を透過した光は前記第４の光学素子へ届き、前記第４の光学素子は前記第４の光学素子に届いた光のうち特定の波長領域の光を反射し、その光は前記第３の光学素子へ向かい、前記第３の光学素子、前記第２の光学素子及び前記第１の光学素子を透過して、観察者方向に進むことを特徴とする、元の発明１２に記載の画像表示装置用素子。
【０２９７】
［元の発明１９］
長波長側には光吸収特性または斜め方向への光反射特性を、短波長側には光透過特性を持ち、これら特性の境界波長が可変である第３の光学素子と、
長波長側には光反射特性を、短波長側には光透過特性を持ち、これら特性の境界波長が可変である第４の光学素子と、を備え、
光源から発し、前記第１の光学素子及び前記第２の光学素子を透過した光は前記第３の光学素子へ向かい、前記第３の光学素子は前記長波長側の光を吸収または斜め方向へ反射し、前記第３の光学素子を透過した光は前記第４の光学素子へ届き、前記第４の光学素子は前記第４の光学素子に届いた光のうち特定の波長領域の光を反射し、その光は前記第３の光学素子へ向かい、前記第３の光学素子、前記第２の光学素子及び前記第１の光学素子を透過して、観察者方向に進むことを特徴とする、元の発明１３に記載の画像表示装置用素子。
【０２９８】
［元の発明２０］
短波長側には光吸収特性または斜め方向への光反射特性を、長波長側には光透過特性を持ち、これら特性の境界波長が可変である第５の光学素子と、
短波長側には光反射特性を、長波長側には光透過特性を持ち、これら特性の境界波長が固定である第６の光学素子と、をさらに備え、
光源から発し、前記第１の光学素子、前記第２の光学素子、前記第３の光学素子及び前記第４の光学素子を透過した光は前記第５の光学素子へ向かい、前記第５の光学素子は前記短波長側の光を吸収または斜め方向へ反射し、前記第５の光学素子を透過した光は前記第６の光学素子へ届き、前記第６の光学素子は前記第６の光学素子に届いた光のうち特定の波長領域の光を反射し、その光は前記第５の光学素子へ向かい、前記第５の光学素子、前記第４の光学素子、前記第３の光学素子、前記第２の光学素子及び前記第１の光学素子を透過して、観察者方向に進むことを特徴とする、元の発明１４に記載の画像表示装置用素子。
【０２９９】
［元の発明２１］
長波長側には光吸収特性または斜め方向への光反射特性を、短波長側には光透過特性を持ち、これら特性の境界波長が可変である第５の光学素子と、
長波長側には光反射特性を、短波長側には光透過特性を持ち、これら特性の境界波長が固定である第６の光学素子と、を備え、
光源から発し、前記第１の光学素子、前記第２の光学素子、前記第３の光学素子及び前記第４の光学素子を透過した光は前記第５の光学素子へ向かい、前記第５の光学素子は前記長波長側の光を吸収または斜め方向へ反射し、前記第５の光学素子を透過した光は前記第６の光学素子へ届き、前記第６の光学素子は前記第６の光学素子に届いた光のうち特定の波長領域の光を反射し、その光は前記第５の光学素子へ向かい、前記第５の光学素子、前記第４の光学素子、前記第３の光学素子、前記第２の光学素子及び前記第１の光学素子を透過して、観察者方向に進むことを特徴とする、元の発明１５に記載の画像表示装置用素子。
【０３００】
［元の発明２２］
短波長側には光吸収特性または斜め方向への光反射特性を、長波長側には光透過特性を持ち、これら特性の境界波長が固定である第５の光学素子と、
短波長側には光反射特性を、長波長側には光透過特性を持ち、これら特性の境界波長が可変である第６の光学素子と、を備え、
光源から発し、前記第１の光学素子、前記第２の光学素子、前記第３の光学素子及び前記第４の光学素子を透過した光は前記第５の光学素子へ向かい、前記第５の光学素子は前記短波長側の光を吸収または斜め方向へ反射し、前記第５の光学素子を透過した光は前記第６の光学素子へ届き、前記第６の光学素子は前記第６の光学素子に届いた光のうち特定の波長領域の光を反射し、その光は前記第５の光学素子へ向かい、前記第５の光学素子、前記第４の光学素子、前記第３の光学素子、前記第２の光学素子及び前記第１の光学素子を透過して、観察者方向に進むことを特徴とする、元の発明１６に記載の画像表示装置用素子。
【０３０１】
［元の発明２３］
長波長側には光吸収特性または斜め方向への光反射特性を、短波長側には光透過特性を持ち、これら特性の境界波長が固定である第５の光学素子と、
長波長側には光反射特性を、短波長側には光透過特性を持ち、これら特性の境界波長が可変である第６の光学素子と、を備え、
光源から発し、前記第１の光学素子、前記第２の光学素子、前記第３の光学素子及び前記第４の光学素子を透過した光は前記第５の光学素子へ向かい、前記第５の光学素子は前記長波長側の光を吸収または斜め方向へ反射し、前記第５の光学素子を透過した光は前記第６の光学素子へ届き、前記第６の光学素子は前記第６の光学素子に届いた光のうち特定の波長領域の光を反射し、その光は前記第５の光学素子へ向かい、前記第５の光学素子、前記第４の光学素子、前記第３の光学素子、前記第２の光学素子及び前記第１の光学素子を透過して、観察者方向に進むことを特徴とする、元の発明１７に記載の画像表示装置用素子。
【０３０２】
［元の発明２４］
短波長側には光吸収特性または斜め方向への光反射特性を、長波長側には光透過特性を持ち、これら特性の境界波長が可変である第５の光学素子と、
短波長側には光反射特性を、長波長側には光透過特性を持ち、これら特性の境界波長が可変である第６の光学素子と、を備え、
光源から発し、前記第１の光学素子、前記第２の光学素子、前記第３の光学素子及び前記第４の光学素子を透過した光は前記第５の光学素子へ向かい、前記第５の光学素子は前記短波長側の光を吸収または斜め方向へ反射し、前記第５の光学素子を透過した光は前記第６の光学素子へ届き、前記第６の光学素子は前記第６の光学素子に届いた光のうち特定の波長領域の光を反射し、その光は前記第５の光学素子へ向かい、前記第５の光学素子、前記第４の光学素子、前記第３の光学素子、前記第２の光学素子及び前記第１の光学素子を透過して、観察者方向に進むことを特徴とする、元の発明１８に記載の画像表示装置用素子。
【０３０３】
［元の発明２５］
長波長側には光吸収特性または斜め方向への光反射特性を、短波長側には光透過特性を持ち、これら特性の境界波長が可変である第５の光学素子と、
長波長側には光反射特性を、短波長側には光透過特性を持ち、これら特性の境界波長が可変である第６の光学素子と、を備え、
光源から発し、前記第１の光学素子、前記第２の光学素子、前記第３の光学素子及び前記第４の光学素子を透過した光は前記第５の光学素子へ向かい、前記第５の光学素子は前記長波長側の光を吸収または斜め方向へ反射し、前記第５の光学素子を透過した光は前記第６の光学素子へ届き、前記第６の光学素子は前記第６の光学素子に届いた光のうち特定の波長領域の光を反射し、その光は前記第５の光学素子へ向かい、前記第５の光学素子、前記第４の光学素子、前記第３の光学素子、前記第２の光学素子及び前記第１の光学素子を透過して、観察者方向に進むことを特徴とする、元の発明１９に記載の画像表示装置用素子。
【０３０４】
［元の発明２６］
前記第１の光学素子の前記境界波長を変化させて、前記第１の光学素子の光透過帯域と前記第２の光学素子の光反射帯域との重ね合わせ量を変化させることで、前記反射する帯域とその光量が変化し、
前記第１の光学素子の光透過帯域と前記第２の光学素子の光反射帯域との重なりを無くすことで、前記観察者方向に進む光を絞り遮断することを特徴とする、元の発明８、発明９、発明１２及び発明１３のいずれか１項に記載の画像表示装置用素子。
【０３０５】
［元の発明２７］
前記第２の光学素子の前記境界波長を変化させて、前記第１の光学素子の光透過帯域と前記第２の光学素子の光反射帯域との重ね合わせ量を変化させることで、前記反射する帯域とその光量が変化し、
前記第１の光学素子の光透過帯域と前記第２の光学素子の光反射帯域との重なりを無くすことで、前記観察者方向に進む光を絞り遮断することを特徴とする、元の発明１０から発明１３のいずれか１項に記載の画像表示装置用素子。
【０３０６】
［元の発明２８］
前記第１の光学素子と、前記第２の光学素子とは、光源から発した光の光軸上にあることを特徴とする、元の発明１から発明２７のいずれか１項に記載の画像表示装置用素子。
【０３０７】
［元の発明２９］
前記第１の光学素子を光源から発した光の光軸に対して傾けて入射角を変化させ、前記第１の光学素子の前記境界波長を変化させることを特徴とする、元の発明８、発明９、発明１２から発明１５、発明１８から発明２１、発明２４及び発明２５のいずれか１項に記載の画像表示装置用素子。
【０３０８】
［元の発明３０］
前記第１の光学素子の、光源から発した光が透過する部分における厚さを変化させて、前記第１の光学素子の前記境界波長を変化させることを特徴とする、元の発明８、発明９、発明１２から発明１５、発明１８から発明２１、発明２４及び発明２５のいずれか１項に記載の画像表示装置用素子。
【０３０９】
［元の発明３１］
前記第１の光学素子に電圧を印可して、前記第１の光学素子の前記厚さを変化させることを特徴とする、元の発明３０に記載の画像表示装置用素子。
【０３１０】
［元の発明３２］
前記第１の光学素子を前記厚さ方向に、押し付けて又は引っ張って、前記第１の光学素子の前記厚さを変化させることを特徴とする、元の発明３０に記載の画像表示装置用素子。
【０３１１】
［元の発明３３］
前記第１の光学素子を前記厚さ方向と交差する方向に、押し付けて又は引っ張って、前記第１の光学素子の前記厚さを変化させることを特徴とする、元の発明３０に記載の画像表示装置用素子。
【０３１２】
［元の発明３４］
前記第２の光学素子で反射する波長域の光は、青色光であり、
前記第４の光学素子で反射する波長域の光は、緑色光であり、
前記第６の光学素子で反射する波長域の光は、赤色光であることを特徴とする、元の発明７、発明２０から発明２５のいずれか１項に記載の画像表示装置用素子。
【０３１３】
［元の発明３５］
前記第２の光学素子で反射する波長域の光は、赤色光であり、
前記第４の光学素子で反射する波長域の光は、緑色光であり、
前記第６の光学素子で反射する波長域の光は、青色光であることを特徴とする、元の発明７、発明２０から発明２５のいずれか１項に記載の画像表示装置用素子。
【０３１４】
［元の発明３６］
前記第２の光学素子で反射する波長域の光は、波長が３８０ｎｍ以上５００ｎｍ以下の範囲内の光であり、
前記第４の光学素子で反射する波長域の光は、波長が５００ｎｍ以上６００ｎｍ以下の範囲内の光であり、
前記第６の光学素子で反射する波長域の光は、波長が６００ｎｍ以上７８０ｎｍ以下の範囲内の光であることを特徴とする、元の発明７、発明２０から発明２５のいずれか１項に記載の画像表示装置用素子。
【０３１５】
［元の発明３７］
前記第２の光学素子で反射する波長域の光は、波長が６００ｎｍ以上７８０ｎｍ以下の範囲内の光であり、
前記第４の光学素子で反射する波長域の光は、波長が５００ｎｍ以上６００ｎｍ以下の範囲内の光であり、
前記第６の光学素子で反射する波長域の光は、波長が３８０ｎｍ以上５００ｎｍ以下の範囲内の光であることを特徴とする、元の発明７、発明２０から発明２５のいずれか１項に記載の画像表示装置用素子。
【０３１６】
［元の発明３８］
内壁が黒色である収納容器をさらに備え、
前記収納容器内に、前記第１の光学素子、前記第２の光学素子、前記第３の光学素子、前記第４の光学素子、前記第５の光学素子、前記第６の光学素子をこの順に備えたことを特徴とする、元の発明７、発明２０から発明２５、発明３４から発明３７のいずれか１項に記載の画像表示装置用素子。
【符号の説明】
【０３１７】
１〜６  素子
１０、２０、３０  画像表示装置用素子
ＡＢ１  透過光吸収部材
ＡＢ２  反射光吸収部材
ＬＳ    光源
Ｌ      入射光
ＯＢ    観察者
Ｔ１    第１透過光
Ｔ２    第２透過光
Ｔ３    第３透過光
Ｔ４    第４透過光
Ｔ５    第５透過光
Ｔ６    第６透過光
Ｒ１    第１反射光
Ｒ２    第２反射光
Ｒ３    第３反射光
Ｒ４    第４反射光
Ｒ５    第５反射光
Ｒ６    第６反射光
Ｕ１    第１光学ユニット
Ｕ２    第２光学ユニット
Ｕ３    第３光学ユニット
４１０  実験装置（透過式発色実験装置）
４１１  基準線
４１２  中心線
４１４  支持台
４１６  円筒管
４１７  フォルダ
４１８  可動軸
４１９  角度設定用ツマミ
４２１  フォルダ
４２２  円形窓
４２３  円形窓
４２４  蛍光管
４２５  出力光（本原理により作り出された光）
４２６  白色平行光
４２８  色彩輝度計
４２９  受光レンズ
４３Ｂ  光
４３Ｇ  光
４３Ｒ  光
４３Ｖ  光
４３Ｃ  光
４３Ｙ  光
４３Ｉ  光
４４Ｂ  光
４４Ｇ  光
４４Ｒ  光
４５Ｂ  光
４５Ｇ  光
４５Ｒ  光
４６Ｂ  光
４６Ｇ  光
４６Ｒ  光
４７２  円形窓
４７３  箱
４７４  箱
４７５  発色ユニット
４７６  光源ユニット
４７Ｒ  チャンバ
４７Ｇ  チャンバ
４７Ｂ  チャンバ
４８Ｂ          光
４８Ｖ          光
４８ＣＧＹＲＩ  光
４８Ｇ          光
４８ＶＢＣ      光
４８ＹＲＩ      光
４８Ｒ          光
４８ＶＢＣＧＹ  光
４８Ｉ          光
４ＦＲ  光学素子
４ＦＧ  光学素子
４ＦＢ  光学素子
４ＦＴ  光学素子
４ＡＢ０    境界波長域の中心
４ＡＢ６０  境界波長域の中心
４ＡＧ０    高反射率波長域の中心
４ＡＧ３０  高反射率波長域の中心
４ＡＲ０    境界波長域の中心
４ＡＲ４０  境界波長域の中心
４ＨＢ  グラフ
４ＨＧ  グラフ
４ＨＲ  グラフ
４ＨＴ  グラフ
５１０  実験装置
５１１  基準線
５１２  中心線
θ      入射角度
５１４  支持台
５１５  箱
５１６  円筒管
５１７  フォルダ
５１８  可動軸
５１９  角度設定用ツマミ
５２１  フォルダ
５２３  箱
５２４  光源装置
５２５  鏡
５２６  白色平行光
５２７  光
５２８  色彩輝度計
５２９  受光レンズ
５２Ｘ  素子
５２Ｙ  素子
５４２  境界波長域
５６２  特定波長域
６１３  光
６１４  光
６１６  光
６２２  光
６５９  黒色塗装
５９Ａ  チャート
５９Ｂ  チャート
５８５  波長域
５８６  波長域
５８７  波長域
７１０  実験装置
７１１  基準線
７１２  中心線
７１４  支持台
７１５  箱
７１６  円筒管
７１７  フォルダ
７１８  可動軸
７１９  角度設定用ツマミ
７２１  フォルダ
７２３  箱
７２４  光源装置
７２５  鏡
７２６  白色平行光
７２７  合成された光
７２８  色彩輝度計
７２９  受光レンズ
７２Ｘ  素子
７２Ｙ  素子
７３５  光学ユニット群
７３Ｂ  光学ユニット
７３Ｇ  光学ユニット
７３Ｒ  光学ユニット
７４２Ｂ  境界波長域
７４２Ｇ  境界波長域
７４２Ｒ  境界波長域
７６２Ｂ  境界波長域
７６２Ｇ  特定波長域
７６２Ｒ  境界波長域
７９Ａ  チャート
７９Ｂ  チャート
７８５  波長域
７８６  波長域
７８７  波長域
７９１  透過率
７９２  反射率
８１３  光
８１４  光
８１６  光
８２２  光
８２３  光
８２４  光
８２６  光
８３２  光
８３３  光
８３４  光
８３６  光
８４２  光
８５９  黒色塗装
８６Ｂ  光
８６Ｇ  光
８６Ｒ  光
【図１】
2018056451.tif 000007
【図２】
2018056451.tif 000008
【図３】
2018056451.tif 000009
【図４】
2018056451.tif 000010
【図５】
2018056451.tif 000011
【図６】
2018056451.tif 000012
【図７】
2018056451.tif 000013
【図８】
2018056451.tif 000014
【図９】
2018056451.tif 000015
【図１０】
2018056451.tif 000016
【図１１】
2018056451.tif 000017
【図１２】
2018056451.tif 000018
【図１３】
2018056451.tif 000019
【図１４】
2018056451.tif 000020
【図１５】
2018056451.tif 000021
【図１６】
2018056451.tif 000022
【図１７】
2018056451.tif 000023
【図１８Ａ】
2018056451.tif 000024
【図１８Ｂ】
2018056451.tif 000025
【図１９】
2018056451.tif 000026
【図２０】
2018056451.tif 000027
【図２１】
2018056451.tif 000028
【図２２】
2018056451.tif 000029
【図２３】
2018056451.tif 000030
【図２４】
2018056451.tif 000031
【図２５】
2018056451.tif 000032
【図２６Ａ】
2018056451.tif 000033
【図２６Ｂ】
2018056451.tif 000034
【図２６Ｃ】
2018056451.tif 000035
【図２７Ａ】
2018056451.tif 000036
【図２７Ｂ】
2018056451.tif 000037
【図２７Ｃ】
2018056451.tif 000038
【図２８】
2018056451.tif 000039
【図２９】
2018056451.tif 000040
【図３０】
2018056451.tif 000041
【図３１】
2018056451.tif 000042
【図３２】
2018056451.tif 000043
【図３３Ａ】
2018056451.tif 000044
【図３３Ｂ】
2018056451.tif 000045
【図３４Ａ】
2018056451.tif 000046
【図３４Ｂ】
2018056451.tif 000047
【図３５Ａ】
2018056451.tif 000048
【図３５Ｂ】
2018056451.tif 000049
【図３６Ａ】
2018056451.tif 000050
【図３６Ｂ】
2018056451.tif 000051
【図３７】
2018056451.tif 000052
【図３８】
2018056451.tif 000053
【図３９】
2018056451.tif 000054
【図４０】
2018056451.tif 000055
【図４１】
2018056451.tif 000056
【図４２】
2018056451.tif 000057
【図４３】
2018056451.tif 000058
【図４４】
2018056451.tif 000059
【図４５】
2018056451.tif 000060
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
光吸収と光透過との境界波長または斜め方向への反射と光透過との境界波長が可変であるまたは当該境界波長が固定である第１の光学素子と、  反射する波長域が可変であるまたは当該波長域が固定である第２の光学素子とを、  前記第１の光学素子の前記境界波長と前記第２の光学素子の前記波長域との少なくとも一方が可変である組合せで、且つ、前記第１の光学素子を透過した光が前記第２の光学素子に入射される位置関係に配置した構成を備え、  前記第１の光学素子の前記境界波長及び前記第２の光学素子の前記波長域のうちの少なくとも一つを変化させて、前記第１の光学素子の光透過帯域と前記第２の光学素子の光反射帯域との重なりを制御することにより、前記第２の光学素子を反射してくる光の帯域とその光量とを変化させる画像表示装置用素子。
【請求項２】
前記第２の光学素子は、前記第１の光学素子を透過した前記光を透過する帯域を有し、  前記第１の光学素子と前記第２の光学素子とを透過した前記光を第３の光学素子に送る構成を備え、  前記第３の光学素子は、光吸収と光透過との境界波長または斜め方向への反射と光透過との境界波長が可変であるまたは当該境界波長が固定であることを特徴とする請求項１に記載の画像表示装置用素子。
【請求項３】
前記第１の光学素子と前記第２の光学素子とを１つの光学モジュールとし、  前記光学モジュールを複数備え、一の前記第１の光学モジュールを透過した光が他の前記光学モジュールに入射されるように、前記複数の前記光学モジュールを光の経路に沿って重ねて配置したことを特徴とする請求項１または請求項２に記載の画像表示装置用素子。
【請求項４】
前記第１の光学素子は、入射された前記光をブラッグ反射により反射させることを特徴とする請求項１から請求項３のいずれか１項に記載の画像表示装置用素子。
【請求項５】
前記第２の光学素子は、前記第１の光学素子を透過して入射された前記光をブラッグ反射により反射させることを特徴とする請求項１から請求項４のいずれか１項に記載の画像表示装置用素子。
【請求項６】
光吸収と光透過との境界波長または斜め方向への反射と光透過との境界波長が可変であるまたは固定である第３の光学素子と、  反射する波長域が可変であるまたは固定である第４の光学素子とを、  前記第３の光学素子の前記境界波長と前記第４の光学素子の前記波長域との少なくとも一方が可変である組合せで、且つ、前記第３の光学素子を透過した光が前記第４の光学素子に入射される位置関係に配置した構成をさらに備え、  前記第３の光学素子の前記境界波長は、前記第１の光学素子の前記境界波長と異なり、  前記第４の光学素子の前記波長域は、前記第２の光学素子の前記波長域と異なり、  前記第３の光学素子の前記境界波長及び前記第４の光学素子の前記波長域のうちの少なくとも一つを変化させて、前記第３の光学素子の光透過帯域と前記第４の光学素子の光反射帯域との重なりを制御することにより、前記第４の光学素子を反射してくる光の帯域とその光量とを変化させる請求項１から請求項５のいずれか１項に記載の画像表示装置用素子。
【請求項７】
光吸収と光透過との境界波長または斜め方向への反射と光透過との境界波長が可変であるまたは固定である第５の光学素子と、  反射する波長域が可変であるまたは固定である第６の光学素子とを、  前記第５の光学素子の前記境界波長と前記第６の光学素子の前記波長域との少なくとも一方が可変である組合せで、且つ、前記第５の光学素子を透過した光が前記第６の光学素子に入射される位置関係に配置した構成をさらに備え、  前記第５の光学素子の前記境界波長は、前記第１の光学素子の前記境界波長及び前記第３の光学素子の前記境界波長とそれぞれ異なり、  前記第６の光学素子の前記波長域は、前記第２の光学素子の前記波長域及び前記第４の光学素子の前記波長域とそれぞれ異なり、  前記第５の光学素子の前記境界波長及び前記第６の光学素子の前記波長域のうちの少なくとも一つを変化させて、前記第５の光学素子の光透過帯域と前記第６の光学素子の光反射帯域との重なりを制御することにより、前記第６の光学素子を反射してくる光の帯域とその光量とを変化させる請求項６に記載の画像表示装置用素子。
【請求項８】
短波長側には光吸収特性または斜め方向への光反射特性を、長波長側には光透過特性を持ち、これら特性の境界波長が可変である第１の光学素子と、  短波長側には光反射特性を、長波長側には光透過特性を持ち、これら特性の境界波長が固定である第２の光学素子と、を備え、  光源から発した光は前記第１の光学素子へ向かい、前記第１の光学素子は前記短波長側の光を吸収または斜め方向へ反射し、前記第１の光学素子を透過した光は前記第２の光学素子へ届き、前記第２の光学素子は前記第２の光学素子に届いた光のうち特定の波長領域の光を反射し、その光は前記第１の光学素子へ向かい、前記第１の光学素子を透過して、観察者方向に進むことを特徴とする画像表示装置用素子。
【請求項９】
電磁波吸収と電磁波透過との境界波長または斜め方向への電磁波反射と電磁波透過との境界波長が可変であるまたは当該境界波長が固定である第１の素子と、  反射する波長域が可変であるまたは当該波長域が固定である第２の素子とを、  前記第１の素子の前記境界波長と前記第２の素子の前記波長域との少なくとも一方が可変である組合せで、且つ、前記第１の素子を透過した電磁波が前記第２の素子に入射される位置関係に配置した構成を備え、  前記第１の素子の前記境界波長及び前記第２の素子の前記波長域のうちの少なくとも一つを変化させて、前記第１の素子の電磁波透過帯域と前記第２の素子の電磁波反射帯域との重なりを制御することにより、前記第２の素子を反射してくる電磁波の帯域とその量とを変化させる反射素子。
【請求項１０】
ガンマ線吸収とガンマ線透過との境界波長または斜め方向へのガンマ線反射とガンマ線透過との境界波長が可変であるまたは当該境界波長が固定である第１の素子と、  反射する波長域が可変であるまたは当該波長域が固定である第２の素子とを、  前記第１の素子の前記境界波長と前記第２の素子の前記波長域との少なくとも一方が可変である組合せで、且つ、前記第１の素子を透過したガンマ線が前記第２の素子に入射される位置関係に配置した構成を備え、  前記第１の素子の前記境界波長及び前記第２の素子の前記波長域のうちの少なくとも一つを変化させて、前記第１の素子のガンマ線透過帯域と前記第２の素子のガンマ線反射帯域との重なりを制御することにより、前記第２の素子を反射してくるガンマ線の帯域とその量とを変化させる反射素子。
【請求項１１】
エックス線吸収とエックス線透過との境界波長または斜め方向へのエックス線反射とエックス線透過との境界波長が可変であるまたは当該境界波長が固定である第１の素子と、  反射する波長域が可変であるまたは当該波長域が固定である第２の素子とを、  前記第１の素子の前記境界波長と前記第２の素子の前記波長域との少なくとも一方が可変である組合せで、且つ、前記第１の素子を透過したエックス線が前記第２の素子に入射される位置関係に配置した構成を備え、  前記第１の素子の前記境界波長及び前記第２の素子の前記波長域のうちの少なくとも一つを変化させて、前記第１の素子のエックス線透過帯域と前記第２の素子のエックス線反射帯域との重なりを制御することにより、前記第２の素子を反射してくるエックス線の帯域とその量とを変化させる反射素子。
【請求項１２】
電波吸収と電波透過との境界波長または斜め方向への電波反射と電波透過との境界波長が可変であるまたは当該境界波長が固定である第１の素子と、  反射する波長域が可変であるまたは当該波長域が固定である第２の素子とを、  前記第１の素子の前記境界波長と前記第２の素子の前記波長域との少なくとも一方が可変である組合せで、且つ、前記第１の素子を透過した電波が前記第２の素子に入射される位置関係に配置した構成を備え、  前記第１の素子の前記境界波長及び前記第２の素子の前記波長域のうちの少なくとも一つを変化させて、前記第１の素子の電波透過帯域と前記第２の素子の電波反射帯域との重なりを制御することにより、前記第２の素子を反射してくる電波の帯域とその量とを変化させる反射素子。
【請求項１３】
電磁波吸収と電磁波透過との境界波長または斜め方向への電磁波反射と電磁波透過との境界波長が可変であるまたは当該境界波長が固定である第１の素子と、  透過する波長域が可変であるまたは当該波長域が固定である第２の素子とを、  前記第１の素子の前記境界波長と前記第２の素子の前記波長域との少なくとも一方が可変である組合せで、且つ、前記第１の素子を透過した電磁波が前記第２の素子に入射される位置関係に配置した構成を備え、  前記第１の素子の前記境界波長及び前記第２の素子の前記波長域のうちの少なくとも一つを変化させて、前記第１の素子の電磁波透過帯域と前記第２の素子の電磁波透過帯域との重なりを制御することにより、前記第２の素子を通過してくる電磁波の帯域とその量とを変化させるフィルター素子。
【請求項１４】
前記第２の素子は、前記第１の素子を透過した前記電磁波を透過する帯域を有し、  前記第１の素子と前記第２の素子とを透過した前記電磁波を第３の素子に送る構成を備え、  前記第３の素子は、電磁波吸収と電磁波透過との境界波長または斜め方向への電磁波反射と電磁波透過との境界波長が可変であるまたは当該境界波長が固定であることを特徴とする請求項１３に記載のフィルター素子。
【請求項１５】
前記第１の素子と前記第２の素子とを１つのモジュールとし、  前記モジュールを複数備え、一の前記第１のモジュールを透過した電磁波が他の前記モジュールに入射されるように、前記複数の前記モジュールを電磁波の経路に沿って重ねて配置したことを特徴とする請求項１３または請求項１４に記載のフィルター素子。
【請求項１６】
前記第１の素子は、入射された前記電磁波をブラッグ反射により反射させることを特徴とする請求項１３から請求項１５のいずれか１項に記載のフィルター素子。
【請求項１７】
前記第２の素子は、前記第１の素子を透過して入射された前記電磁波をブラッグ反射により反射させることを特徴とする請求項１３から請求項１６のいずれか１項に記載のフィルター素子。
【請求項１８】
電磁波吸収と電磁波透過との境界波長または斜め方向への電磁波反射と電磁波透過との境界波長が可変であるまたは固定である第３の素子と、  反射する波長域が可変であるまたは固定である第４の素子とを、  前記第３の素子の前記境界波長と前記第４の素子の前記波長域との少なくとも一方が可変である組合せで、且つ、前記第３の素子を透過した電磁波が前記第４の素子に入射される位置関係に配置した構成をさらに備え、  前記第３の素子の前記境界波長は、前記第１の素子の前記境界波長と異なり、  前記第４の素子の前記波長域は、前記第２の素子の前記波長域と異なり、  前記第３の素子の前記境界波長及び前記第４の素子の前記波長域のうちの少なくとも一つを変化させて、前記第３の素子の電磁波透過帯域と前記第４の素子の電磁波反射帯域との重なりを制御することにより、前記第４の素子を反射してくる電磁波の帯域とその電磁波量とを変化させる請求項１３から請求項１７のいずれか１項に記載のフィルター素子。
【請求項１９】
ガンマ線吸収とガンマ線透過との境界波長または斜め方向へのガンマ線反射とガンマ線透過との境界波長が可変であるまたは当該境界波長が固定である第１の素子と、  透過する波長域が可変であるまたは当該波長域が固定である第２の素子とを、  前記第１の素子の前記境界波長と前記第２の素子の前記波長域との少なくとも一方が可変である組合せで、且つ、前記第１の素子を透過したガンマ線が前記第２の素子に入射される位置関係に配置した構成を備え、  前記第１の素子の前記境界波長及び前記第２の素子の前記波長域のうちの少なくとも一つを変化させて、前記第１の素子のガンマ線透過帯域と前記第２の素子のガンマ線透過帯域との重なりを制御することにより、前記第２の素子を透過してくるガンマ線の帯域とその量とを変化させるフィルター素子。
【請求項２０】
前記第２の素子は、前記第１の素子を透過した前記ガンマ線を透過する帯域を有し、  前記第１の素子と前記第２の素子とを透過した前記ガンマ線を第３の素子に送る構成を備え、  前記第３の素子は、ガンマ線吸収とガンマ線透過との境界波長または斜め方向へのガンマ線反射とガンマ線透過との境界波長が可変であるまたは当該境界波長が固定であることを特徴とする請求項１９に記載のフィルター素子。
【請求項２１】
前記第１の素子と前記第２の素子とを１つのモジュールとし、  前記モジュールを複数備え、一の前記第１のモジュールを透過したガンマ線が他の前記モジュールに入射されるように、前記複数の前記モジュールをガンマ線の経路に沿って重ねて配置したことを特徴とする請求項１９または請求項２０に記載のフィルター素子。
【請求項２２】
前記第１の素子は、入射された前記ガンマ線をブラッグ反射により反射させることを特徴とする請求項１９から請求項２１のいずれか１項に記載のフィルター素子。
【請求項２３】
前記第２の素子は、前記第１の素子を透過して入射された前記ガンマ線をブラッグ反射により反射させることを特徴とする請求項１９から請求項２２のいずれか１項に記載のフィルター素子。
【請求項２４】
ガンマ線吸収とガンマ線透過との境界波長または斜め方向へのガンマ線反射とガンマ線透過との境界波長が可変であるまたは固定である第３の素子と、  反射する波長域が可変であるまたは固定である第４の素子とを、  前記第３の素子の前記境界波長と前記第４の素子の前記波長域との少なくとも一方が可変である組合せで、且つ、前記第３の素子を透過したガンマ線が前記第４の素子に入射される位置関係に配置した構成をさらに備え、  前記第３の素子の前記境界波長は、前記第１の素子の前記境界波長と異なり、  前記第４の素子の前記波長域は、前記第２の素子の前記波長域と異なり、  前記第３の素子の前記境界波長及び前記第４の素子の前記波長域のうちの少なくとも一つを変化させて、前記第３の素子のガンマ線透過帯域と前記第４の素子のガンマ線反射帯域との重なりを制御することにより、前記第４の素子を反射してくるガンマ線の帯域とそのガンマ線量とを変化させる請求項１９から請求項２３のいずれか１項に記載のフィルター素子。
【請求項２５】
エックス線吸収とエックス線透過との境界波長または斜め方向へのエックス線反射とエックス線透過との境界波長が可変であるまたは当該境界波長が固定である第１の素子と、  透過する波長域が可変であるまたは当該波長域が固定である第２の素子とを、  前記第１の素子の前記境界波長と前記第２の素子の前記波長域との少なくとも一方が可変である組合せで、且つ、前記第１の素子を透過したエックス線が前記第２の素子に入射される位置関係に配置した構成を備え、  前記第１の素子の前記境界波長及び前記第２の素子の前記波長域のうちの少なくとも一つを変化させて、前記第１の素子のエックス線透過帯域と前記第２の素子のエックス線透過帯域との重なりを制御することにより、前記第２の素子を透過してくるエックス線の帯域とその量とを変化させるフィルター素子。
【請求項２６】
前記第２の素子は、前記第１の素子を透過した前記エックス線を透過する帯域を有し、  前記第１の素子と前記第２の素子とを透過した前記エックス線を第３の素子に送る構成を備え、  前記第３の素子は、エックス線吸収とエックス線透過との境界波長または斜め方向へのエックス線反射とエックス線透過との境界波長が可変であるまたは当該境界波長が固定であることを特徴とする請求項２５に記載のフィルター素子。
【請求項２７】
前記第１の素子と前記第２の素子とを１つのモジュールとし、  前記モジュールを複数備え、一の前記第１のモジュールを透過したエックス線が他の前記モジュールに入射されるように、前記複数の前記モジュールをエックス線の経路に沿って重ねて配置したことを特徴とする請求項２５または請求項２６に記載のフィルター素子。
【請求項２８】
前記第１の素子は、入射された前記エックス線をブラッグ反射により反射させることを特徴とする請求項２５から請求項２７のいずれか１項に記載のフィルター素子。
【請求項２９】
前記第２の素子は、前記第１の素子を透過して入射された前記エックス線をブラッグ反射により反射させることを特徴とする請求項２５から請求項２８のいずれか１項に記載のフィルター素子。
【請求項３０】
エックス線吸収とエックス線透過との境界波長または斜め方向へのエックス線反射とエックス線透過との境界波長が可変であるまたは固定である第３の素子と、  反射する波長域が可変であるまたは固定である第４の素子とを、  前記第３の素子の前記境界波長と前記第４の素子の前記波長域との少なくとも一方が可変である組合せで、且つ、前記第３の素子を透過したエックス線が前記第４の素子に入射される位置関係に配置した構成をさらに備え、  前記第３の素子の前記境界波長は、前記第１の素子の前記境界波長と異なり、  前記第４の素子の前記波長域は、前記第２の素子の前記波長域と異なり、  前記第３の素子の前記境界波長及び前記第４の素子の前記波長域のうちの少なくとも一つを変化させて、前記第３の素子のエックス線透過帯域と前記第４の素子のエックス線反射帯域との重なりを制御することにより、前記第４の素子を反射してくるエックス線の帯域とそのエックス線量とを変化させる請求項２５から請求項２９のいずれか１項に記載のフィルター素子。
【請求項３１】
電波吸収と電波透過との境界波長または斜め方向への電波反射と電波透過との境界波長が可変であるまたは当該境界波長が固定である第１の素子と、  透過する波長域が可変であるまたは当該波長域が固定である第２の素子とを、  前記第１の素子の前記境界波長と前記第２の素子の前記波長域との少なくとも一方が可変である組合せで、且つ、前記第１の素子を透過した電波が前記第２の素子に入射される位置関係に配置した構成を備え、  前記第１の素子の前記境界波長及び前記第２の素子の前記波長域のうちの少なくとも一つを変化させて、前記第１の素子の電波透過帯域と前記第２の素子の電波透過帯域との重なりを制御することにより、前記第２の素子を透過してくる電波の帯域とその量とを変化させるフィルター素子。
【請求項３２】
前記第２の素子は、前記第１の素子を透過した前記電波を透過する帯域を有し、  前記第１の素子と前記第２の素子とを透過した前記電波を第３の素子に送る構成を備え、  前記第３の素子は、電波吸収と電波透過との境界波長または斜め方向への電波反射と電波透過との境界波長が可変であるまたは当該境界波長が固定であることを特徴とする請求項３１に記載のフィルター素子。
【請求項３３】
前記第１の素子と前記第２の素子とを１つのモジュールとし、  前記モジュールを複数備え、一の前記第１のモジュールを透過した電波が他の前記モジュールに入射されるように、前記複数の前記モジュールを電波の経路に沿って重ねて配置したことを特徴とする請求項３１または請求項３２に記載のフィルター素子。
【請求項３４】
前記第１の素子は、入射された前記電波をブラッグ反射により反射させることを特徴とする請求項３１から請求項３３のいずれか１項に記載のフィルター素子。
【請求項３５】
前記第２の素子は、前記第１の素子を透過して入射された前記電波をブラッグ反射により反射させることを特徴とする請求項３１から請求項３４のいずれか１項に記載のフィルター素子。
【請求項３６】
電波吸収と電波透過との境界波長または斜め方向への電波反射と電波透過との境界波長が可変であるまたは固定である第３の素子と、  反射する波長域が可変であるまたは固定である第４の素子とを、  前記第３の素子の前記境界波長と前記第４の素子の前記波長域との少なくとも一方が可変である組合せで、且つ、前記第３の素子を透過した電波が前記第４の素子に入射される位置関係に配置した構成をさらに備え、  前記第３の素子の前記境界波長は、前記第１の素子の前記境界波長と異なり、  前記第４の素子の前記波長域は、前記第２の素子の前記波長域と異なり、  前記第３の素子の前記境界波長及び前記第４の素子の前記波長域のうちの少なくとも一つを変化させて、前記第３の素子の電波透過帯域と前記第４の素子の電波反射帯域との重なりを制御することにより、前記第４の素子を反射してくる電波の帯域とその電波量とを変化させる請求項３１から請求項３５のいずれか１項に記載のフィルター素子。
【請求項３７】
光軸は、一つである請求項１から請求項８のいずれか１項に記載の画像表示装置用素子。
【請求項３８】
電磁波軸、ガンマ線軸、エックス線軸、又は電波軸は、一つである請求項９から請求項１２のいずれか１項に記載の反射素子。
【請求項３９】
電磁波軸、ガンマ線軸、エックス線軸、又は電波軸は、一つである請求項１３から請求項３６のいずれか１項に記載のフィルター素子。
【請求項４０】
各帯域は、それぞれ独立に変えられる請求項１から請求項８のいずれか１項に記載の画像表示装置用素子。
【請求項４１】
各帯域は、それぞれ独立に変えられる請求項９から請求項１２のいずれか１項に記載の反射素子。
【請求項４２】
各帯域は、それぞれ独立に変えられる請求項１３から請求項３６のいずれか１項に記載のフィルター素子。
【請求項４３】
立ち上がり開始波長および立下り終了波長を短波長側および長波長側に任意かつ独立してシフトすることができる透過帯域をひとつ以上持つ請求項１から請求項８のいずれか１項に記載の画像表示装置用素子。
【請求項４４】
立ち上がり開始波長および立下り終了波長を短波長側および長波長側に任意かつ独立してシフトすることができる反射帯域をひとつ以上持つ請求項１から請求項８のいずれか１項に記載の画像表示装置用素子。
【請求項４５】
立ち上がり開始波長および立下り終了波長を短波長側および長波長側に任意かつ独立してシフトすることができる透過帯域をひとつ以上持つ請求項９から請求項１２のいずれか１項に記載の反射素子。
【請求項４６】
立ち上がり開始波長および立下り終了波長を短波長側および長波長側に任意かつ独立してシフトすることができる反射帯域をひとつ以上持つ請求項９から請求項１２のいずれか１項に記載の反射素子。
【請求項４７】
立ち上がり開始波長および立下り終了波長を短波長側および長波長側に任意かつ独立してシフトすることができる透過帯域をひとつ以上持つ請求項１３から請求項３６のいずれか１項に記載のフィルター素子。
【請求項４８】
立ち上がり開始波長および立下り終了波長を短波長側および長波長側に任意かつ独立してシフトすることができる反射帯域をひとつ以上持つ請求項１３から請求項３６のいずれか１項に記載のフィルター素子。
【請求項４９】
立下り開始波長および立ち上がり終了波長を短波長側および長波長側に任意かつ独立してシフトすることができる透過帯域をひとつ以上持つ請求項１から請求項８のいずれか１項に記載の画像表示装置用素子。
【請求項５０】
立下り開始波長および立ち上がり終了波長を短波長側および長波長側に任意かつ独立してシフトすることができる反射帯域をひとつ以上持つ請求項１から請求項８のいずれか１項に記載の画像表示装置用素子。
【請求項５１】
立下り開始波長および立ち上がり終了波長を短波長側および長波長側に任意かつ独立してシフトすることができる透過帯域をひとつ以上持つ請求項９から請求項１２のいずれか１項に記載の反射素子。
【請求項５２】
立下り開始波長および立ち上がり終了波長を短波長側および長波長側に任意かつ独立してシフトすることができる反射帯域をひとつ以上持つ請求項９から請求項１２のいずれか１項に記載の反射素子。
【請求項５３】
立下り開始波長および立ち上がり終了波長を短波長側および長波長側に任意かつ独立してシフトすることができる透過帯域をひとつ以上持つ請求項１３から請求項３６のいずれか１項に記載のフィルター素子。
【請求項５４】
立下り開始波長および立ち上がり終了波長を短波長側および長波長側に任意かつ独立してシフトすることができる反射帯域をひとつ以上持つ請求項１３から請求項３６のいずれか１項に記載のフィルター素子。
【請求項５５】
立ち上がり開                                                  ター素子。 
【国際調査報告】
2018056451.tif 000061
2018056451.tif 000062
2018056451.tif 000063
2018056451.tif 000064
2018056451.tif 000065